(57)【要約】本願の実施例は、チャネル伝送の方法、端末機器及びネットワーク機器に関する。該方法は、ネットワーク機器によって送信された少なくとも１つの時間ドメインシンボル位置情報を受信するステップであって、第１のタイプの時間ドメインシンボル位置情報が該スケジューリング対象チャネルの占用する開始時間ドメインシンボルと該スケジューリング対象チャネルが配置されている時間スロットとの相対的位置を指示するためのものであり、第２のタイプの時間ドメインシンボル位置情報が該スケジューリング対象チャネルの占用する開始時間ドメインシンボルとターゲット制御情報が配置されている時間ドメインリソースとの相対的位置を指示するためのものであるステップと、該少なくとも１つの時間ドメインシンボル位置情報においてターゲット時間ドメインシンボル位置情報のタイプを決定し、さらに該ターゲット時間ドメインシンボル位置情報によって指示された該スケジューリング対象チャネルの占用する開始時間ドメインシンボルの位置を決定し、該位置に基づいて該スケジューリング対象チャネルを伝送するステップと、を含む。本願の実施例のチャネル伝送の方法、端末機器及びネットワーク機器は、限られた制御シグナリングオーバーヘッドを最大限に利用し、スケジューリングされたチャネルの開始シンボル位置を有効的に指示することができる。【選択図】図１
2021516475.tif 000002
【特許請求の範囲】
【請求項１】
チャネル伝送の方法であって、
ネットワーク機器によって送信されたリソース構成メッセージを受信するステップであって、前記リソース構成メッセージが少なくとも１つの時間ドメインシンボル位置情報を含み、前記少なくとも１つの時間ドメインシンボル位置情報における異なる時間ドメインシンボル位置情報はスケジューリング対象チャネルの占用する開始時間ドメインシンボルの異なる位置を指示するためのものであり、前記少なくとも１つの時間ドメインシンボル位置情報のいずれか１つの時間ドメインシンボル位置情報のタイプが第１のタイプ又は第２のタイプであり、前記第１のタイプの時間ドメインシンボル位置情報が前記スケジューリング対象チャネルの占用する開始時間ドメインシンボルと前記スケジューリング対象チャネルが配置されている時間スロットとの相対的位置を指示するためのものであり、前記第２のタイプの時間ドメインシンボル位置情報が前記スケジューリング対象チャネルの占用する開始時間ドメインシンボルとターゲット制御情報が配置されている時間ドメインリソースとの相対的位置を指示するためのものであるステップと、
前記少なくとも１つの時間ドメインシンボル位置情報においてターゲット時間ドメインシンボル位置情報のタイプを決定するステップと、
前記ターゲット時間ドメインシンボル位置情報のタイプに基づき、前記ターゲット時間ドメインシンボル位置情報によって指示された前記スケジューリング対象チャネルの占用する開始時間ドメインシンボルの位置がターゲット位置であると決定するステップと、
前記ターゲット位置に基づき、前記ネットワーク機器と前記スケジューリング対象チャネルを伝送するステップと、を含むことを特徴とするチャネル伝送の方法。
【請求項２】
前記ターゲット時間ドメインシンボル位置情報が相対的位置パラメータを含み、
前記ターゲット時間ドメインシンボル位置情報が前記第１のタイプである場合、前記相対的位置パラメータが前記スケジューリング対象チャネルの占用する開始時間ドメインシンボルと前記スケジューリング対象チャネルが配置されている時間スロットの開始時間ドメインシンボルとの相対的位置を示すためのものであり、
前記ターゲット時間ドメインシンボル位置情報が前記第２のタイプである場合、前記相対的位置パラメータが前記スケジューリング対象チャネルの占用する開始時間ドメインシンボルと前記ターゲット制御情報が配置されている時間ドメインリソースとの相対的位置を示すためのものであることを特徴とする請求項１に記載の方法。
【請求項３】
前記ターゲット時間ドメインシンボル位置情報が前記第２のタイプである場合、
前記相対的位置パラメータが前記スケジューリング対象チャネルの占用する開始時間ドメインシンボルと前記ターゲット制御情報が配置されている制御リソースセット又はサーチスペースの開始時間ドメインシンボル又は終了時間ドメインシンボルとの相対的位置を示すためのものであることを特徴とする請求項２に記載の方法。
【請求項４】
前記ターゲット時間ドメインシンボル位置情報が長さパラメータを含み、前記長さパラメータが前記スケジューリング対象チャネルの占用する時間ドメインリソースの長さを示すことを特徴とする請求項２又は請求項３に記載の方法。
【請求項５】
前記少なくとも１つの時間ドメインシンボル位置情報においてターゲット時間ドメインシンボル位置情報のタイプを決定する前に、前記方法は、
前記ネットワーク機器によって送信された前記ターゲット制御情報を受信するステップであって、前記ターゲット制御情報が前記ターゲット時間ドメインシンボル位置情報を指示するためのものであるステップと、
前記ターゲット制御情報に基づき、前記ターゲット時間ドメインシンボル位置情報を決定するステップと、をさらに含むことを特徴とする請求項１〜請求項４のいずれか１項に記載の方法。
【請求項６】
前記ターゲット制御情報がタイプパラメータを含み、前記タイプパラメータが前記ターゲット時間ドメインシンボル位置情報のタイプを指示するためのものであることを特徴とする請求項５に記載の方法。
【請求項７】
前記ターゲット時間ドメインシンボル位置情報がタイプパラメータを含み、前記タイプパラメータが前記ターゲット時間ドメインシンボル位置情報のタイプを指示するためのものであることを特徴とする請求項１〜請求項５のいずれか１項に記載の方法。
【請求項８】
前記リソース構成メッセージが前記少なくとも１つの時間ドメインシンボル位置情報に対応する少なくとも１つの時間スロットレベルオフセットパラメータを含み、前記ターゲット時間ドメインシンボル位置情報がターゲット時間スロットレベルオフセットパラメータに対応し、
前記少なくとも１つの時間ドメインシンボル位置情報においてターゲット時間ドメインシンボル位置情報のタイプを決定する前記ステップは、
前記ターゲット時間スロットレベルオフセットパラメータに基づき、前記ターゲット時間ドメインシンボル位置情報のタイプを決定するステップを含むことを特徴とする請求項２〜請求項５のいずれか１項に記載の方法。
【請求項９】
前記ターゲット時間スロットレベルオフセットパラメータに基づき、前記ターゲット時間ドメインシンボル位置情報のタイプを決定する前記ステップは、
前記ターゲット時間スロットレベルオフセットパラメータが０に等しくない場合、前記ターゲット時間ドメインシンボル位置情報のタイプを前記第１のタイプとして決定するステップ、又は
前記ターゲット時間スロットレベル位置パラメータが０に等しい場合、前記ターゲット時間ドメインシンボル位置情報のタイプを前記第２のタイプとして決定するステップを含むことを特徴とする請求項８に記載の方法。
【請求項１０】
前記スケジューリング対象チャネルは、物理アップリンク制御チャネルＰＵＣＣＨ、物理ダウンリンク制御チャネルＰＤＣＣＨ、物理アップリンク共有チャネルＰＵＳＣＨ及び物理ダウンリンク共有チャネルＰＤＳＣＨのいずれか１つであることを特徴とする請求項１〜請求項９のいずれか１項に記載の方法。
【請求項１１】
前記リソース構成メッセージは、無線リソース制御ＲＲＣシグナリング又はシステム情報であることを特徴とする請求項１〜請求項１０のいずれか１項に記載の方法。
【請求項１２】
前記ターゲット制御情報は、前記スケジューリング対象チャネルをスケジューリングするためのダウンリンク制御情報ＤＣＩであることを特徴とする請求項１〜請求項１１のいずれか１項に記載の方法。
【請求項１３】
チャネル伝送の方法であって、
端末機器にリソース構成メッセージを送信するステップであって、前記リソース構成メッセージが少なくとも１つの時間ドメインシンボル位置情報を含み、前記少なくとも１つの時間ドメインシンボル位置情報における異なる時間ドメインシンボル位置情報が前記端末機器のスケジューリング対象チャネルの占用する開始時間ドメインシンボルの異なる位置を指示するためのものであり、前記少なくとも１つの時間ドメインシンボル位置情報のいずれか１つの時間ドメインシンボル位置情報のタイプが第１のタイプ又は第２のタイプであり、前記第１のタイプの時間ドメインシンボル位置情報が前記スケジューリング対象チャネルの占用する開始時間ドメインシンボルと前記スケジューリング対象チャネルが配置されている時間スロットとの相対的位置を指示するためのものであり、前記第２のタイプの時間ドメインシンボル位置情報が前記スケジューリング対象チャネルの占用する開始時間ドメインシンボルとターゲット制御情報が配置されている時間ドメインリソースとの相対的位置を指示するためのものであるステップと、
前記端末機器に前記ターゲット制御情報を送信するステップであって、前記ターゲット制御情報は、前記端末機器が前記少なくとも１つの時間ドメインシンボル位置情報においてターゲット時間ドメインシンボル位置情報を決定するためのものであるステップと、
前記ターゲット制御情報によって指示された前記スケジューリング対象チャネルの占用する開始時間ドメインシンボルの位置に基づき、前記端末機器と前記スケジューリング対象チャネルを伝送するステップと、を含むことを特徴とするチャネル伝送の方法。
【請求項１４】
前記ターゲット時間ドメインシンボル位置情報が相対的位置パラメータを含み、
前記ターゲット時間ドメインシンボル位置情報が前記第１のタイプである場合、前記相対的位置パラメータが前記スケジューリング対象チャネルの占用する開始時間ドメインシンボルと前記スケジューリング対象チャネルが配置されている時間スロットの開始時間ドメインシンボルとの相対的位置を示すためのものであり、
前記ターゲット時間ドメインシンボル位置情報が前記第２のタイプである場合、前記相対的位置パラメータが前記スケジューリング対象チャネルの占用する開始時間ドメインシンボルと前記ターゲット制御情報が配置されている時間ドメインリソースとの相対的位置を示すためのものであることを特徴とする請求項１３に記載の方法。
【請求項１５】
前記ターゲット時間ドメインシンボル位置情報が前記第２のタイプである場合、
前記相対的位置パラメータが前記スケジューリング対象チャネルの占用する開始時間ドメインシンボルと前記ターゲット制御情報が配置されている制御リソースセット又はサーチスペースの開始時間ドメインシンボル又は終了時間ドメインシンボルとの相対的位置を示すためのものであることを特徴とする請求項１４に記載の方法。
【請求項１６】
前記ターゲット時間ドメインシンボル位置情報が長さパラメータを含み、前記長さパラメータが前記スケジューリング対象チャネルの占用する時間ドメインリソースの長さを示すことを特徴とする請求項１４又は請求項１５に記載の方法。
【請求項１７】
前記ターゲット時間ドメインシンボル位置情報がタイプパラメータを含み、前記タイプパラメータが前記ターゲット時間ドメインシンボル位置情報のタイプを指示するためのものであることを特徴とする請求項１３〜請求項１６のいずれか１項に記載の方法。
【請求項１８】
前記ターゲット制御情報がタイプパラメータを含み、前記タイプパラメータが前記ターゲット時間ドメインシンボル位置情報のタイプを指示するためのものであることを特徴とする請求項１３〜請求項１６のいずれか１項に記載の方法。
【請求項１９】
前記リソース構成メッセージが前記少なくとも１つの時間ドメインシンボル位置情報に対応する少なくとも１つの時間スロットレベルオフセットパラメータを含み、前記ターゲット時間ドメインシンボル位置情報がターゲット時間スロットレベルオフセットパラメータに対応し、前記ターゲット時間スロットレベルオフセットパラメータが前記ターゲット時間ドメインシンボル位置情報のタイプを指示するためのものであることを特徴とする請求項１４〜請求項１６のいずれか１項に記載の方法。
【請求項２０】
前記ターゲット時間スロットレベルオフセットパラメータが０に等しくない場合、前記ターゲット時間ドメインシンボル位置情報のタイプが前記第１のタイプであり、又は
前記時間ドメインオフセットパラメータが前記既定値以下である場合、前記ターゲット時間ドメインシンボル位置情報のタイプが前記第２のタイプであることを特徴とする請求項１９に記載の方法。
【請求項２１】
前記スケジューリング対象チャネルは、物理アップリンク制御チャネルＰＵＣＣＨ、物理ダウンリンク制御チャネルＰＤＣＣＨ、物理アップリンク共有チャネルＰＵＳＣＨ及び物理ダウンリンク共有チャネルＰＤＳＣＨのいずれか１つであることを特徴とする請求項１３〜請求項２０のいずれか１項に記載の方法。
【請求項２２】
前記リソース構成メッセージは、無線リソース制御ＲＲＣシグナリング又はシステム情報であることを特徴とする請求項１３〜請求項２１のいずれか１項に記載の方法。
【請求項２３】
前記ターゲット制御情報は、前記スケジューリング対象チャネルをスケジューリングするためのダウンリンク制御情報ＤＣＩであることを特徴とする請求項１３〜請求項２２のいずれか１項に記載の方法。
【請求項２４】
端末機器であって、
ネットワーク機器によって送信されたリソース構成メッセージを受信するためのトランシーバユニットであって、前記リソース構成メッセージが少なくとも１つの時間ドメインシンボル位置情報を含み、前記少なくとも１つの時間ドメインシンボル位置情報における異なる時間ドメインシンボル位置情報はスケジューリング対象チャネルの占用する開始時間ドメインシンボルの異なる位置を指示するためのものであり、前記少なくとも１つの時間ドメインシンボル位置情報のいずれか１つの時間ドメインシンボル位置情報のタイプが第１のタイプ又は第２のタイプであり、前記第１のタイプの時間ドメインシンボル位置情報が前記スケジューリング対象チャネルの占用する開始時間ドメインシンボルと前記スケジューリング対象チャネルが配置されている時間スロットとの相対的位置を指示するためのものであり、前記第２のタイプの時間ドメインシンボル位置情報が前記スケジューリング対象チャネルの占用する開始時間ドメインシンボルとターゲット制御情報が配置されている時間ドメインリソースとの相対的位置を指示するためのものであるトランシーバユニットと、
前記少なくとも１つの時間ドメインシンボル位置情報においてターゲット時間ドメインシンボル位置情報のタイプを決定するための決定ユニットと、を含み、
前記決定ユニットは、前記ターゲット時間ドメインシンボル位置情報のタイプに基づき、前記ターゲット時間ドメインシンボル位置情報によって指示された前記スケジューリング対象チャネルの占用する開始時間ドメインシンボルの位置がターゲット位置であると決定するためのものであり、
前記トランシーバユニットは、前記ターゲット位置に基づき、前記ネットワーク機器と前記スケジューリング対象チャネルを伝送するためのものであることを特徴とする端末機器。
【請求項２５】
前記ターゲット時間ドメインシンボル位置情報が相対的位置パラメータを含み、
前記ターゲット時間ドメインシンボル位置情報が前記第１のタイプである場合、前記相対的位置パラメータが前記スケジューリング対象チャネルの占用する開始時間ドメインシンボルと前記スケジューリング対象チャネルが配置されている時間スロットの開始時間ドメインシンボルとの相対的位置を示すためのものであり、
前記ターゲット時間ドメインシンボル位置情報が前記第２のタイプである場合、前記相対的位置パラメータが前記スケジューリング対象チャネルの占用する開始時間ドメインシンボルと前記ターゲット制御情報が配置されている時間ドメインリソースとの相対的位置を示すためのものであることを特徴とする請求項２４に記載の端末機器。
【請求項２６】
前記ターゲット時間ドメインシンボル位置情報が前記第２のタイプである場合、
前記相対的位置パラメータが前記スケジューリング対象チャネルの占用する開始時間ドメインシンボルと前記ターゲット制御情報が配置されている制御リソースセット又はサーチスペースの開始時間ドメインシンボル又は終了時間ドメインシンボルとの相対的位置を示すためのものであることを特徴とする請求項２５に記載の端末機器。
【請求項２７】
前記ターゲット時間ドメインシンボル位置情報が長さパラメータを含み、前記長さパラメータが前記スケジューリング対象チャネルの占用する時間ドメインリソースの長さを示すことを特徴とする請求項２５又は請求項２６に記載の端末機器。
【請求項２８】
前記トランシーバユニットは、具体的に、
前記決定ユニットが前記少なくとも１つの時間ドメインシンボル位置情報においてターゲット時間ドメインシンボル位置情報のタイプを決定する前に、前記ネットワーク機器によって送信された前記ターゲット制御情報を受信するためのものであり、前記ターゲット制御情報が前記ターゲット時間ドメインシンボル位置情報を指示するためのものであり、
前記決定ユニットは、具体的に、
前記ターゲット制御情報に基づき、前記ターゲット時間ドメインシンボル位置情報を決定するためのものであることを特徴とする請求項２４〜請求項２７のいずれか１項に記載の端末機器。
【請求項２９】
前記ターゲット制御情報がタイプパラメータを含み、前記タイプパラメータが前記ターゲット時間ドメインシンボル位置情報のタイプを指示するためのものであることを特徴とする請求項２８に記載の端末機器。
【請求項３０】
前記ターゲット時間ドメインシンボル位置情報がタイプパラメータを含み、前記タイプパラメータが前記ターゲット時間ドメインシンボル位置情報のタイプを指示するためのものであることを特徴とする請求項２４〜請求項２８のいずれか１項に記載の端末機器。
【請求項３１】
前記リソース構成メッセージが前記少なくとも１つの時間ドメインシンボル位置情報に対応する少なくとも１つの時間スロットレベルオフセットパラメータを含み、前記ターゲット時間ドメインシンボル位置情報がターゲット時間スロットレベルオフセットパラメータに対応し、
前記決定ユニットは、具体的に、
前記ターゲット時間スロットレベルオフセットパラメータに基づき、前記ターゲット時間ドメインシンボル位置情報のタイプを決定するためのものであることを特徴とする請求項２５〜請求項２８のいずれか１項に記載の端末機器。
【請求項３２】
前記決定ユニットは、具体的に、
前記ターゲット時間スロットレベルオフセットパラメータが０に等しくない場合、前記ターゲット時間ドメインシンボル位置情報のタイプを前記第１のタイプとして決定する、又は
前記ターゲット時間スロットレベル位置パラメータが０に等しい場合、前記ターゲット時間ドメインシンボル位置情報のタイプを前記第２のタイプとして決定するためのものであることを特徴とする請求項３１に記載の端末機器。
【請求項３３】
前記スケジューリング対象チャネルは、物理アップリンク制御チャネルＰＵＣＣＨ、物理ダウンリンク制御チャネルＰＤＣＣＨ、物理アップリンク共有チャネルＰＵＳＣＨ及び物理ダウンリンク共有チャネルＰＤＳＣＨのいずれか１つであることを特徴とする請求項２４〜請求項３２のいずれか１項に記載の端末機器。
【請求項３４】
前記リソース構成メッセージは、無線リソース制御ＲＲＣシグナリング又はシステム情報であることを特徴とする請求項２４〜請求項３３のいずれか１項に記載の端末機器。
【請求項３５】
前記ターゲット制御情報は、前記スケジューリング対象チャネルをスケジューリングするためのダウンリンク制御情報ＤＣＩであることを特徴とする請求項２４〜請求項３４のいずれか１項に記載の端末機器。
【請求項３６】
ネットワーク機器であって、
端末機器にリソース構成メッセージを送信するトランシーバユニットであって、前記リソース構成メッセージが少なくとも１つの時間ドメインシンボル位置情報を含み、前記少なくとも１つの時間ドメインシンボル位置情報における異なる時間ドメインシンボル位置情報が前記端末機器のスケジューリング対象チャネルの占用する開始時間ドメインシンボルの異なる位置を指示するためのものであり、前記少なくとも１つの時間ドメインシンボル位置情報のいずれか１つの時間ドメインシンボル位置情報のタイプが第１のタイプ又は第２のタイプであり、前記第１のタイプの時間ドメインシンボル位置情報が前記スケジューリング対象チャネルの占用する開始時間ドメインシンボルと前記スケジューリング対象チャネルが配置されている時間スロットとの相対的位置を指示するためのものであり、前記第２のタイプの時間ドメインシンボル位置情報が前記スケジューリング対象チャネルの占用する開始時間ドメインシンボルとターゲット制御情報が配置されている時間ドメインリソースとの相対的位置を指示するためのものであるトランシーバユニットを含み、
前記トランシーバユニットはさらに、前記端末機器に前記ターゲット制御情報を送信するためのものであり、前記ターゲット制御情報は、前記端末機器が前記少なくとも１つの時間ドメインシンボル位置情報においてターゲット時間ドメインシンボル位置情報を決定するためのものであり、
前記トランシーバユニットはさらに、前記ターゲット制御情報によって指示された前記スケジューリング対象チャネルの占用する開始時間ドメインシンボルの位置に基づき、前記端末機器と前記スケジューリング対象チャネルを伝送するためのものであることを特徴とするネットワーク機器。
【請求項３７】
前記ターゲット時間ドメインシンボル位置情報が相対的位置パラメータを含み、
前記ターゲット時間ドメインシンボル位置情報が前記第１のタイプである場合、前記相対的位置パラメータが前記スケジューリング対象チャネルの占用する開始時間ドメインシンボルと前記スケジューリング対象チャネルが配置されている時間スロットの開始時間ドメインシンボルとの相対的位置を示すためのものであり、
前記ターゲット時間ドメインシンボル位置情報が前記第２のタイプである場合、前記相対的位置パラメータが前記スケジューリング対象チャネルの占用する開始時間ドメインシンボルと前記ターゲット制御情報が配置されている時間ドメインリソースとの相対的位置を示すためのものであることを特徴とする請求項３６に記載のネットワーク機器。
【請求項３８】
前記ターゲット時間ドメインシンボル位置情報が前記第２のタイプである場合、
前記相対的位置パラメータが前記スケジューリング対象チャネルの占用する開始時間ドメインシンボルと前記ターゲット制御情報が配置されている制御リソースセット又はサーチスペースの開始時間ドメインシンボル又は終了時間ドメインシンボルとの相対的位置を示すためのものであることを特徴とする請求項３７に記載のネットワーク機器。
【請求項３９】
前記ターゲット時間ドメインシンボル位置情報が長さパラメータを含み、前記長さパラメータが前記スケジューリング対象チャネルの占用する時間ドメインリソースの長さを示すことを特徴とする請求項３７又は請求項３８に記載のネットワーク機器。
【請求項４０】
前記ターゲット時間ドメインシンボル位置情報がタイプパラメータを含み、前記タイプパラメータが前記ターゲット時間ドメインシンボル位置情報のタイプを指示するためのものであることを特徴とする請求項３６〜請求項３９のいずれか１項に記載のネットワーク機器。
【請求項４１】
前記ターゲット制御情報がタイプパラメータを含み、前記タイプパラメータが前記ターゲット時間ドメインシンボル位置情報のタイプを指示するためのものであることを特徴とする請求項３６〜請求項３９のいずれか１項に記載のネットワーク機器。
【請求項４２】
前記リソース構成メッセージが前記少なくとも１つの時間ドメインシンボル位置情報に対応する少なくとも１つの時間スロットレベルオフセットパラメータを含み、前記ターゲット時間ドメインシンボル位置情報がターゲット時間スロットレベルオフセットパラメータに対応し、前記ターゲット時間スロットレベルオフセットパラメータが前記ターゲット時間ドメインシンボル位置情報のタイプを指示するためのものであることを特徴とする請求項３７〜請求項３９のいずれか１項に記載のネットワーク機器。
【請求項４３】
前記ターゲット時間スロットレベルオフセットパラメータが０に等しくない場合、前記ターゲット時間ドメインシンボル位置情報のタイプが前記第１のタイプであり、又は
前記時間ドメインオフセットパラメータが前記既定値以下である場合、前記ターゲット時間ドメインシンボル位置情報のタイプが前記第２のタイプであることを特徴とする請求項４２に記載のネットワーク機器。
【請求項４４】
前記スケジューリング対象チャネルは、物理アップリンク制御チャネルＰＵＣＣＨ、物理ダウンリンク制御チャネルＰＤＣＣＨ、物理アップリンク共有チャネルＰＵＳＣＨ及び物理ダウンリンク共有チャネルＰＤＳＣＨのいずれか１つであることを特徴とする請求項３６〜請求項４３のいずれか１項に記載のネットワーク機器。
【請求項４５】
前記リソース構成メッセージは、無線リソース制御ＲＲＣシグナリング又はシステム情報であることを特徴とする請求項３６〜請求項４４のいずれか１項に記載のネットワーク機器。
【請求項４６】
前記ターゲット制御情報は、前記スケジューリング対象チャネルをスケジューリングするためのダウンリンク制御情報ＤＣＩであることを特徴とする請求項３６〜請求項４５のいずれか１項に記載のネットワーク機器。
【発明の詳細な説明】
【技術分野】
【０００１】
本願は、通信分野に関し、特にチャネル伝送の方法、端末機器及びネットワーク機器に関する。
【背景技術】
【０００２】
ＬＴＥシステムにおいて、データチャネル（例えば、物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ））の時間ドメイン位置は時間スロットとサブフレームを単位としている。例えば、ＰＤＳＣＨのスタート位置は、配置されている時間スロット／サブフレームを基準としており、該サブフレームの物理制御フォーマット指示チャネル（ｐｈｙｓｉｃａｌ  ｃｏｎｔｒｏｌ  ｆｏｒｍａｔ  ｉｎｄｉｃａｔｏｒ  ｃｈａｎｎｅｌ、ＰＣＦＩＣＨ）ではＰＤＳＣＨが該サブフレームの一番目の時間ドメインシンボルから開始するように指示する。
【０００３】
しかしながら、第５世代（５ｔｈ  ｇｅｎｅｒａｔｉｏｎ、５Ｇ）のニューラジオ（ｎｅｗ  ｒａｄｉｏ、ＮＲ）システムにおいて、リソース配分の柔軟性の向上及び時間遅延の低下のために、チャネルの時間ドメイン位置は柔軟性が大幅に向上し、シンボルを単位として配分するため、チャネルの開始シンボル位置を指示する必要がある。
【０００４】
現在、チャネルの開始シンボル位置を指示する方式について、５Ｇに対する研究では２種の技術的解決手段の指示が提案された。その１つは、時間スロットの開始位置に基づいてチャネルの開始シンボル位置を指示することであるが、スケジューリングされたチャネルはこのチャネルをスケジューリングしたダウンリンク制御チャネルの後に常にあり、ダウンリンク制御チャネルが時間スロットのどの位置にあるかは事前に知らないため、一般的に時間スロット内に可能な開始シンボル位置をできるだけ均一的に分布するしかできない。ダウンリンク制御チャネルがいくつかの位置にある場合、スケジューリングされたチャネルは一般的にその後の最も近い時間ドメイン位置を選択するが、該位置が該ダウンリンク制御チャネルに密接できない可能性が大きいであり、これにより低遅延のスケジューリングを実現できない。
【０００５】
２つ目の解決手段は、ダウンリンク制御チャネルの位置に基づいてチャネルの開始シンボル位置を指示することである。ダウンリンク制御チャネルが任意の位置にある場合、いずれも該ダウンリンク制御チャネルに密接する位置にてスケジューリングされたチャネルの開始シンボルを配置することができる。しかし、例えば、スケジューリングされたチャネル開始シンボルとダウンリンク制御チャネルとの距離が１つの時間スロットを上回る場合、この解決手段を使用する時の制御オーバーヘッドが劇的に増加するように、この解決手段はダウンリンク制御チャネルと距離の遠いチャネルを有効的にスケジューリングすることができない。
【発明の概要】
【発明が解決しようとする課題】
【０００６】
本願は、限られた制御シグナリングオーバーヘッドを最大限に利用し、スケジューリングされたチャネルの開始シンボル位置を効果的に指示できる、チャネル伝送の方法、端末機器及びネットワーク機器を提供する。
【課題を解決するための手段】
【０００７】
第１の態様では、チャネル伝送の方法を提供し、該方法は、ネットワーク機器によって送信されたリソース構成メッセージを受信するステップであって、前記リソース構成メッセージが少なくとも１つの時間ドメインシンボル位置情報を含み、前記少なくとも１つの時間ドメインシンボル位置情報における異なる時間ドメインシンボル位置情報はスケジューリング対象チャネルの占用する開始時間ドメインシンボルの異なる位置を指示するためのものであり、前記少なくとも１つの時間ドメインシンボル位置情報のいずれか１つの時間ドメインシンボル位置情報のタイプが第１のタイプ又は第２のタイプであり、前記第１のタイプの時間ドメインシンボル位置情報が前記スケジューリング対象チャネルの占用する開始時間ドメインシンボルと前記スケジューリング対象チャネルが配置されている時間スロットとの相対的位置を指示するためのものであり、前記第２のタイプの時間ドメインシンボル位置情報が前記スケジューリング対象チャネルの占用する開始時間ドメインシンボルとターゲット制御情報が配置されている時間ドメインリソースとの相対的位置を指示するためのものであるステップと、前記少なくとも１つの時間ドメインシンボル位置情報においてターゲット時間ドメインシンボル位置情報のタイプを決定するステップと、前記ターゲット時間ドメインシンボル位置情報のタイプに基づき、前記ターゲット時間ドメインシンボル位置情報によって指示された前記スケジューリング対象チャネルの占用する開始時間ドメインシンボルの位置がターゲット位置であると決定するステップと、前記ターゲット位置に基づき、前記ネットワーク機器と前記スケジューリング対象チャネルを伝送するステップと、を含む。
【０００８】
したがって、本願の実施例のチャネル伝送の方法であって、端末機器はネットワーク機器によって送信された少なくとも１つの時間ドメインシンボル位置情報を受信し、異なる時間ドメインシンボル位置情報はスケジューリング対象チャネルの占用する時間ドメインシンボルの異なる位置を指示するためのものであり、端末機器は該少なくとも１つの時間ドメインシンボル位置情報においてターゲット時間ドメインシンボル位置情報及び該ターゲット時間ドメインシンボル位置情報のタイプを決定し、これにより、さらに該ターゲット時間ドメインシンボル位置情報によって指示された位置を決定し、該位置によってスケジューリング対象チャネルを伝送し、ターゲット時間ドメインシンボル位置情報のタイプが異なるため、時間ドメインシンボル位置を指示する方式も異なり、これにより時間ドメインシンボル位置情報に対する２つのタイプの柔軟な指示を実現し、例えば、スケジューリング対象チャネルがダウンリンク制御チャネルに近い場合、相対的ダウンリンク制御チャネルを用いてスケジューリング対象チャネルの開始シンボル位置を指示し、スケジューリング対象チャネルがダウンリンク制御チャネルから遠い場合、相対的スケジューリング対象チャネルが配置されている時間スロット開始位置を用いてスケジューリング対象チャネルの開始シンボル位置を指示することができる。
【０００９】
このように、ダウンリンク制御チャネルが時間スロットのどの位置にあっても、限られた制御シグナリングオーバーヘッドを最大限に利用し、スケジューリング対象チャネルの開始シンボル位置を有効的に指示することができるようになり、これにより、より柔軟で、より効率の高く、より時間遅延の低いデータチャネルリソース配分を実現する。
【００１０】
第１の態様に合わせて、第１の態様の１つの実現形態において、前記ターゲット時間ドメインシンボル位置情報が相対的位置パラメータを含み、前記ターゲット時間ドメインシンボル位置情報が前記第１のタイプである場合、前記相対的位置パラメータが前記スケジューリング対象チャネルの占用する開始時間ドメインシンボルと前記スケジューリング対象チャネルが配置されている時間スロットの開始時間ドメインシンボルとの相対的位置を示すためのものであり、前記ターゲット時間ドメインシンボル位置情報が前記第２のタイプである場合、前記相対的位置パラメータが前記スケジューリング対象チャネルの占用する開始時間ドメインシンボルと前記ターゲット制御情報が配置されている時間ドメインリソースとの相対的位置を示すためのものである。
【００１１】
第１の態様及びその上記実現形態に合わせて、第１の態様の別の実現形態において、前記ターゲット時間ドメインシンボル位置情報が前記第２のタイプである場合、前記相対的位置パラメータが前記スケジューリング対象チャネルの占用する開始時間ドメインシンボルと前記ターゲット制御情報が配置されている制御リソースセット又はサーチスペースの開始時間ドメインシンボル又は終了時間ドメインシンボルとの相対的位置を示すためのものである。
【００１２】
第１の態様及びその上記実現形態に合わせて、第１の態様の別の実現形態において、前記ターゲット時間ドメインシンボル位置情報が長さパラメータを含み、前記長さパラメータが前記スケジューリング対象チャネルの占用する時間ドメインリソースの長さを示す。
【００１３】
第１の態様及びその上記実現形態に合わせて、第１の態様の別の実現形態において、前記少なくとも１つの時間ドメインシンボル位置情報においてターゲット時間ドメインシンボル位置情報のタイプを決定する前に、前記方法は、前記ネットワーク機器によって送信された前記ターゲット制御情報を受信するステップであって、前記ターゲット制御情報が前記ターゲット時間ドメインシンボル位置情報を指示するためのものであるステップと、前記ターゲット制御情報に基づき、前記ターゲット時間ドメインシンボル位置情報を決定するステップと、をさらに含む。
【００１４】
第１の態様及びその上記実現形態に合わせて、第１の態様の別の実現形態において、前記ターゲット制御情報がタイプパラメータを含み、前記タイプパラメータが前記ターゲット時間ドメインシンボル位置情報のタイプを指示するためのものである。
【００１５】
第１の態様及びその上記実現形態に合わせて、第１の態様の別の実現形態において、前記ターゲット時間ドメインシンボル位置情報がタイプパラメータを含み、前記タイプパラメータが前記ターゲット時間ドメインシンボル位置情報のタイプを指示するためのものである。
【００１６】
第１の態様及びその上記実現形態に合わせて、第１の態様の別の実現形態において、前記リソース構成メッセージが前記少なくとも１つの時間ドメインシンボル位置情報に対応する少なくとも１つの時間スロットレベルオフセットパラメータを含み、前記ターゲット時間ドメインシンボル位置情報がターゲット時間スロットレベルオフセットパラメータに対応し、前記少なくとも１つの時間ドメインシンボル位置情報においてターゲット時間ドメインシンボル位置情報のタイプを決定する前記ステップは、前記ターゲット時間スロットレベルオフセットパラメータに基づき、前記ターゲット時間ドメインシンボル位置情報のタイプを決定するステップを含む。
【００１７】
第１の態様及びその上記実現形態に合わせて、第１の態様の別の実現形態において、前記ターゲット時間スロットレベルオフセットパラメータに基づき、前記ターゲット時間ドメインシンボル位置情報のタイプを決定する前記ステップは、前記ターゲット時間スロットレベルオフセットパラメータが０に等しくない場合、前記ターゲット時間ドメインシンボル位置情報のタイプを前記第１のタイプとして決定するステップ、又は、前記ターゲット時間スロットレベル位置パラメータが０に等しい場合、前記ターゲット時間ドメインシンボル位置情報のタイプを前記第２のタイプとして決定するステップ、を含む。
【００１８】
第１の態様及びその上記実現形態に合わせて、第１の態様の別の実現形態において、前記スケジューリング対象チャネルは、物理アップリンク制御チャネル（ｐｈｙｓｉｃａｌ  ｕｐｌｉｎｋ  ｃｏｎｔｒｏｌ  ｃｈａｎｎｅｌ、ＰＵＣＣＨ）、物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）、物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）やＰＤＳＣＨのいずれか１つである。
【００１９】
第１の態様及びその上記実現形態に合わせて、第１の態様の別の実現形態において、前記リソース構成メッセージは、無線リソース制御（ｒａｄｉｏ  ｒｅｓｏｕｒｃｅ  ｃｏｎｔｒｏｌ、ＲＲＣ）シグナリング又はシステム情報である。
【００２０】
第１の態様及びその上記実現形態に合わせて、第１の態様の別の実現形態において、前記ターゲット制御情報は、前記スケジューリング対象チャネルのダウンリンク制御情報（ｄｏｗｎｌｉｎｋ  ｃｏｎｔｒｏｌ  ｉｎｆｏｒｍａｔｉｏｎ、ＤＣＩ）をスケジューリングするためのものである。
【００２１】
したがって、本願の実施例のチャネル伝送の方法であって、端末機器はネットワーク機器によって送信された少なくとも１つの時間ドメインシンボル位置情報を受信し、異なる時間ドメインシンボル位置情報はスケジューリング対象チャネルの占用する時間ドメインシンボルの異なる位置を指示するためのものであり、端末機器は該少なくとも１つの時間ドメインシンボル位置情報においてターゲット時間ドメインシンボル位置情報及び該ターゲット時間ドメインシンボル位置情報のタイプを決定し、これにより、さらに該ターゲット時間ドメインシンボル位置情報によって指示された位置を決定し、該位置によってスケジューリング対象チャネルを伝送し、ターゲット時間ドメインシンボル位置情報のタイプが異なるため、時間ドメインシンボル位置を指示する方式も異なり、これにより時間ドメインシンボル位置情報に対する２つのタイプの柔軟な指示を実現し、例えば、スケジューリング対象チャネルがダウンリンク制御チャネルに近い場合、相対的ダウンリンク制御チャネルを用いてスケジューリング対象チャネルの開始シンボル位置を指示し、スケジューリング対象チャネルがダウンリンク制御チャネルから遠い場合、相対的スケジューリング対象チャネルが配置されている時間スロット開始位置を用いてスケジューリング対象チャネルの開始シンボル位置を指示することができる。
【００２２】
このように、ダウンリンク制御チャネルが時間スロットのどの位置にあっても、限られた制御シグナリングオーバーヘッドを最大限に利用し、スケジューリング対象チャネルの開始シンボル位置を有効的に指示することができるようになり、これにより、より柔軟で、より効率の高く、より時間遅延の低いデータチャネルリソース配分を実現する。
【００２３】
第２の態様では、チャネル伝送の方法を提供し、該方法は、端末機器にリソース構成メッセージを送信するステップであって、前記リソース構成メッセージが少なくとも１つの時間ドメインシンボル位置情報を含み、前記少なくとも１つの時間ドメインシンボル位置情報における異なる時間ドメインシンボル位置情報が前記端末機器のスケジューリング対象チャネルの占用する開始時間ドメインシンボルの異なる位置を指示するためのものであり、前記少なくとも１つの時間ドメインシンボル位置情報のいずれか１つの時間ドメインシンボル位置情報のタイプが第１のタイプ又は第２のタイプであり、前記第１のタイプの時間ドメインシンボル位置情報が前記スケジューリング対象チャネルの占用する開始時間ドメインシンボルと前記スケジューリング対象チャネルが配置されている時間スロットとの相対的位置を指示するためのものであり、前記第２のタイプの時間ドメインシンボル位置情報が前記スケジューリング対象チャネルの占用する開始時間ドメインシンボルとターゲット制御情報が配置されている時間ドメインリソースとの相対的位置を指示するためのものであるステップと、前記端末機器に前記ターゲット制御情報を送信するステップであって、前記ターゲット制御情報は、前記端末機器が前記少なくとも１つの時間ドメインシンボル位置情報においてターゲット時間ドメインシンボル位置情報を決定するためのものであるステップと、前記ターゲット制御情報によって指示された前記スケジューリング対象チャネルの占用する開始時間ドメインシンボルの位置に基づき、前記端末機器と前記スケジューリング対象チャネルを伝送するステップと、を含む。
【００２４】
したがって、本願の実施例のチャネル伝送の方法であって、ネットワーク機器は端末機器に少なくとも１つの時間ドメインシンボル位置情報を構成し、異なる時間ドメインシンボル位置情報はスケジューリング対象チャネルの占用する時間ドメインシンボルの異なる位置を指示するためのものであり、端末機器に該少なくとも１つの時間ドメインシンボル位置情報においてターゲット時間ドメインシンボル位置情報を指示するための情報を送信することによって、端末機器が該ターゲット時間ドメインシンボル位置情報を決定し、これにより、さらに該ターゲット時間ドメインシンボル位置情報のタイプを決定し、該ターゲット時間ドメインシンボル位置情報によって指示された位置を決定し、これにより該位置によってネットワーク機器とスケジューリング対象チャネルを伝送し、ターゲット時間ドメインシンボル位置情報のタイプが異なるため、時間ドメインシンボル位置を指示する方式も異なり、これにより時間ドメインシンボル位置情報に対する２つのタイプの柔軟な指示を実現し、例えば、スケジューリング対象チャネルがダウンリンク制御チャネルに近い場合、相対的ダウンリンク制御チャネルを用いてスケジューリング対象チャネルの開始シンボル位置を指示し、スケジューリング対象チャネルがダウンリンク制御チャネルから遠い場合、相対的スケジューリング対象チャネルが配置されている時間スロット開始位置を用いてスケジューリング対象チャネルの開始シンボル位置を指示することができる。
【００２５】
このように、ダウンリンク制御チャネルが時間スロットのどの位置にあっても、限られた制御シグナリングオーバーヘッドを最大限に利用し、スケジューリング対象チャネルの開始シンボル位置を有効的に指示することができるようになり、これにより、より柔軟で、より効率の高く、より時間遅延の低いデータチャネルリソース配分を実現する。
【００２６】
第２の態様に合わせて、第２の態様の１つの実現形態において、前記ターゲット時間ドメインシンボル位置情報が相対的位置パラメータを含み、前記ターゲット時間ドメインシンボル位置情報が前記第１のタイプである場合、前記相対的位置パラメータが前記スケジューリング対象チャネルの占用する開始時間ドメインシンボルと前記スケジューリング対象チャネルが配置されている時間スロットの開始時間ドメインシンボルとの相対的位置を示すためのものであり、前記ターゲット時間ドメインシンボル位置情報が前記第２のタイプである場合、前記相対的位置パラメータが前記スケジューリング対象チャネルの占用する開始時間ドメインシンボルと前記ターゲット制御情報が配置されている時間ドメインリソースとの相対的位置を示すためのものである。
【００２７】
第２の態様及びその上記実現形態に合わせて、第２の態様の別の実現形態において、前記ターゲット時間ドメインシンボル位置情報が前記第２のタイプである場合、前記相対的位置パラメータが前記スケジューリング対象チャネルの占用する開始時間ドメインシンボルと前記ターゲット制御情報が配置されている制御リソースセット又はサーチスペースの開始時間ドメインシンボル又は終了時間ドメインシンボルとの相対的位置を示すためのものである。
【００２８】
第２の態様及びその上記実現形態に合わせて、第２の態様の別の実現形態において、前記ターゲット時間ドメインシンボル位置情報が長さパラメータを含み、前記長さパラメータが前記スケジューリング対象チャネルの占用する時間ドメインリソースの長さを示す。
【００２９】
第２の態様及びその上記実現形態に合わせて、第２の態様の別の実現形態において、前記ターゲット時間ドメインシンボル位置情報がタイプパラメータを含み、前記タイプパラメータが前記ターゲット時間ドメインシンボル位置情報のタイプを指示するためのものである。
【００３０】
第２の態様及びその上記実現形態に合わせて、第２の態様の別の実現形態において、前記ターゲット制御情報がタイプパラメータを含み、前記タイプパラメータが前記ターゲット時間ドメインシンボル位置情報のタイプを指示するためのものである。
【００３１】
第２の態様及びその上記実現形態に合わせて、第２の態様の別の実現形態において、前記リソース構成メッセージが前記少なくとも１つの時間ドメインシンボル位置情報に対応する少なくとも１つの時間スロットレベルオフセットパラメータを含み、前記ターゲット時間ドメインシンボル位置情報がターゲット時間スロットレベルオフセットパラメータに対応し、前記ターゲット時間スロットレベルオフセットパラメータが前記ターゲット時間ドメインシンボル位置情報のタイプを指示するためのものである。
【００３２】
第２の態様及びその上記実現形態に合わせて、第２の態様の別の実現形態において、前記ターゲット時間スロットレベルオフセットパラメータが０に等しくない場合、前記ターゲット時間ドメインシンボル位置情報のタイプが前記第１のタイプであり、又は、前記時間ドメインオフセットパラメータが前記既定値以下である場合、前記ターゲット時間ドメインシンボル位置情報のタイプが前記第２のタイプである。
【００３３】
第２の態様及びその上記実現形態に合わせて、第２の態様の別の実現形態において、前記スケジューリング対象チャネルは、ＰＵＣＣＨ、ＰＤＣＣＨ、ＰＵＳＣＨやＰＤＳＣＨのいずれか１つである。
【００３４】
第２の態様及びその上記実現形態に合わせて、第２の態様の別の実現形態において、前記リソース構成メッセージは、ＲＲＣシグナリング又はシステム情報である。
【００３５】
第２の態様及びその上記実現形態に合わせて、第２の態様の別の実現形態において、前記ターゲット制御情報は、前記スケジューリング対象チャネルのＤＣＩをスケジューリングするためのものである。
【００３６】
したがって、本願の実施例のチャネル伝送の方法であって、ネットワーク機器は端末機器に少なくとも１つの時間ドメインシンボル位置情報を構成し、異なる時間ドメインシンボル位置情報はスケジューリング対象チャネルの占用する時間ドメインシンボルの異なる位置を指示するためのものであり、端末機器に該少なくとも１つの時間ドメインシンボル位置情報においてターゲット時間ドメインシンボル位置情報を指示するための情報を送信することによって、端末機器が該ターゲット時間ドメインシンボル位置情報を決定し、これにより、さらに該ターゲット時間ドメインシンボル位置情報のタイプを決定し、該ターゲット時間ドメインシンボル位置情報によって指示された位置を決定し、これにより該位置によってネットワーク機器とスケジューリング対象チャネルを伝送し、ターゲット時間ドメインシンボル位置情報のタイプが異なるため、時間ドメインシンボル位置を指示する方式も異なり、これにより時間ドメインシンボル位置情報に対する２つのタイプの柔軟な指示を実現し、例えば、スケジューリング対象チャネルがダウンリンク制御チャネルに近い場合、相対的ダウンリンク制御チャネルを用いてスケジューリング対象チャネルの開始シンボル位置を指示し、スケジューリング対象チャネルがダウンリンク制御チャネルから遠い場合、相対的スケジューリング対象チャネルが配置されている時間スロット開始位置を用いてスケジューリング対象チャネルの開始シンボル位置を指示することができる。
【００３７】
このように、ダウンリンク制御チャネルが時間スロットのどの位置にあっても、限られた制御シグナリングオーバーヘッドを最大限に利用し、スケジューリング対象チャネルの開始シンボル位置を有効的に指示することができるようになり、これにより、より柔軟で、より効率の高く、より時間遅延の低いデータチャネルリソース配分を実現する。
【００３８】
第３の態様では、端末機器を提供し、上記第１の態様又は第１の態様のいずれか可能な実現形態における方法を実行するためのものである。具体的に、該端末機器は上記第１の態様又は第１の態様のいずれか可能な実現形態における方法を実行するためのユニットを含む。
【００３９】
第４の態様では、ネットワーク機器を提供し、上記第２の態様又は第２の態様のいずれか可能な実現形態における方法を実行するためのものである。具体的に、該ネットワーク機器は上記第２の態様又は第２の態様のいずれか可能な実現形態における方法を実行するためのユニットを含む。
【００４０】
第５の態様では、端末機器を提供し、記憶ユニットとプロセッサを含み、該記憶ユニットが命令を記憶するためのものであり、該プロセッサが該メモリに記憶された命令を実行するためのものであり、かつ該プロセッサが該メモリに記憶された命令を実行する時、該実行により該プロセッサに第１の態様又は第１の態様のいずれか可能な実現形態における方法を実行させる。
【００４１】
第６の態様では、ネットワーク機器を提供し、記憶ユニットとプロセッサを含み、該記憶ユニットが命令を記憶するためのものであり、該プロセッサが該メモリに記憶された命令を実行するためのものであり、かつ該プロセッサが該メモリに記憶された命令を実行する時、該実行により該プロセッサに第２の態様又は第２の態様のいずれか可能な実現形態における方法を実行させる。
【００４２】
第７の態様では、コンピュータ可読媒体を提供し、コンピュータプログラムを記憶するためのものであり、該コンピュータプログラムが第１の態様又は第１の態様のいずれか可能な実現形態における方法を実行するための命令を含む。
【００４３】
第８の態様では、コンピュータ可読媒体を提供し、コンピュータプログラムを記憶するためのものであり、該コンピュータプログラムが第２の態様又は第２の態様のいずれか可能な実現形態における方法を実行するための命令を含む。
【００４４】
第９の態様では、命令を含むコンピュータプログラム製品を提供し、コンピュータが前記コンピュータプログラム製品の前記命令を実行する時、前記コンピュータは上記第１の態様又は第１の態様のいずれか可能な実現形態におけるチャネル伝送の方法を実行する。具体的に、該コンピュータプログラム製品は上記第３の態様の端末機器で実行され得る。
【００４５】
第１０の態様では、命令を含むコンピュータプログラム製品を提供し、コンピュータが前記コンピュータプログラム製品の前記命令を実行する時、前記コンピュータが上記第２の態様又は第２の態様のいずれか可能な実現形態におけるチャネル伝送の方法を実行する。具体的に、該コンピュータプログラム製品は上記第４の態様のネットワーク機器で実行され得る。
【図面の簡単な説明】
【００４６】
【図１】本願の実施例に基づくチャネル伝送の方法のフローチャートである。
【図２】本願の実施例に基づくスケジューリング対象チャネルの占用する開始時間ドメインシンボルの位置の概略図である。
【図３】本願の実施例に基づくスケジューリング対象チャネルの占用する開始時間ドメインシンボルの位置の別の概略図である。
【図４】本願の実施例に基づくスケジューリング対象チャネルの占用する開始時間ドメインシンボルの位置の別の概略図である。
【図５】本願の実施例に基づくスケジューリング対象チャネルの占用する開始時間ドメインシンボルの位置の別の概略図である。
【図６】本願の実施例に基づくチャネル伝送の方法の別のフローチャートである。
【図７】本願の実施例に基づく端末機器の概略ブロック図である。
【図８】本願の実施例に基づくネットワーク機器の概略ブロック図である。
【図９】本願の実施例に基づく端末機器の別の概略ブロック図である。
【図１０】本願の実施例に基づくネットワーク機器の別の概略ブロック図である。
【発明を実施するための形態】
【００４７】
以下、図面に合わせて、本願の実施例における技術的解決手段について説明する。
【００４８】
本願の実施例の技術的解決手段は、グローバルモバイルコミュニケーション（ｇｌｏｂａｌ  ｓｙｓｔｅｍ  ｏｆ  ｍｏｂｉｌｅ  ｃｏｍｍｕｎｉｃａｔｉｏｎ、ＧＳＭＣ）システム、コード分割多重アクセス（ｃｏｄｅ  ｄｉｖｉｓｉｏｎ  ｍｕｌｔｉｐｌｅ  ａｃｃｅｓｓ、ＣＤＭＡ）システム、ワイドバンドコードディビシオンマルチプルアクセス（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ（登録商標））システム、汎用パケット無線サービス（ｇｅｎｅｒａｌ  ｐａｃｋｅｔ  ｒａｄｉｏ  ｓｅｒｖｉｃｅ、ＧＰＲＳ）、ロングタームエボリューション（ｌｏｎｇ  ｔｅｒｍ  ｅｖｏｌｕｔｉｏｎ、ＬＴＥ（登録商標））システム、ＬＴＥ周波数分割デュプレックス（ｆｒｅｑｕｅｎｃｙ  ｄｉｖｉｓｉｏｎ  ｄｕｐｌｅｘ、ＦＤＤ）システム、ＬＴＥ時分割デュプレックス（Ｔｉｍｅ  Ｄｉｖｉｓｉｏｎ  Ｄｕｐｌｅｘ、ＴＤＤ）、汎用モバイル通信システム（ｕｎｉｖｅｒｓａｌ  ｍｏｂｉｌｅ  ｔｅｌｅｃｏｍｍｕｎｉｃａｔｉｏｎ  ｓｙｓｔｅｍ、ＵＭＴＳ）、グローバル相互接続マイクロ波アクセス（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ、ＷｉＭＡＸ）通信システム、未来の第５世代（５ｔｈ  ｇｅｎｅｒａｔｉｏｎ、５Ｇ）システム、又はニューラジオ（ｎｅｗ  ｒａｄｉｏ、ＮＲ）など様々な通信システムに適用できる。
【００４９】
本願の実施例における端末機器は、ユーザ機器、アクセス端末、ユーザユニット、ユーザステーション、モバイルステーション、モバイル局、遠方ステーション、リモート端末、モバイル機器、ユーザ端末、端末、無線通信機器、ユーザエージェント又はユーザ装置のことを指し得る。端末機器はさらに、セルラー電話、コードレス電話、セッション開始プロトコル（ｓｅｓｓｉｏｎ  ｉｎｉｔｉａｔｉｏｎ  ｐｒｏｔｏｃｏｌ、ＳＩＰ）電話、ワイヤレスローカルループ（ｗｉｒｅｌｅｓｓ  ｌｏｃａｌ  ｌｏｏｐ、ＷＬＬ）ステーション、パーソナルデジタルアシスタント（ｐｅｒｓｏｎａｌ  ｄｉｇｉｔａｌ  ａｓｓｉｓｔａｎｔ、ＰＤＡ）、ワイヤレス通信機能付きのハンドヘルド機器、コンピューティング機器又はワイヤレスモデムに接続されたこのほかのプロセッシング機器、車載機器、ウェアラブル機器、未来５Ｇネットワークでの端末機器または未来の進化型公共陸上モバイルネットワーク（ｐｕｂｌｉｃ  ｌａｎｄ  ｍｏｂｉｌｅ  ｎｅｔｗｏｒｋ、ＰＬＭＮ）における端末機器などであってもよく、本願の実施例はこれを限定しない。
【００５０】
本願の実施例におけるネットワーク機器は、端末機器と通信するための機器であってもよく、該ネットワーク機器は、ＧＳＭＣシステム又はＣＤＭＡでの基地局（ｂａｓｅ  ｔｒａｎｓｃｅｉｖｅｒ  ｓｔａｔｉｏｎ、ＢＴＳ）であってもよく、またＷＣＤＭＡシステムでの基地局（ＮｏｄｅＢ、ＮＢ）であってもよく、さらにＬＴＥシステムでの進化型基地局（ｅｖｏｌｕｔｉｏｎａｌ  ＮｏｄｅＢ、ｅＮＢ又はｅＮｏｄｅＢ）であってもよく、さらにクラウド無線アクセスネットワーク（ｃｌｏｕｄ  ｒａｄｉｏ  ａｃｃｅｓｓ  ｎｅｔｗｏｒｋ、ＣＲＡＮ）場合での無線コントローラーであってもよく、または該ネットワーク機器は、中継局、アクセスポイント、車載機器、ウェアラブル機器及び未来５Ｇネットワークでのネットワーク機器または未来の進化型ＰＬＭＮネットワークでのネットワーク機器などであってもよく、本願の実施例ではこれを限定しない。
【００５１】
図１は、本願の実施例に基づくチャネル伝送の方法１００のフローチャートを示しており、該方法１００は端末機器によって実行され得る。図１に示すように、該方法１００は、ネットワーク機器によって送信されたリソース構成メッセージを受信するステップＳ１１０であって、該リソース構成メッセージが少なくとも１つの時間ドメインシンボル位置情報を含み、該少なくとも１つの時間ドメインシンボル位置情報における異なる時間ドメインシンボル位置情報がスケジューリング対象チャネルの開始時間ドメインシンボルの異なる位置を指示するためのものであり、該少なくとも１つの時間ドメインシンボル位置情報のいずれか１つの時間ドメインシンボル位置情報のタイプが第１のタイプ又は第２のタイプであり、該第１のタイプの時間ドメインシンボル位置情報が該スケジューリング対象チャネルの占用する開始時間ドメインシンボルと該スケジューリング対象チャネルが配置されている時間スロットとの相対的位置を指示するためのものであり、該第２のタイプの時間ドメインシンボル位置情報が該スケジューリング対象チャネルの占用する開始時間ドメインシンボルとターゲット制御情報が配置されている時間ドメインリソースとの相対的位置を指示するためのものであるステップＳ１１０と、該少なくとも１つの時間ドメインシンボル位置情報においてターゲット時間ドメインシンボル位置情報のタイプを決定するステップＳ１２０と、該ターゲット時間ドメインシンボル位置情報のタイプに基づき、該ターゲット時間ドメインシンボル位置情報によって指示された該スケジューリング対象チャネルの占用する開始時間ドメインシンボルの位置がターゲット位置であると決定するステップＳ１３０と、該ターゲット位置に基づき、該ネットワーク機器と該スケジューリング対象チャネルを伝送するステップＳ１４０と、を含む。
【００５２】
選択的に、本願の実施例におけるスケジューリング対象チャネルは、ＰＵＣＣＨ、ＰＤＣＣＨ、ＰＵＳＣＨやＰＤＳＣＨのいずれか１つであってもよい。
【００５３】
具体的に、Ｓ１１０において、端末機器はネットワーク機器によって送信されたリソース構成メッセージを受信し、該リソース構成メッセージが少なくとも１つの時間ドメインシンボル位置情報を含み、例えば、該リソース構成メッセージがＲＲＣシグナリング又はシステム情報であってもよく、即ち、端末機器はネットワーク機器によって送信されたＲＲＣシグナリング又はシステム情報を受信し、該ＲＲＣシグナリング又はシステム情報が該少なくとも１つの時間ドメインシンボル位置情報を含む。そのうち、該少なくとも１つの時間ドメインシンボル位置情報において異なる時間ドメインシンボル位置情報が異なる時間ドメイン位置を指示するためのものであり、該異なる時間ドメイン位置がスケジューリング対象チャネルの占用する開始時間ドメインシンボルの可能な位置を示し、かつ該少なくとも１つの時間ドメインシンボル位置情報におけるいずれか１つの時間ドメインシンボル位置情報について、該いずれか１つの時間ドメインシンボル位置情報のタイプが第１のタイプ又は第２のタイプであり、異なるタイプの時間ドメインシンボル位置情報は異なる方式を通じてスケジューリング対象チャネルの占用する開始時間ドメインシンボル位置を指示する。
【００５４】
具体的に、第１のタイプの時間ドメインシンボル位置情報がスケジューリング対象チャネルの占用する開始時間ドメインシンボルと該スケジューリング対象チャネルが配置されている時間スロットとの相対的位置を指示するためのものであり、第２のタイプの時間ドメインシンボル位置情報が該スケジューリング対象チャネルの占用する開始時間ドメインシンボルとターゲット制御情報が配置されている時間ドメインリソースとの相対的位置を指示するためのものである。
【００５５】
本願の実施例におけるターゲット制御情報は、該スケジューリング対象チャネルをスケジューリングするためのダウンリンク制御情報（ｄｏｗｎｌｉｎｋ  ｃｏｎｔｒｏｌ  ｉｎｆｏｒｍａｔｉｏｎ、ＤＣＩ）であってもよいと理解すべきであり、本願の実施例はこれに限定されない。
【００５６】
本願の実施例において、該方法１００は、端末機器が該少なくとも１つの時間ドメインシンボル位置情報においてターゲット時間ドメインシンボル位置情報を決定し、かつＳ１２０において、端末機器が該ターゲット時間ドメインシンボル位置情報のタイプを決定し、即ち、該ターゲット時間ドメインシンボル位置情報が第１のタイプ又は第２のタイプであると決定するステップをさらに含む。
【００５７】
該端末機器は該少なくとも１つの時間ドメインシンボル位置情報においてターゲット時間ドメインシンボル位置情報を決定するステップは、端末機器はネットワーク機器によって送信されたターゲット制御情報を受信するステップであって、該ターゲット制御情報が該ターゲット時間ドメインシンボル位置情報を指示するためのものであり、これにより端末機器は該ターゲット制御情報に基づき、ターゲット時間ドメインシンボル位置情報を決定するステップを含み得ると理解すべきである。具体的に、該ターゲット制御情報に該ターゲット時間ドメインシンボル位置情報の識別子が含まれてもよく、例えば該ターゲット時間ドメインシンボル位置情報の番号が含まれる。該端末機器によって受信された少なくとも１つの時間ドメインシンボル位置情報においてそれぞれの時間ドメインシンボル位置情報はいずれもその独自の番号があり、該端末機器はターゲット制御情報に含まれた番号に基づき、対応するターゲット時間ドメインシンボル位置情報を決定する。
【００５８】
本願の実施例において、端末機器はターゲット時間ドメインシンボル位置情報のタイプを決定するステップは、端末機器はネットワーク機器によって送信されたターゲット制御情報を受信し、該ターゲット制御情報がターゲット時間ドメインシンボル位置情報及び該ターゲット時間ドメインシンボル位置情報のタイプを指示するためのものであるステップを含み得る。
【００５９】
選択的に、端末機器はターゲット時間ドメインシンボル位置情報のタイプを決定するステップはまた、該ターゲット時間ドメインシンボル位置情報がタイプパラメータを含み、端末機器は該タイプパラメータに基づき、該ターゲット時間ドメインシンボル位置情報のタイプを決定するステップを含み得る。例えば、端末機器によって受信された少なくとも１つの時間ドメインシンボル位置情報においてそれぞれの時間ドメインシンボル位置情報がいずれもタイプパラメータを含み、該タイプパラメータが対応する時間ドメインシンボル位置情報のタイプを指示するためのものであり、即ち、ターゲット時間ドメインシンボル位置情報に含まれたタイプパラメータが該ターゲット時間ドメインシンボル位置情報のタイプを指示するためのものである。
【００６０】
選択的に、端末機器はターゲット時間ドメインシンボル位置情報のタイプを決定するのはさらに、既定の規則に基づいて該ターゲット時間ドメインシンボル位置情報のタイプを決定するステップを含み得る。具体的に、端末機器はネットワーク機器によって送信されたリソース構成メッセージを受信し、該リソース構成メッセージが少なくとも１つの時間ドメインシンボル位置情報を含み、該少なくとも１つの時間ドメインシンボル位置情報に対応する少なくとも１つの時間スロットレベルオフセットパラメータをさらに含み、それぞれの時間スロットレベルオフセットパラメータが対応する時間ドメインシンボル位置情報のタイプを指示するためのものであり、例えば、該ターゲット時間ドメインシンボル位置情報に対応するターゲット時間スロットレベルオフセットパラメータが該ターゲット時間ドメインシンボル位置情報のタイプを指示するためのものである。
【００６１】
具体的に、端末機器は既定の規則に基づいてターゲット時間ドメインシンボル位置情報のタイプを決定し、既定の規則は、端末機器が該ターゲット時間スロットレベルオフセットパラメータに基づき、ターゲット時間ドメインシンボル位置情報のタイプを決定することであってもよい。具体的に、該ターゲット時間スロットレベルオフセットパラメータが０に等しくない場合、該ターゲット時間ドメインシンボル位置情報のタイプが第１のタイプであり、該ターゲット時間スロットレベルオフセットパラメータが０に等しい場合、該ターゲット時間ドメインシンボル位置情報のタイプが第２のタイプであるが、本願の実施例はこれに限定されない。
【００６２】
本願の実施例において、該ターゲット時間ドメインシンボル位置情報のタイプに基づき、該ターゲット時間ドメインシンボル位置情報によって指示された位置を決定する。具体的に、該ターゲット時間ドメインシンボル位置情報が該少なくとも１つの時間ドメインシンボル位置情報における任意の１つの時間ドメインシンボル位置情報である可能性があり、該ターゲット時間ドメインシンボル位置情報に相対的位置パラメータが含まれ、該ターゲット時間ドメインシンボル位置情報のタイプが第１のタイプ又は第２のタイプであってもよく、対応的に、該ターゲット時間ドメインシンボル位置情報における相対的位置パラメータも異なる意味を示す。
【００６３】
選択的に、１つの実施例として、該ターゲット時間ドメインシンボル位置情報が第１のタイプの時間ドメインシンボル位置情報である場合、即ち、該ターゲット時間ドメインシンボル位置情報がスケジューリング対象チャネルの占用する開始時間ドメインシンボルと該スケジューリング対象チャネルが配置されている時間スロットとの相対的位置を指示するためのものである場合、該ターゲット時間ドメインシンボル位置情報における相対的位置パラメータは該スケジューリング対象チャネルの占用する開始時間ドメインシンボルと該スケジューリング対象チャネルが配置されている時間スロットの開始時間ドメインシンボルとの相対的位置を示すことができる。
【００６４】
具体的に、図２を例として、１つの時間スロットについて、該時間スロットは１４つの時間ドメインシンボルを含み、該時間ドメインシンボルが直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルであってもよく、ダウンリンク制御チャネルが時間スロットのどの位置にあるかは事前に知らないため、一般的に該時間スロット内に可能な開始シンボル位置をできるだけ均一的に分布する。例えば、図２のクロスラインブロックの４つの位置がそれぞれ０、４、８及び１２番目の時間ドメインシンボルの位置であり、この４つの位置と該時間スロットの開始時間ドメインシンボル位置との相対的位置がそれぞれ０、４、８及び１２であると、４つの第１のタイプの時間ドメインシンボル位置情報によって該４つの位置をスケジューリング対象チャネルの占用する開始時間ドメインシンボルの位置とするとそれぞれ指示することができる。例えば、該ターゲット時間ドメインシンボル位置情報が第１のタイプであり、かつ該ターゲット時間ドメインシンボル位置情報によってスケジューリング対象チャネルの占用する開始時間ドメインシンボルの位置が図２における時間ドメインシンボル４であると示された場合、該ターゲット時間ドメインシンボル位置情報における相対的位置パラメータは該スケジューリング対象チャネルの占用する開始時間ドメインシンボルと時間スロットの開始時間ドメインシンボルとの相対的位置、即ち、４つの時間ドメインシンボルを示す。
【００６５】
第１のタイプの時間ドメインシンボル位置情報を用いることについて、ダウンリンク制御チャネル（例えばＰＤＣＣＨ）の位置は事前に知らないため、該ＰＤＣＣＨが図２に示すような時間ドメインシンボル５の位置にあると仮定すると、スケジューリング対象チャネルの占用する開始シンボル位置は一般的に該ＰＤＣＣＨに最も近い位置、即ち、時間ドメインシンボル８を選択する。しかし、このような選択であっても、両者の間に依然として２つの時間ドメインシンボルの間隔があり、これはスケジューリング対象チャネルが該ＰＤＣＣＨに密接して伝送されることができなくなるようにさせ、これにより低遅延のスケジューリングを実現できない。
【００６６】
選択的に、１つの実施例として、該ターゲット時間ドメインシンボル位置情報が第２のタイプの時間ドメインシンボル位置情報であり、即ち、該ターゲット時間ドメインシンボル位置情報が該スケジューリング対象チャネルの占用する開始時間ドメインシンボルとターゲット制御情報が配置されている時間ドメインリソースとの相対的位置を指示するためのものである場合、該ターゲット時間ドメインシンボル位置情報における相対的位置パラメータは該スケジューリング対象チャネルの占用する開始時間ドメインシンボルと該ターゲット制御情報が配置されている時間ドメインリソースとの相対的位置を示すことができる。選択的に、該ターゲット時間ドメインシンボル位置情報における相対的位置パラメータはまた、スケジューリング対象チャネルの占用する開始時間ドメインシンボルと該ターゲット制御情報が配置されている制御リソースセット又はサーチスペースの開始時間ドメインシンボル又は終了時間ドメインシンボルとの相対的位置を示すことができる。
【００６７】
具体的に、図３を例として、同じように１４つの時間ドメインシンボルを含む１つの時間スロットであって、該時間ドメインシンボルはＯＦＤＭシンボルであってもよく、ターゲット制御情報が載せられたダウンリンク制御チャネル、例えばＰＤＣＣＨは、任意の位置にあってもよく、該ＰＤＣＣＨ位置を決定した後、該ＰＤＣＣＨの位置の後にある任意の位置にスケジューリング対象チャネルの開始シンボルを設置してもよく、例えば、図３ではＰＤＣＣＨが時間ドメインシンボル４にあり、その後にある時間ドメインシンボル５、６、７及び１２はスケジューリング対象チャネルの開始時間ドメインシンボルの可能な位置として設定されてもよく、この４つの位置とＰＤＣＣＨが占用する時間ドメインシンボルとの相対的位置がそれぞれ１、２、３及び７であると、４つの第２のタイプの時間ドメインシンボル位置情報によって該４つの位置をそれぞれスケジューリング対象チャネルの占用する開始時間ドメインシンボルの位置とするとそれぞれ指示することができる。例えば、該ターゲット時間ドメインシンボル位置情報が第２のタイプであり、かつ該ターゲット時間ドメインシンボル位置情報によってスケジューリング対象チャネルの占用する開始時間ドメインシンボルの位置が図３における時間ドメインシンボル６であると示される場合、該ターゲット時間ドメインシンボル位置情報における相対的位置パラメータは該スケジューリング対象チャネルの占用する開始時間ドメインシンボルとターゲット制御情報（即ち、ＰＤＣＣＨ）の占用する開始時間ドメインシンボルとの相対的位置、即ち、２つの時間ドメインシンボルを示す。
【００６８】
該ターゲット時間ドメインシンボル位置情報が第２のタイプである場合、該ターゲット時間ドメインシンボル位置情報における相対的位置パラメータはまた、スケジューリング対象チャネルの占用する開始時間ドメインシンボルとターゲット制御情報が配置されている制御リソースセット又はサーチスペースとの相対的位置を示すことができ、例えば、該制御リソースセット又はサーチスペースの開始又は終了位置を基準とすることができると理解すべきである。
【００６９】
選択的に、図４を例として、スケジューリング対象チャネルの占用する開始時間ドメインシンボルが図４におけるクロスラインブロックに示すように、ターゲット制御情報が配置されている制御リソースセット又はサーチスペースが占用する時間ドメインリソースが図４に示すような点線ブロックである場合、対応的に、図４に示すように、ターゲット時間ドメインシンボル位置情報における相対的位置パラメータはスケジューリング対象チャネルの占用する開始時間ドメインシンボルとターゲット制御情報が配置されている制御リソースセット又はサーチスペースの開始時間ドメインシンボルとの相対的位置を示すことができる。
【００７０】
選択的に、図５を例として、スケジューリング対象チャネルの占用する開始時間ドメインシンボルが図５におけるクロスラインブロックに示すように、ターゲット制御情報が配置されている制御リソースセット又はサーチスペースの占用する時間ドメインリソースが図５に示すような点線ブロックである場合、対応的に、図５に示すように、ターゲット時間ドメインシンボル位置情報における相対的位置パラメータはスケジューリング対象チャネルの占用する開始時間ドメインシンボルとターゲット制御情報が配置されている制御リソースセット又はサーチスペースの終了時間ドメインシンボルとの相対的位置を示すことができる。
【００７１】
しかし、ターゲット時間ドメインシンボル位置情報に対して第２のタイプを用いると、ＰＤＣＣＨから遠く離れているチャネルを有効的にスケジューリングすることができず、例えば、スケジューリング対象チャネル開始シンボルとＰＤＣＣＨとの距離は１つの時間スロットを超える場合、このような方式によって指示すると第２のタイプの時間ドメインシンボル位置情報のオーバーヘッドが急激に増加するため、スケジューリング対象チャネルとＰＤＣＣＨとの距離が相対的近い場合にこのような方式を使用するのは一般的である。
【００７２】
本願の実施例における少なくとも１つの時間ドメインシンボル位置情報においてそれぞれの時間ドメインシンボル位置情報はまた、長さパラメータを含み得て、例えば、ターゲット時間ドメインシンボル位置情報に長さパラメータが含まれており、該長さパラメータはスケジューリング対象チャネルの占用する時間ドメインリソースの長さ、例えば該スケジューリング対象チャネルの占用する時間ドメインシンボルの個数を示すことができ、しかし本願の実施例はこれに限定されないと理解すべきである。
【００７３】
本願の実施例においてスケジューリング対象チャネルの占用する時間ドメインリソースは連続的なものであってもよく、即ち、１つの又は複数の連続する時間ドメインシンボルであってもよく、または、該スケジューリング対象チャネルの占用する時間ドメインリソースはまた、非連続的なものであってもよく、例えば、関連するアルゴリズムによってスケジューリング対象チャネルの占用する時間ドメインリソースにおいてそれぞれの時間ドメインシンボルの位置を決定することができ、本願の実施例はこれに限定されないと理解すべきである。
【００７４】
Ｓ１３０において、端末機器は該ターゲット時間ドメインシンボル位置情報のタイプに基づき、該ターゲット時間ドメインシンボル位置情報によって指示された位置がターゲット位置であると決定し、該ターゲット位置が該スケジューリング対象チャネルの占用する開始時間ドメインシンボルの位置であり、Ｓ１４０において、端末機器は該ターゲット位置に基づき、該ネットワーク機器と該スケジューリング対象チャネルを伝送する。
【００７５】
したがって、本願の実施例におけるチャネル伝送の方法であって、端末機器はネットワーク機器によって送信された少なくとも１つの時間ドメインシンボル位置情報を受信し、異なる時間ドメインシンボル位置情報はスケジューリング対象チャネルの占用する時間ドメインシンボルの異なる位置を指示するためのものであり、端末機器は該少なくとも１つの時間ドメインシンボル位置情報においてターゲット時間ドメインシンボル位置情報及び該ターゲット時間ドメインシンボル位置情報のタイプを決定し、これにより、さらに該ターゲット時間ドメインシンボル位置情報によって指示された位置を決定し、該位置によってスケジューリング対象チャネルを伝送し、ターゲット時間ドメインシンボル位置情報のタイプが異なるため、時間ドメインシンボル位置を指示する方式も異なり、これにより時間ドメインシンボル位置情報に対する２つのタイプの柔軟な指示を実現し、例えば、スケジューリング対象チャネルがダウンリンク制御チャネルに近い場合、相対的ダウンリンク制御チャネルを用いてスケジューリング対象チャネルの開始シンボル位置を指示し、スケジューリング対象チャネルがダウンリンク制御チャネルから遠い場合、相対的スケジューリング対象チャネルが配置されている時間スロット開始位置を用いてスケジューリング対象チャネルの開始シンボル位置を指示することができる。
【００７６】
このように、ダウンリンク制御チャネルが時間スロットのどの位置にあっても、限られた制御シグナリングオーバーヘッドを最大限に利用し、スケジューリング対象チャネルの開始シンボル位置を有効的に指示することができるようになり、これにより、より柔軟で、より効率の高く、より時間遅延の低いデータチャネルリソース配分を実現する。
【００７７】
以上は図１〜図５に合わせて、端末機器の観点から本願の実施例に基づくチャネル伝送の方法を詳細に説明したが、以下は図６にあわせて、ネットワーク機器の観点から本願の実施例に基づくチャネル伝送の方法を説明する。
【００７８】
図６は、本願の実施例に基づくチャネル伝送の方法２００のフローチャートを示しており、該方法２００はネットワーク機器によって実行されることができる。図６に示すように、該方法２００は、端末機器にリソース構成メッセージを送信するステップＳ２１０であって、該リソース構成メッセージが少なくとも１つの時間ドメインシンボル位置情報を含み、該少なくとも１つの時間ドメインシンボル位置情報における異なる時間ドメインシンボル位置情報が該端末機器のスケジューリング対象チャネルの占用する開始時間ドメインシンボルの異なる位置を指示するためのものであり、該少なくとも１つの時間ドメインシンボル位置情報のいずれか１つの時間ドメインシンボル位置情報のタイプが第１のタイプ又は第２のタイプであり、該第１のタイプの時間ドメインシンボル位置情報が該スケジューリング対象チャネルの占用する開始時間ドメインシンボルと該スケジューリング対象チャネルが配置されている時間スロットとの相対的位置を指示するためのものであり、該第２のタイプの時間ドメインシンボル位置情報が該スケジューリング対象チャネルの占用する開始時間ドメインシンボルとターゲット制御情報が配置されている時間ドメインリソースとの相対的位置を指示するためのものであるステップＳ２１０と、該端末機器に該ターゲット制御情報を送信するステップＳ２２０であって、該ターゲット制御情報は該端末機器が該少なくとも１つの時間ドメインシンボル位置情報においてターゲット時間ドメインシンボル位置情報を決定するためのものであるステップＳ２２０と、該ターゲット制御情報によって指示された該スケジューリング対象チャネルの占用する開始時間ドメインシンボルの位置に基づき、該端末機器と該スケジューリング対象チャネルを伝送するステップＳ２３０と、を含む。
【００７９】
したがって、本願の実施例のチャネル伝送の方法であって、ネットワーク機器は端末機器に少なくとも１つの時間ドメインシンボル位置情報を構成し、異なる時間ドメインシンボル位置情報はスケジューリング対象チャネルの占用する時間ドメインシンボルの異なる位置を指示するためのものであり、端末機器に該少なくとも１つの時間ドメインシンボル位置情報においてターゲット時間ドメインシンボル位置情報を指示するための情報を送信することによって、端末機器が該ターゲット時間ドメインシンボル位置情報を決定し、これにより、さらに該ターゲット時間ドメインシンボル位置情報のタイプを決定し、該ターゲット時間ドメインシンボル位置情報によって指示された位置を決定し、これにより該位置によってネットワーク機器とスケジューリング対象チャネルを伝送し、ターゲット時間ドメインシンボル位置情報のタイプが異なるため、時間ドメインシンボル位置を指示する方式も異なり、これにより時間ドメインシンボル位置情報に対する２つのタイプの柔軟な指示を実現し、例えば、スケジューリング対象チャネルがダウンリンク制御チャネルに近い場合、相対的ダウンリンク制御チャネルを用いてスケジューリング対象チャネルの開始シンボル位置を指示し、スケジューリング対象チャネルがダウンリンク制御チャネルから遠い場合、相対的スケジューリング対象チャネルが配置されている時間スロット開始位置を用いてスケジューリング対象チャネルの開始シンボル位置を指示することができる。
【００８０】
このように、ダウンリンク制御チャネルが時間スロットのどの位置にあっても、限られた制御シグナリングオーバーヘッドを最大限に利用し、スケジューリング対象チャネルの開始シンボル位置を有効的に指示することができるようになり、これにより、より柔軟で、より効率の高く、より時間遅延の低いデータチャネルリソース配分を実現する。
【００８１】
選択的に、該ターゲット時間ドメインシンボル位置情報が相対的位置パラメータを含み、該ターゲット時間ドメインシンボル位置情報が該第１のタイプである場合、該相対的位置パラメータが該スケジューリング対象チャネルの占用する開始時間ドメインシンボルと該スケジューリング対象チャネルが配置されている時間スロットの開始時間ドメインシンボルとの相対的位置を示すためのものであり、該ターゲット時間ドメインシンボル位置情報が該第２のタイプである場合、該相対的位置パラメータが該スケジューリング対象チャネルの占用する開始時間ドメインシンボルと該ターゲット制御情報が配置されている時間ドメインリソースとの相対的位置を示すためのものである。
【００８２】
選択的に、該ターゲット時間ドメインシンボル位置情報が該第２のタイプである場合、該相対的位置パラメータが該スケジューリング対象チャネルの占用する開始時間ドメインシンボルと該ターゲット制御情報が配置されている制御リソースセット又はサーチスペースの開始時間ドメインシンボル又は終了時間ドメインシンボルとの相対的位置を示すためのものである。
【００８３】
選択的に、該ターゲット時間ドメインシンボル位置情報が長さパラメータを含み、該長さパラメータが該スケジューリング対象チャネルの占用する時間ドメインリソースの長さを示す。
【００８４】
選択的に、該ターゲット時間ドメインシンボル位置情報がタイプパラメータを含み、該タイプパラメータが該ターゲット時間ドメインシンボル位置情報のタイプを指示するためのものである。
【００８５】
選択的に、該ターゲット制御情報がタイプパラメータを含み、該タイプパラメータが該ターゲット時間ドメインシンボル位置情報のタイプを指示するためのものである。
【００８６】
選択的に、該リソース構成メッセージが該少なくとも１つの時間ドメインシンボル位置情報に対応する少なくとも１つの時間スロットレベルオフセットパラメータを含み、該ターゲット時間ドメインシンボル位置情報がターゲット時間スロットレベルオフセットパラメータに対応し、該ターゲット時間スロットレベルオフセットパラメータが該ターゲット時間ドメインシンボル位置情報のタイプを指示するためのものである。
【００８７】
選択的に、該ターゲット時間スロットレベルオフセットパラメータが０に等しくない場合、該ターゲット時間ドメインシンボル位置情報のタイプが該第１のタイプであり、又は、該時間ドメインオフセットパラメータが該既定値以下である場合、該ターゲット時間ドメインシンボル位置情報のタイプが該第２のタイプである。
【００８８】
選択的に、該スケジューリング対象チャネルは、ＰＵＣＣＨ、ＰＤＣＣＨ、ＰＵＳＣＨやＰＤＳＣＨのいずれか１つである。
【００８９】
選択的に、該リソース構成メッセージは、ＲＲＣシグナリング又はシステム情報である。
【００９０】
選択的に、該ターゲット制御情報は、該スケジューリング対象チャネルをスケジューリングするためのＤＣＩである。
【００９１】
該方法２００におけるネットワーク機器は本願の実施例における方法１００におけるネットワーク機器に対応してもよく、該方法２００における端末機器は本願の実施例における方法１００における端末機器に対応してもよく、ここでは繰り返して説明しないと理解すべきである。
【００９２】
したがって、本願の実施例のチャネル伝送の方法であって、ネットワーク機器は端末機器に少なくとも１つの時間ドメインシンボル位置情報を構成し、異なる時間ドメインシンボル位置情報はスケジューリング対象チャネルの占用する時間ドメインシンボルの異なる位置を指示するためのものであり、端末機器に該少なくとも１つの時間ドメインシンボル位置情報においてターゲット時間ドメインシンボル位置情報を指示するための情報を送信することによって、端末機器が該ターゲット時間ドメインシンボル位置情報を決定し、これにより、さらに該ターゲット時間ドメインシンボル位置情報のタイプを決定し、該ターゲット時間ドメインシンボル位置情報によって指示された位置を決定し、これにより該位置によってネットワーク機器とスケジューリング対象チャネルを伝送し、ターゲット時間ドメインシンボル位置情報のタイプが異なるため、時間ドメインシンボル位置を指示する方式も異なり、これにより時間ドメインシンボル位置情報に対する２つのタイプの柔軟な指示を実現し、例えば、スケジューリング対象チャネルがダウンリンク制御チャネルに近い場合、相対的ダウンリンク制御チャネルを用いてスケジューリング対象チャネルの開始シンボル位置を指示し、スケジューリング対象チャネルがダウンリンク制御チャネルから遠い場合、相対的スケジューリング対象チャネルが配置されている時間スロット開始位置を用いてスケジューリング対象チャネルの開始シンボル位置を指示することができる。
【００９３】
このように、ダウンリンク制御チャネルが時間スロットのどの位置にあっても、限られた制御シグナリングオーバーヘッドを最大限に利用し、スケジューリング対象チャネルの開始シンボル位置を有効的に指示することができるようになり、これにより、より柔軟で、より効率の高く、より時間遅延の低いデータチャネルリソース配分を実現する。
【００９４】
本願の様々な実施例において、上記各プロセスのシリアルナンバーの大きさは実行される順序と意味しておらず、各プロセスの実行される順序はその機能と内部ロジックによって決定されるべきであり、本願の実施例の実施プロセスを如何なる限定を構成しているべきではないと理解すべきである。
【００９５】
なお、本明細書の「及び／又は」という用語は、関連するオブジェクトを説明する関連関係にすぎず、３つの関係が存在してもよいと示し、例えば、Ａ及び／又はＢは、Ａが単独で存在する状況、ＡとＢが同時に存在する状況、Ｂが単独で存在する状況という３つの状況を示すことができる。なお、本明細書では「／」というキャラクターは一般的に、前後の関連するオブジェクトが「又は」という関係であると示す。
【００９６】
以上は図１〜図６に合わせて、本願の実施例に基づくチャネル伝送の方法を詳細に説明したが、以下は図７〜図１０に合わせて、本願の実施例に基づく端末機器及びネットワーク機器を説明する。
【００９７】
図７に示すように、本願の実施例に基づく端末機器３００は、トランシーバユニット３１０と決定ユニット３２０を含む。具体的に、該トランシーバユニット３１０は、ネットワーク機器によって送信されたリソース構成メッセージを受信するためのものであり、該リソース構成メッセージが少なくとも１つの時間ドメインシンボル位置情報を含み、該少なくとも１つの時間ドメインシンボル位置情報における異なる時間ドメインシンボル位置情報はスケジューリング対象チャネルの占用する開始時間ドメインシンボルの異なる位置を指示するためのものであり、該少なくとも１つの時間ドメインシンボル位置情報のいずれか１つの時間ドメインシンボル位置情報のタイプが第１のタイプ又は第２のタイプであり、該第１のタイプの時間ドメインシンボル位置情報が該スケジューリング対象チャネルの占用する開始時間ドメインシンボルと該スケジューリング対象チャネルが配置されている時間スロットとの相対的位置を指示するためのものであり、該第２のタイプの時間ドメインシンボル位置情報が該スケジューリング対象チャネルの占用する開始時間ドメインシンボルとターゲット制御情報が配置されている時間ドメインリソースとの相対的位置を指示するためのものであり、該決定ユニット３２０は、該少なくとも１つの時間ドメインシンボル位置情報においてターゲット時間ドメインシンボル位置情報のタイプを決定するためのものであり、該決定ユニット３２０は、該ターゲット時間ドメインシンボル位置情報のタイプに基づき、該ターゲット時間ドメインシンボル位置情報によって指示された該スケジューリング対象チャネルの占用する開始時間ドメインシンボルの位置がターゲット位置であると決定するためのものであり、該トランシーバユニット３１０は、該ターゲット位置に基づき、該ネットワーク機器と該スケジューリング対象チャネルを伝送するためのものである。
【００９８】
選択的に、該ターゲット時間ドメインシンボル位置情報が相対的位置パラメータを含み、該ターゲット時間ドメインシンボル位置情報が該第１のタイプである場合、該相対的位置パラメータが該スケジューリング対象チャネルの占用する開始時間ドメインシンボルと該スケジューリング対象チャネルが配置されている時間スロットの開始時間ドメインシンボルとの相対的位置を示すためのものであり、該ターゲット時間ドメインシンボル位置情報が該第２のタイプである場合、該相対的位置パラメータが該スケジューリング対象チャネルの占用する開始時間ドメインシンボルと該ターゲット制御情報が配置されている時間ドメインリソースとの相対的位置を示すためのものである。
【００９９】
選択的に、該ターゲット時間ドメインシンボル位置情報が該第２のタイプである場合、該相対的位置パラメータが該スケジューリング対象チャネルの占用する開始時間ドメインシンボルと該ターゲット制御情報が配置されている制御リソースセット又はサーチスペースの開始時間ドメインシンボル又は終了時間ドメインシンボルとの相対的位置を示すためのものである。
【０１００】
選択的に、該ターゲット時間ドメインシンボル位置情報が長さパラメータを含み、該長さパラメータが該スケジューリング対象チャネルの占用する時間ドメインリソースの長さを示す。
【０１０１】
選択的に、該トランシーバユニット３１０は具体的に、該決定ユニット３２０が該少なくとも１つの時間ドメインシンボル位置情報においてターゲット時間ドメインシンボル位置情報のタイプを決定する前に、該ネットワーク機器によって送信された該ターゲット制御情報を受信するために使用され、該ターゲット制御情報が該ターゲット時間ドメインシンボル位置情報を指示するためのものであり、該決定ユニット３２０は具体的に、該ターゲット制御情報に基づき、該ターゲット時間ドメインシンボル位置情報を決定するために使用される。
【０１０２】
選択的に、該ターゲット制御情報がタイプパラメータを含み、該タイプパラメータが該ターゲット時間ドメインシンボル位置情報のタイプを指示するためのものである。
【０１０３】
選択的に、該ターゲット時間ドメインシンボル位置情報がタイプパラメータを含み、該タイプパラメータが該ターゲット時間ドメインシンボル位置情報のタイプを指示するためのものである。
【０１０４】
選択的に、該リソース構成メッセージが該少なくとも１つの時間ドメインシンボル位置情報に対応する少なくとも１つの時間スロットレベルオフセットパラメータを含み、該ターゲット時間ドメインシンボル位置情報がターゲット時間スロットレベルオフセットパラメータに対応し、該決定ユニット３２０は具体的に、該ターゲット時間スロットレベルオフセットパラメータに基づき、該ターゲット時間ドメインシンボル位置情報のタイプを決定するために使用される。
【０１０５】
選択的に、該決定ユニット３２０は具体的に、該ターゲット時間スロットレベルオフセットパラメータが０に等しくない場合、該ターゲット時間ドメインシンボル位置情報のタイプを該第１のタイプとして決定する、又は、該ターゲット時間スロットレベル位置パラメータが０に等しい場合、該ターゲット時間ドメインシンボル位置情報のタイプを該第２のタイプとして決定するために使用される。
【０１０６】
選択的に、該スケジューリング対象チャネルは、ＰＵＣＣＨ、ＰＤＣＣＨ、ＰＵＳＣＨやＰＤＳＣＨのいずれか１つである。
【０１０７】
選択的に、該リソース構成メッセージは、ＲＲＣシグナリング又はシステム情報である。
【０１０８】
選択的に、該ターゲット制御情報は、該スケジューリング対象チャネルをスケジューリングするためのダウンリンク制御情報ＤＣＩである。
【０１０９】
本願の実施例に基づく端末機器３００は本願の実施例における方法１００を対応的に実行してもよく、かつ端末機器３００における各ユニットの上記と他の操作及び／又は機能はそれぞれ図１〜図６における各方法の端末機器の対応するフローを実現するためのものであると理解すべきであり、簡潔のため、ここでは繰り返して説明しない。
【０１１０】
したがって、本願の実施例の端末機器はネットワーク機器によって送信された少なくとも１つの時間ドメインシンボル位置情報を受信し、異なる時間ドメインシンボル位置情報はスケジューリング対象チャネルの占用する時間ドメインシンボルの異なる位置を指示するためのものであり、端末機器は該少なくとも１つの時間ドメインシンボル位置情報においてターゲット時間ドメインシンボル位置情報及び該ターゲット時間ドメインシンボル位置情報のタイプを決定し、これにより、さらに該ターゲット時間ドメインシンボル位置情報によって指示された位置を決定し、該位置によってスケジューリング対象チャネルを伝送し、ターゲット時間ドメインシンボル位置情報のタイプが異なるため、時間ドメインシンボル位置を指示する方式も異なり、これにより時間ドメインシンボル位置情報に対する２つのタイプの柔軟な指示を実現し、例えば、スケジューリング対象チャネルがダウンリンク制御チャネルに近い場合、相対的ダウンリンク制御チャネルを用いてスケジューリング対象チャネルの開始シンボル位置を指示し、スケジューリング対象チャネルがダウンリンク制御チャネルから遠い場合、相対的スケジューリング対象チャネルが配置されている時間スロット開始位置を用いてスケジューリング対象チャネルの開始シンボル位置を指示することができる。
【０１１１】
このように、ダウンリンク制御チャネルが時間スロットのどの位置にあっても、限られた制御シグナリングオーバーヘッドを最大限に利用し、スケジューリング対象チャネルの開始シンボル位置を有効的に指示することができるようになり、これにより、より柔軟で、より効率の高く、より時間遅延の低いデータチャネルリソース配分を実現する。
【０１１２】
図８に示すように、本願の実施例に基づくネットワーク機器４００は、トランシーバユニット４１０を含む。具体的に、該トランシーバユニット４１０は、端末機器にリソース構成メッセージを送信することであって、該リソース構成メッセージが少なくとも１つの時間ドメインシンボル位置情報を含み、該少なくとも１つの時間ドメインシンボル位置情報における異なる時間ドメインシンボル位置情報が該端末機器のスケジューリング対象チャネルの占用する開始時間ドメインシンボルの異なる位置を指示するためのものであり、該少なくとも１つの時間ドメインシンボル位置情報のいずれか１つの時間ドメインシンボル位置情報のタイプが第１のタイプ又は第２のタイプであり、該第１のタイプの時間ドメインシンボル位置情報が該スケジューリング対象チャネルの占用する開始時間ドメインシンボルと該スケジューリング対象チャネルが配置されている時間スロットとの相対的位置を指示するためのものであり、該第２のタイプの時間ドメインシンボル位置情報が該スケジューリング対象チャネルの占用する開始時間ドメインシンボルとターゲット制御情報が配置されている時間ドメインリソースとの相対的位置を指示するためのものであること、該端末機器に該ターゲット制御情報を送信することであって、該ターゲット制御情報は該端末機器が該少なくとも１つの時間ドメインシンボル位置情報においてターゲット時間ドメインシンボル位置情報を決定するためのものであること、及び該ターゲット制御情報によって指示された該スケジューリング対象チャネルの占用する開始時間ドメインシンボルの位置に基づき、該端末機器と該スケジューリング対象チャネルを伝送すること、に用いられる。
【０１１３】
選択的に、該ターゲット時間ドメインシンボル位置情報が相対的位置パラメータを含み、該ターゲット時間ドメインシンボル位置情報が該第１のタイプである場合、該相対的位置パラメータが該スケジューリング対象チャネルの占用する開始時間ドメインシンボルと該スケジューリング対象チャネルが配置されている時間スロットの開始時間ドメインシンボルとの相対的位置を示すためのものであり、該ターゲット時間ドメインシンボル位置情報が該第２のタイプである場合、該相対的位置パラメータが該スケジューリング対象チャネルの占用する開始時間ドメインシンボルと該ターゲット制御情報が配置されている時間ドメインリソースとの相対的位置を示すためのものである。
【０１１４】
選択的に、該ターゲット時間ドメインシンボル位置情報が該第２のタイプである場合、該相対的位置パラメータが該スケジューリング対象チャネルの占用する開始時間ドメインシンボルと該ターゲット制御情報が配置されている制御リソースセット又はサーチスペースの開始時間ドメインシンボル又は終了時間ドメインシンボルとの相対的位置を示すためのものである。
【０１１５】
選択的に、該ターゲット時間ドメインシンボル位置情報が長さパラメータを含み、該長さパラメータが該スケジューリング対象チャネルの占用する時間ドメインリソースの長さを示す。
【０１１６】
選択的に、該ターゲット時間ドメインシンボル位置情報がタイプパラメータを含み、該タイプパラメータが該ターゲット時間ドメインシンボル位置情報のタイプを指示するためのものである。
【０１１７】
選択的に、該ターゲット制御情報がタイプパラメータを含み、該タイプパラメータが該ターゲット時間ドメインシンボル位置情報のタイプを指示するためのものである。
【０１１８】
選択的に、該リソース構成メッセージが該少なくとも１つの時間ドメインシンボル位置情報に対応する少なくとも１つの時間スロットレベルオフセットパラメータを含み、該ターゲット時間ドメインシンボル位置情報がターゲット時間スロットレベルオフセットパラメータに対応し、該ターゲット時間スロットレベルオフセットパラメータが該ターゲット時間ドメインシンボル位置情報のタイプを指示するためのものである。
【０１１９】
選択的に、該ターゲット時間スロットレベルオフセットパラメータが０に等しくない場合、該ターゲット時間ドメインシンボル位置情報のタイプが該第１のタイプであり、又は、該時間ドメインオフセットパラメータが該既定値以下である場合、該ターゲット時間ドメインシンボル位置情報のタイプが該第２のタイプである。
【０１２０】
選択的に、該スケジューリング対象チャネルは、ＰＵＣＣＨ、ＰＤＣＣＨ、ＰＵＳＣＨやＰＤＳＣＨのいずれか１つである。
【０１２１】
選択的に、該リソース構成メッセージは、ＲＲＣシグナリング又はシステム情報である。
【０１２２】
選択的に、該ターゲット制御情報は、該スケジューリング対象チャネルをスケジューリングするためのＤＣＩである。
【０１２３】
本願の実施例に基づくネットワーク機器４００は、本願の実施例における方法２００を対応的に実行してもよく、かつネットワーク機器４００における各ユニットの上記と他の操作及び／又は機能はそれぞれ図１〜図６における各方法のネットワーク機器の対応するフローを実現するためのものであると理解すべきであり、簡潔のため、ここでは繰り返して説明しない。
【０１２４】
したがって、本願の実施例のネットワーク機器は端末機器に少なくとも１つの時間ドメインシンボル位置情報を構成し、異なる時間ドメインシンボル位置情報はスケジューリング対象チャネルの占用する時間ドメインシンボルの異なる位置を指示するためのものであり、端末機器に該少なくとも１つの時間ドメインシンボル位置情報においてターゲット時間ドメインシンボル位置情報を指示するための情報を送信することによって、端末機器が該ターゲット時間ドメインシンボル位置情報を決定し、これにより、さらに該ターゲット時間ドメインシンボル位置情報のタイプを決定し、該ターゲット時間ドメインシンボル位置情報によって指示された位置を決定し、これにより該位置によってネットワーク機器とスケジューリング対象チャネルを伝送し、ターゲット時間ドメインシンボル位置情報のタイプが異なるため、時間ドメインシンボル位置を指示する方式も異なり、これにより時間ドメインシンボル位置情報に対する２つのタイプの柔軟な指示を実現し、例えば、スケジューリング対象チャネルがダウンリンク制御チャネルに近い場合、相対的ダウンリンク制御チャネルを用いてスケジューリング対象チャネルの開始シンボル位置を指示し、スケジューリング対象チャネルがダウンリンク制御チャネルから遠い場合、相対的スケジューリング対象チャネルが配置されている時間スロット開始位置を用いてスケジューリング対象チャネルの開始シンボル位置を指示することができる。
【０１２５】
このように、ダウンリンク制御チャネルが時間スロットのどの位置にあっても、限られた制御シグナリングオーバーヘッドを最大限に利用し、スケジューリング対象チャネルの開始シンボル位置を有効的に指示することができるようになり、これにより、より柔軟で、より効率の高く、より時間遅延の低いデータチャネルリソース配分を実現する。
【０１２６】
図９は、本願の実施例に基づく端末機器５００の概略ブロック図を示しており、図９に示すように、該端末機器５００は、プロセッサ５１０とトランシーバ５２０を含み、プロセッサ５１０がトランシーバ５２０に接続され、選択的に、該端末機器５００はメモリ５３０をさらに含み、メモリ５３０がプロセッサ５１０に接続される。そのうち、プロセッサ５１０、メモリ５３０及びトランシーバ５２０は内部接続通路を介して互いに通信され、データ信号を伝達及び／又は制御し、該メモリ５３０が命令を記憶するためのものであり、該プロセッサ５１０が該メモリ５３０に記憶された命令を実行するためのものであり、これによりトランシーバ５２０が情報又は信号を送信するように制御し、該トランシーバ５２０は、ネットワーク機器によって送信されたリソース構成メッセージを受信するために使用され、該リソース構成メッセージが少なくとも１つの時間ドメインシンボル位置情報を含み、該少なくとも１つの時間ドメインシンボル位置情報における異なる時間ドメインシンボル位置情報はスケジューリング対象チャネルの占用する開始時間ドメインシンボルの異なる位置を指示するためのものであり、該少なくとも１つの時間ドメインシンボル位置情報のいずれか１つの時間ドメインシンボル位置情報のタイプが第１のタイプ又は第２のタイプであり、該第１のタイプの時間ドメインシンボル位置情報が該スケジューリング対象チャネルの占用する開始時間ドメインシンボルと該スケジューリング対象チャネルが配置されている時間スロットとの相対的位置を指示するためのものであり、該第２のタイプの時間ドメインシンボル位置情報が該スケジューリング対象チャネルの占用する開始時間ドメインシンボルとターゲット制御情報が配置されている時間ドメインリソースとの相対的位置を指示するためのものである。該プロセッサ５１０は、該少なくとも１つの時間ドメインシンボル位置情報においてターゲット時間ドメインシンボル位置情報のタイプを決定すること、及び該ターゲット時間ドメインシンボル位置情報のタイプに基づき、該ターゲット時間ドメインシンボル位置情報によって指示された該スケジューリング対象チャネルの占用する開始時間ドメインシンボルの位置がターゲット位置であると決定することに用いられる。該トランシーバ５２０は、該ターゲット位置に基づき、該ネットワーク機器と該スケジューリング対象チャネルを伝送することに用いられる。
【０１２７】
選択的に、１つの実施例として、該ターゲット時間ドメインシンボル位置情報が相対的位置パラメータを含み、該ターゲット時間ドメインシンボル位置情報が該第１のタイプである場合、該相対的位置パラメータが該スケジューリング対象チャネルの占用する開始時間ドメインシンボルと該スケジューリング対象チャネルが配置されている時間スロットの開始時間ドメインシンボルとの相対的位置を示すためのものであり、該ターゲット時間ドメインシンボル位置情報が該第２のタイプである場合、該相対的位置パラメータが該スケジューリング対象チャネルの占用する開始時間ドメインシンボルと該ターゲット制御情報が配置されている時間ドメインリソースとの相対的位置を示すためのものである。
【０１２８】
選択的に、１つの実施例として、該ターゲット時間ドメインシンボル位置情報が該第２のタイプである場合、該相対的位置パラメータが該スケジューリング対象チャネルの占用する開始時間ドメインシンボルと該ターゲット制御情報が配置されている制御リソースセット又はサーチスペースの開始時間ドメインシンボル又は終了時間ドメインシンボルとの相対的位置を示すためのものである。
【０１２９】
選択的に、１つの実施例として、該ターゲット時間ドメインシンボル位置情報が長さパラメータを含み、該長さパラメータが該スケジューリング対象チャネルの占用する時間ドメインリソースの長さを示す。
【０１３０】
選択的に、１つの実施例として、該トランシーバ５２０は、該プロセッサ５１０が該少なくとも１つの時間ドメインシンボル位置情報においてターゲット時間ドメインシンボル位置情報のタイプを決定する前に、該ネットワーク機器によって送信された該ターゲット制御情報を受信するために使用され、該ターゲット制御情報が該ターゲット時間ドメインシンボル位置情報を指示するためのものである。該プロセッサ５１０は、該ターゲット制御情報に基づき、該ターゲット時間ドメインシンボル位置情報を決定するために使用される。
【０１３１】
選択的に、１つの実施例として、該ターゲット制御情報がタイプパラメータを含み、該タイプパラメータが該ターゲット時間ドメインシンボル位置情報のタイプを指示するためのものである。
【０１３２】
選択的に、１つの実施例として、該ターゲット時間ドメインシンボル位置情報がタイプパラメータを含み、該タイプパラメータが該ターゲット時間ドメインシンボル位置情報のタイプを指示するためのものである。
【０１３３】
選択的に、１つの実施例として、該リソース構成メッセージが該少なくとも１つの時間ドメインシンボル位置情報に対応する少なくとも１つの時間スロットレベルオフセットパラメータを含み、該ターゲット時間ドメインシンボル位置情報がターゲット時間スロットレベルオフセットパラメータに対応し、該プロセッサ５１０は、該ターゲット時間スロットレベルオフセットパラメータに基づき、該ターゲット時間ドメインシンボル位置情報のタイプを決定するためのものである。
【０１３４】
選択的に、１つの実施例として、該プロセッサ５１０は、該ターゲット時間スロットレベルオフセットパラメータが０に等しくない場合、該ターゲット時間ドメインシンボル位置情報のタイプを該第１のタイプとして決定する、又は、該ターゲット時間スロットレベル位置パラメータが０に等しい場合、該ターゲット時間ドメインシンボル位置情報のタイプを該第２のタイプとして決定するためのものである。
【０１３５】
選択的に、１つの実施例として、該スケジューリング対象チャネルは、ＰＵＣＣＨ、ＰＤＣＣＨ、ＰＵＳＣＨやＰＤＳＣＨのいずれか１つである。
【０１３６】
選択的に、１つの実施例として、該リソース構成メッセージは、ＲＲＣシグナリング又はシステム情報である。
【０１３７】
選択的に、１つの実施例として、該ターゲット制御情報は、該スケジューリング対象チャネルをスケジューリングするためのＤＣＩである。
【０１３８】
本願の実施例に基づく端末機器５００は本願の実施例における端末機器３００に対応してもよく、且つ本願の実施例に基づく方法１００を実行する時の対応する主体に対応してもよく、かつ端末機器５００における各ユニットの上記と他の操作及び／又は機能はそれぞれ図１〜図６における各方法における端末機器の対応するフローを実現するためのものであると理解すべきであり、簡潔のため、ここでは繰り返して説明しない。
【０１３９】
したがって、本願の実施例の端末機器はネットワーク機器によって送信された少なくとも１つの時間ドメインシンボル位置情報を受信し、異なる時間ドメインシンボル位置情報はスケジューリング対象チャネルの占用する時間ドメインシンボルの異なる位置を指示するためのものであり、端末機器は該少なくとも１つの時間ドメインシンボル位置情報においてターゲット時間ドメインシンボル位置情報及び該ターゲット時間ドメインシンボル位置情報のタイプを決定し、これにより、さらに該ターゲット時間ドメインシンボル位置情報によって指示された位置を決定し、該位置によってスケジューリング対象チャネルを伝送し、ターゲット時間ドメインシンボル位置情報のタイプが異なるため、時間ドメインシンボル位置を指示する方式も異なり、これにより時間ドメインシンボル位置情報に対する２つのタイプの柔軟な指示を実現し、例えば、スケジューリング対象チャネルがダウンリンク制御チャネルに近い場合、相対的ダウンリンク制御チャネルを用いてスケジューリング対象チャネルの開始シンボル位置を指示し、スケジューリング対象チャネルがダウンリンク制御チャネルから遠い場合、相対的スケジューリング対象チャネルが配置されている時間スロット開始位置を用いてスケジューリング対象チャネルの開始シンボル位置を指示することができる。
【０１４０】
このように、ダウンリンク制御チャネルが時間スロットのどの位置にあっても、限られた制御シグナリングオーバーヘッドを最大限に利用し、スケジューリング対象チャネルの開始シンボル位置を有効的に指示することができるようになり、これにより、より柔軟で、より効率の高く、より時間遅延の低いデータチャネルリソース配分を実現する。
【０１４１】
図１０は、本願の実施例に基づくネットワーク機器６００の概略ブロック図を示しており、図１０に示すように、該ネットワーク機器６００は、プロセッサ６１０とトランシーバ６２０を含み、プロセッサ６１０がトランシーバ６２０に接続され、選択的に、該ネットワーク機器６００はメモリ６３０をさらに含み、メモリ６３０がプロセッサ６１０に接続される。そのうち、プロセッサ６１０、メモリ６３０及びトランシーバ６２０は内部接続通路を介して互いに通信され、データ信号を伝達及び／又は制御し、該メモリ６３０が命令を記憶するためのものであり、該プロセッサ６１０が該メモリ６３０に記憶された命令を実行するためのものであり、これによりトランシーバ６２０が情報又は信号を送信するように制御し、該トランシーバ６２０は、端末機器にリソース構成メッセージを送信することであって、該リソース構成メッセージが少なくとも１つの時間ドメインシンボル位置情報を含み、該少なくとも１つの時間ドメインシンボル位置情報における異なる時間ドメインシンボル位置情報が該端末機器のスケジューリング対象チャネルの占用する開始時間ドメインシンボルの異なる位置を指示するためのものであり、該少なくとも１つの時間ドメインシンボル位置情報のいずれか１つの時間ドメインシンボル位置情報のタイプが第１のタイプ又は第２のタイプであり、該第１のタイプの時間ドメインシンボル位置情報が該スケジューリング対象チャネルの占用する開始時間ドメインシンボルと該スケジューリング対象チャネルが配置されている時間スロットとの相対的位置を指示するためのものであり、該第２のタイプの時間ドメインシンボル位置情報が該スケジューリング対象チャネルの占用する開始時間ドメインシンボルとターゲット制御情報が配置されている時間ドメインリソースとの相対的位置を指示するためのものであること、該端末機器に該ターゲット制御情報を送信することであって、該ターゲット制御情報は該端末機器が該少なくとも１つの時間ドメインシンボル位置情報においてターゲット時間ドメインシンボル位置情報を決定するためのものであること、及び該ターゲット制御情報によって指示された該スケジューリング対象チャネルの占用する開始時間ドメインシンボルの位置に基づき、該端末機器と該スケジューリング対象チャネルを伝送することに用いられる。
【０１４２】
選択的に、１つの実施例として、該ターゲット時間ドメインシンボル位置情報が相対的位置パラメータを含み、該ターゲット時間ドメインシンボル位置情報が該第１のタイプである場合、該相対的位置パラメータが該スケジューリング対象チャネルの占用する開始時間ドメインシンボルと該スケジューリング対象チャネルが配置されている時間スロットの開始時間ドメインシンボルとの相対的位置を示すためのものであり、該ターゲット時間ドメインシンボル位置情報が該第２のタイプである場合、該相対的位置パラメータが該スケジューリング対象チャネルの占用する開始時間ドメインシンボルと該ターゲット制御情報が配置されている時間ドメインリソースとの相対的位置を示すためのものである。
【０１４３】
選択的に、１つの実施例として、該ターゲット時間ドメインシンボル位置情報が該第２のタイプである場合、該相対的位置パラメータが該スケジューリング対象チャネルの占用する開始時間ドメインシンボルと該ターゲット制御情報が配置されている制御リソースセット又はサーチスペースの開始時間ドメインシンボル又は終了時間ドメインシンボルとの相対的位置を示すためのものである。
【０１４４】
選択的に、１つの実施例として、該ターゲット時間ドメインシンボル位置情報が長さパラメータを含み、該長さパラメータが該スケジューリング対象チャネルの占用する時間ドメインリソースの長さを示す。
【０１４５】
選択的に、１つの実施例として、該ターゲット時間ドメインシンボル位置情報がタイプパラメータを含み、該タイプパラメータが該ターゲット時間ドメインシンボル位置情報のタイプを指示するためのものである。
【０１４６】
選択的に、１つの実施例として、該ターゲット制御情報がタイプパラメータを含み、該タイプパラメータが該ターゲット時間ドメインシンボル位置情報のタイプを指示するためのものである。
【０１４７】
選択的に、１つの実施例として、該リソース構成メッセージが該少なくとも１つの時間ドメインシンボル位置情報に対応する少なくとも１つの時間スロットレベルオフセットパラメータを含み、該ターゲット時間ドメインシンボル位置情報がターゲット時間スロットレベルオフセットパラメータに対応し、該ターゲット時間スロットレベルオフセットパラメータが該ターゲット時間ドメインシンボル位置情報のタイプを指示するためのものである。
【０１４８】
選択的に、１つの実施例として、該ターゲット時間スロットレベルオフセットパラメータが０に等しくない場合、該ターゲット時間ドメインシンボル位置情報のタイプが該第１のタイプであり、又は、該時間ドメインオフセットパラメータが該既定値以下である場合、該ターゲット時間ドメインシンボル位置情報のタイプが該第２のタイプである。
【０１４９】
選択的に、１つの実施例として、該スケジューリング対象チャネルは、ＰＵＣＣＨ、ＰＤＣＣＨ、ＰＵＳＣＨやＰＤＳＣＨのいずれか１つである。
【０１５０】
選択的に、１つの実施例として、該リソース構成メッセージは、ＲＲＣシグナリング又はシステム情報である。
【０１５１】
選択的に、１つの実施例として、該ターゲット制御情報は、該スケジューリング対象チャネルをスケジューリングするためのＤＣＩである。
【０１５２】
本願の実施例に基づくネットワーク機器６００は本願の実施例におけるネットワーク機器４００に対応してもよく、且つ本願の実施例に基づく方法２００を実行する時の対応する主体に対応してもよく、かつネットワーク機器６００における各ユニットの上記と他の操作及び／又は機能はそれぞれ図１〜図６における各方法におけるネットワーク機器の対応するフローを実現するためのものであると理解すべきであり、簡潔のため、ここでは繰り返して説明しない。
【０１５３】
したがって、本願の実施例におけるネットワーク機器は端末機器に少なくとも１つの時間ドメインシンボル位置情報を構成し、異なる時間ドメインシンボル位置情報はスケジューリング対象チャネルの占用する時間ドメインシンボルの異なる位置を指示するためのものであり、端末機器に該少なくとも１つの時間ドメインシンボル位置情報においてターゲット時間ドメインシンボル位置情報を指示するための情報を送信することによって、端末機器が該ターゲット時間ドメインシンボル位置情報を決定し、これにより、さらに該ターゲット時間ドメインシンボル位置情報のタイプを決定し、該ターゲット時間ドメインシンボル位置情報によって指示された位置を決定し、これにより該位置によってネットワーク機器とスケジューリング対象チャネルを伝送し、ターゲット時間ドメインシンボル位置情報のタイプが異なるため、時間ドメインシンボル位置を指示する方式も異なり、これにより時間ドメインシンボル位置情報に対する２つのタイプの柔軟な指示を実現し、例えば、スケジューリング対象チャネルがダウンリンク制御チャネルに近い場合、相対的ダウンリンク制御チャネルを用いてスケジューリング対象チャネルの開始シンボル位置を指示し、スケジューリング対象チャネルがダウンリンク制御チャネルから遠い場合、相対的スケジューリング対象チャネルが配置されている時間スロット開始位置を用いてスケジューリング対象チャネルの開始シンボル位置を指示することができる。
【０１５４】
このように、ダウンリンク制御チャネルが時間スロットのどの位置にあっても、限られた制御シグナリングオーバーヘッドを最大限に利用し、スケジューリング対象チャネルの開始シンボル位置を有効的に指示することができるようになり、これにより、より柔軟で、より効率の高く、より時間遅延の低いデータチャネルリソース配分を実現する。
【０１５５】
本願の上記方法の実施例はプロセッサに適用され、又はプロセッサによって実現されることができると注意すべきである。プロセッサが、信号の処理能力を持つ集積回路チップである可能性がある。実現過程では、上記方法の実施例の各ステップは、プロセッサにおけるハードウェアの集積ロジック回路、又は、ソフトウェア形の命令によって完了され得る。上記のプロセッサは、汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）又は他のプログラマブルロジック装置、離散ゲート又はトランジスタロジック装置、離散ハードウェアコンポーネントなどであってもよい。本願の実施例で開示された各方法、ステップ及びロジックブロック図を実現又は実行することができる。汎用プロセッサが、マイクロプロセッサであってもよく、又は、該プロセッサが、任意の従来のプロセッサなどであってもよい。本願の実施例に合わせて開示された方法のステップは、ハードウェアデコードプロセッサによる実行完了、又は、デコードプロセッサにおけるハードウェアとソフトウェアモジュールの組み合わせによる実行完了と直接具体化されることができる。ソフトウェアモジュールが、ランダムアクセスメモリ、フラッシュメモリ、読み取り専用メモリ、プログラマブル読み取り専用メモリ又は電気的消去可能プログラマブルメモリ、レジスタなど本領域の成熟した記憶媒体にあってもよい。該記憶媒体がメモリにあり、プロセッサがメモリ内の情報を読み取り、そのハードウェアに合わせて上記方法のステップを完了させる。
【０１５６】
本願の実施例におけるメモリは揮発性メモリ又は不揮発性メモリ、又は揮発性メモリと不揮発性メモリの両者を含んでもよいと理解できる。そのうち、不揮発性メモリが読み取り専用メモリ（ｒｅａｄ−ｏｎｌｙ  ｍｅｍｏｒｙ、ＲＯＭ）、プログラマブル読み取り専用メモリ（ｐｒｏｇｒａｍｍａｂｌｅ  ｒｏｍ、ＰＲＯＭ）、消去可能プログラマブル読み取り専用メモリ（ｅｒａｓａｂｌｅ  ＰＲＯＭ、ＥＰＲＯＭ）、電気的消去可能プログラマブル読み取り専用メモリ（ｅｌｅｃｔｒｉｃａｌｌｙ  ＥＰＲＯＭ、ＥＥＰＲＯＭ）、又はフラッシュメモリであってもよい。揮発性メモリが外部キャッシュとして使用されるランダムアクセスメモリ（ｒａｎｄｏｍ  ａｃｃｅｓｓ  ｍｅｍｏｒｙ、ＲＡＭ）であってもよい。限定的ではなく例示的な説明により、数多くの形のＲＡＭ、例えば、スタティックランダムアクセスメモリ（ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、同期ダイナミックランダムアクセスメモリ（ｓｙｎｃｈｒｏｎｏｕｓ  ＤＲＡＭ、ＳＤＲＡＭ）、ダブルデータレートの同期ダイナミックランダムアクセスメモリ（ｄｏｕｂｌｅ  ｄａｔａ  ｒａｔｅ  ＳＤＲＡＭ、ＤＤＲ  ＳＤＲＡＭ）、強化された同期ダイナミックランダムアクセスメモリ（ｅｎｈａｎｃｅｄ  ＳＤＲＡＭ、ＥＳＤＲＡＭ）、同期リンクダイナミックランダムアクセスメモリ（ｓｙｎｃｈｌｉｎｋ  ＤＲＡＭ、ＳＬＤＲＡＭ）及びダイレクトメモリバスランダムアクセスメモリ（ｄｉｒｅｃｔ  ｒａｍｂｕｓ  ＲＡＭ、ＤＲ  ＲＡＭ）などが利用できる。本明細書で説明したシステムと方法のメモリは、これらのメモリ及び他の任意の適切なタイプのメモリを含むが、これらに限定されないことを意図している。
【０１５７】
当業者は、本明細書で開示される実施例に合わせて説明される各例示的なユニット及びアルゴリズムステップが、電子ハードウェア、又はコンピューターソフトウェアと電子ハードウェアの組み合わせによって実施できると意識することができる。これらの機能がハードウェアで実行されるか、ソフトウェアで実行されるかは、技術的解決手段の特定のアプリケーションと設計上の制約条件に依存する。プロの技術者は、特定のアプリケーションごとに異なる方法を使用して説明した機能を実現することができるが、このような実現は、本願の範囲を超えると見なされるべきではない。
【０１５８】
当業者は、説明の便宜と簡潔のために、上記説明したシステム、装置、及びユニットの具体的作業プロセスは、前述した方法の実施例の対応するプロセスを参照することができると明確に理解することができ、ここでは繰り返して説明しない。
【０１５９】
本願に係るいくつかの実施例において、開示したシステム、装置、及び方法は、他の形態で実現できると理解すべきである。例えば、以上説明した装置の実施例は概略的なものにすぎず、例えば、前記ユニットの分割は、ロジック機能上の分割にすぎず、実際に実施する際に別の形態で分割してもよく、例えば、複数のユニット又はコンポーネントを別のシステムに組み合わせもしくは集積させたり、又は一部の特徴を反映させず、実行しなかったりしてもよい。また、表示又は検討した互いの結合又は直接的な結合又は通信接続は、いくつかのインタフェース、装置又はユニットを介した間接的結合又は通信接続としてもよく、電気的形態、機械的形態又はその他の形態としてもよい。
【０１６０】
前記分離される部品として説明されるユニットは、物理的に分離されるものでもよければ、分離されないものであってもよい。ユニットとして示される部品は、物理的なユニットであってもよいが、物理的なユニットでなくてもよい。即ち、同一の場所に設けられるものであってもよいが、複数のネットワークユニットに配置されるものであってもよい。実際のニーズに応じて、その一部のユニット、又はすべてのユニットを選択して本実施例の解決手段の目的を達成することができる。
【０１６１】
なお、本願の各実施例における各機能ユニットが１つの処理ユニットに集積されてもよいが、各ユニットが単独で物理的な部品として存在するか、又は２つ以上のユニットが１つのユニットに集積されてもよい。
【０１６２】
前記機能がソフトウェア機能ユニットの形で実施され、独立した製品として販売または使用される場合、１つのコンピュータ読み取り可能な記憶媒体に記憶されることができる。このような理解に基づき、本願の実施例の技術的解決手段は、本質的に、または従来の技術に寄与する部分であるか、当該技術的解決手段の一部が、ソフトウェア製品の形で具現化されることができ、該コンピューターソフトウェア製品は、１つの記憶媒体に記憶され、コンピューターデバイス（パーソナルコンピューター、サーバー、又はネットワークデバイスなどであってもよい）に、本願の各実施例で説明した方法のステップのすべて又は一部を実行させるためのいくつかの命令を含む。前述した記憶媒体は、Ｕディスク、モバイルハードディスク、読み取り専用メモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、磁気ディスク、又はコンパクトディスクなどプログラムコードを記憶できる様々な媒体を含む。
【０１６３】
以上の内容は、本願の具体的な実施形態にすぎず、本願の保護範囲はこれらに限定されず、当業者であれば、本願で開示される技術的範囲内に、容易に想像しうるすべての変更又は置換は、いずれも本願の保護範囲内に含まれるべきである。したがって、本願の保護範囲を、特許請求の範囲の保護範囲に従うものとする。
【図１】
2021516475.tif 000003
【図２】
2021516475.tif 000004
【図３】
2021516475.tif 000005
【図４】
2021516475.tif 000006
【図５】
2021516475.tif 000007
【図６】
2021516475.tif 000008
【図７】
2021516475.tif 000009
【図８】
2021516475.tif 000010
【図９】
2021516475.tif 000011
【図１０】
2021516475.tif 000012
【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
チャネル伝送の方法であって、
リソース構成メッセージを受信するステップであって、前記リソース構成メッセージが少なくとも１つの時間ドメインシンボル位置情報を含み、前記少なくとも１つの時間ドメインシンボル位置情報における異なる時間ドメインシンボル位置情報はスケジューリング対象チャネルの占用する開始時間ドメインシンボルの異なる位置を指示するためのものであり、前記少なくとも１つの時間ドメインシンボル位置情報のいずれか１つの時間ドメインシンボル位置情報のタイプが第１のタイプ又は第２のタイプであり、前記第１のタイプの時間ドメインシンボル位置情報が前記スケジューリング対象チャネルの占用する開始時間ドメインシンボルと前記スケジューリング対象チャネルが配置されている時間スロットとの相対的位置を指示するためのものであり、前記第２のタイプの時間ドメインシンボル位置情報が前記スケジューリング対象チャネルの占用する開始時間ドメインシンボルとターゲット制御情報が配置されている時間ドメインリソースとの相対的位置を指示するためのものであるステップと、
前記少なくとも１つの時間ドメインシンボル位置情報においてターゲット時間ドメインシンボル位置情報のタイプを決定するステップと、
前記ターゲット時間ドメインシンボル位置情報のタイプに基づき、前記ターゲット時間ドメインシンボル位置情報によって指示された前記スケジューリング対象チャネルの占用する開始時間ドメインシンボルの位置がターゲット位置であると決定するステップと、を含むことを特徴とするチャネル伝送の方法。
【請求項２】
前記ターゲット時間ドメインシンボル位置情報が相対的位置パラメータを含み、
前記ターゲット時間ドメインシンボル位置情報が前記第１のタイプである場合、前記相対的位置パラメータが前記スケジューリング対象チャネルの占用する開始時間ドメインシンボルと前記スケジューリング対象チャネルが配置されている時間スロットの開始時間ドメインシンボルとの相対的位置を示すためのものであり、
前記ターゲット時間ドメインシンボル位置情報が前記第２のタイプである場合、前記相対的位置パラメータが前記スケジューリング対象チャネルの占用する開始時間ドメインシンボルと前記ターゲット制御情報が配置されている時間ドメインリソースとの相対的位置を示すためのものであることを特徴とする請求項１に記載の方法。
【請求項３】
前記ターゲット時間ドメインシンボル位置情報が前記第２のタイプである場合、
前記相対的位置パラメータが前記スケジューリング対象チャネルの占用する開始時間ドメインシンボルと前記ターゲット制御情報が配置されている制御リソースセット又はサーチスペースの開始時間ドメインシンボル又は終了時間ドメインシンボルとの相対的位置を示すためのものであることを特徴とする請求項２に記載の方法。
【請求項４】
前記ターゲット時間ドメインシンボル位置情報が長さパラメータを含み、前記長さパラメータが前記スケジューリング対象チャネルの占用する時間ドメインリソースの長さを示すことを特徴とする請求項２又は請求項３に記載の方法。
【請求項５】
前記リソース構成メッセージが前記少なくとも１つの時間ドメインシンボル位置情報に対応する少なくとも１つの時間スロットレベルオフセットパラメータを含み、前記ターゲット時間ドメインシンボル位置情報がターゲット時間スロットレベルオフセットパラメータに対応し、
前記少なくとも１つの時間ドメインシンボル位置情報においてターゲット時間ドメインシンボル位置情報のタイプを決定する前記ステップは、
前記ターゲット時間スロットレベルオフセットパラメータに基づき、前記ターゲット時間ドメインシンボル位置情報のタイプを決定するステップを含むことを特徴とする請求項２〜請求項４のいずれか１項に記載の方法。
【請求項６】
前記ターゲット時間スロットレベルオフセットパラメータに基づき、前記ターゲット時間ドメインシンボル位置情報のタイプを決定する前記ステップは、
前記ターゲット時間スロットレベルオフセットパラメータが０に等しくない場合、前記ターゲット時間ドメインシンボル位置情報のタイプを前記第１のタイプとして決定するステップ、又は
前記ターゲット時間スロットレベルオフセットパラメータが０に等しい場合、前記ターゲット時間ドメインシンボル位置情報のタイプを前記第２のタイプとして決定するステップを含むことを特徴とする請求項５に記載の方法。
【請求項７】
前記スケジューリング対象チャネルは、物理アップリンク制御チャネルＰＵＣＣＨ、物理ダウンリンク制御チャネルＰＤＣＣＨ、物理アップリンク共有チャネルＰＵＳＣＨ及び物理ダウンリンク共有チャネルＰＤＳＣＨのいずれか１つであることを特徴とする請求項１〜請求項６のいずれか１項に記載の方法。
【請求項８】
前記リソース構成メッセージは、無線リソース制御ＲＲＣシグナリング又はシステム情報であることを特徴とする請求項１〜請求項７のいずれか１項に記載の方法。
【請求項９】
前記ターゲット制御情報は、前記スケジューリング対象チャネルをスケジューリングするためのダウンリンク制御情報ＤＣＩであることを特徴とする請求項１〜請求項８のいずれか１項に記載の方法。
【請求項１０】
チャネル伝送の方法であって、
端末機器にリソース構成メッセージを送信するステップであって、前記リソース構成メッセージが少なくとも１つの時間ドメインシンボル位置情報を含み、前記少なくとも１つの時間ドメインシンボル位置情報における異なる時間ドメインシンボル位置情報が前記端末機器のスケジューリング対象チャネルの占用する開始時間ドメインシンボルの異なる位置を指示するためのものであり、前記少なくとも１つの時間ドメインシンボル位置情報のいずれか１つの時間ドメインシンボル位置情報のタイプが第１のタイプ又は第２のタイプであり、前記第１のタイプの時間ドメインシンボル位置情報が前記スケジューリング対象チャネルの占用する開始時間ドメインシンボルと前記スケジューリング対象チャネルが配置されている時間スロットとの相対的位置を指示するためのものであり、前記第２のタイプの時間ドメインシンボル位置情報が前記スケジューリング対象チャネルの占用する開始時間ドメインシンボルとターゲット制御情報が配置されている時間ドメインリソースとの相対的位置を指示するためのものであるステップと、
前記端末機器に前記ターゲット制御情報を送信するステップであって、前記ターゲット制御情報は、前記端末機器が前記少なくとも１つの時間ドメインシンボル位置情報においてターゲット時間ドメインシンボル位置情報を決定するためのものであるステップと、
前記ターゲット制御情報によって指示された前記スケジューリング対象チャネルの占用する開始時間ドメインシンボルの位置に基づき、前記端末機器と前記スケジューリング対象チャネルを伝送するステップと、を含むことを特徴とするチャネル伝送の方法。
【請求項１１】
前記ターゲット時間ドメインシンボル位置情報が相対的位置パラメータを含み、
前記ターゲット時間ドメインシンボル位置情報が前記第１のタイプである場合、前記相対的位置パラメータが前記スケジューリング対象チャネルの占用する開始時間ドメインシンボルと前記スケジューリング対象チャネルが配置されている時間スロットの開始時間ドメインシンボルとの相対的位置を示すためのものであり、
前記ターゲット時間ドメインシンボル位置情報が前記第２のタイプである場合、前記相対的位置パラメータが前記スケジューリング対象チャネルの占用する開始時間ドメインシンボルと前記ターゲット制御情報が配置されている時間ドメインリソースとの相対的位置を示すためのものであることを特徴とする請求項１０に記載の方法。
【請求項１２】
前記ターゲット時間ドメインシンボル位置情報が前記第２のタイプである場合、
前記相対的位置パラメータが前記スケジューリング対象チャネルの占用する開始時間ドメインシンボルと前記ターゲット制御情報が配置されている制御リソースセット又はサーチスペースの開始時間ドメインシンボル又は終了時間ドメインシンボルとの相対的位置を示すためのものであることを特徴とする請求項１１に記載の方法。
【請求項１３】
前記ターゲット時間ドメインシンボル位置情報が長さパラメータを含み、前記長さパラメータが前記スケジューリング対象チャネルの占用する時間ドメインリソースの長さを示すことを特徴とする請求項１１又は請求項１２に記載の方法。
【請求項１４】
前記リソース構成メッセージが前記少なくとも１つの時間ドメインシンボル位置情報に対応する少なくとも１つの時間スロットレベルオフセットパラメータを含み、前記ターゲット時間ドメインシンボル位置情報がターゲット時間スロットレベルオフセットパラメータに対応し、前記ターゲット時間スロットレベルオフセットパラメータが前記ターゲット時間ドメインシンボル位置情報のタイプを指示するためのものであることを特徴とする請求項１１〜請求項１３のいずれか１項に記載の方法。
【請求項１５】
前記ターゲット時間スロットレベルオフセットパラメータが０に等しくない場合、前記ターゲット時間ドメインシンボル位置情報のタイプが前記第１のタイプであり、又は
前記ターゲット時間スロットレベルオフセットパラメータが前記既定値以下である場合、前記ターゲット時間ドメインシンボル位置情報のタイプが前記第２のタイプであることを特徴とする請求項１４に記載の方法。
【請求項１６】
前記スケジューリング対象チャネルは、物理アップリンク制御チャネルＰＵＣＣＨ、物理ダウンリンク制御チャネルＰＤＣＣＨ、物理アップリンク共有チャネルＰＵＳＣＨ及び物理ダウンリンク共有チャネルＰＤＳＣＨのいずれか１つであることを特徴とする請求項１０〜請求項１５のいずれか１項に記載の方法。
【請求項１７】
前記リソース構成メッセージは、無線リソース制御ＲＲＣシグナリング又はシステム情報であることを特徴とする請求項１０〜請求項１６のいずれか１項に記載の方法。
【請求項１８】
前記ターゲット制御情報は、前記スケジューリング対象チャネルをスケジューリングするためのダウンリンク制御情報ＤＣＩであることを特徴とする請求項１０〜請求項１７のいずれか１項に記載の方法。
【請求項１９】
端末機器であって、
メモリとプロセッサを含み、前記メモリが命令を記憶するためのものであり、前記プロセッサが前記メモリに記憶された前記命令を実行するためのものであり、かつ前記プロセッサが前記メモリに記憶された前記命令を実行する時、該実行により前記プロセッサに請求項１〜請求項９のいずれか１項に記載の方法を実行させることを特徴とする端末機器。
【請求項２０】
ネットワーク機器であって、
メモリとプロセッサを含み、前記メモリが命令を記憶するためのものであり、前記プロセッサが前記メモリに記憶された前記命令を実行するためのものであり、かつ前記プロセッサが前記メモリに記憶された前記命令を実行する時、該実行により前記プロセッサに請求項１０〜請求項１８のいずれか１項に記載の方法を実行させることを特徴とするネットワーク機器。
【手続補正２】
【補正対象書類名】明細書
【補正対象項目名】全文
【補正方法】変更
【補正の内容】
【発明の詳細な説明】
【技術分野】
【０００１】
本願は、通信分野に関し、特にチャネル伝送の方法、端末機器及びネットワーク機器に関する。
【背景技術】
【０００２】
ＬＴＥシステムにおいて、データチャネル（例えば、物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ））の時間ドメイン位置は時間スロットとサブフレームを単位としている。例えば、ＰＤＳＣＨのスタート位置は、配置されている時間スロット／サブフレームを基準としており、該サブフレームの物理制御フォーマット指示チャネル（ｐｈｙｓｉｃａｌ  ｃｏｎｔｒｏｌ  ｆｏｒｍａｔ  ｉｎｄｉｃａｔｏｒ  ｃｈａｎｎｅｌ、ＰＣＦＩＣＨ）ではＰＤＳＣＨが該サブフレームの一番目の時間ドメインシンボルから開始するように指示する。
【０００３】
しかしながら、第５世代（５ｔｈ  ｇｅｎｅｒａｔｉｏｎ、５Ｇ）のニューラジオ（ｎｅｗ  ｒａｄｉｏ、ＮＲ）システムにおいて、リソース配分の柔軟性の向上及び時間遅延の低下のために、チャネルの時間ドメイン位置は柔軟性が大幅に向上し、シンボルを単位として配分するため、チャネルの開始シンボル位置を指示する必要がある。
【０００４】
現在、チャネルの開始シンボル位置を指示する方式について、５Ｇに対する研究では２種の技術的解決手段の指示が提案された。その１つは、時間スロットの開始位置に基づいてチャネルの開始シンボル位置を指示することであるが、スケジューリングされたチャネルはこのチャネルをスケジューリングしたダウンリンク制御チャネルの後に常にあり、ダウンリンク制御チャネルが時間スロットのどの位置にあるかは事前に知らないため、一般的に時間スロット内に可能な開始シンボル位置をできるだけ均一的に分布するしかできない。ダウンリンク制御チャネルがいくつかの位置にある場合、スケジューリングされたチャネルは一般的にその後の最も近い時間ドメイン位置を選択するが、該位置が該ダウンリンク制御チャネルに密接できない可能性が大きいであり、これにより低遅延のスケジューリングを実現できない。
【０００５】
２つ目の解決手段は、ダウンリンク制御チャネルの位置に基づいてチャネルの開始シンボル位置を指示することである。ダウンリンク制御チャネルが任意の位置にある場合、いずれも該ダウンリンク制御チャネルに密接する位置にてスケジューリングされたチャネルの開始シンボルを配置することができる。しかし、例えば、スケジューリングされたチャネル開始シンボルとダウンリンク制御チャネルとの距離が１つの時間スロットを上回る場合、この解決手段を使用する時の制御オーバーヘッドが劇的に増加するように、この解決手段はダウンリンク制御チャネルと距離の遠いチャネルを有効的にスケジューリングすることができない。
【発明の概要】
【発明が解決しようとする課題】
【０００６】
本願は、限られた制御シグナリングオーバーヘッドを最大限に利用し、スケジューリングされたチャネルの開始シンボル位置を効果的に指示できる、チャネル伝送の方法、端末機器及びネットワーク機器を提供する。
【課題を解決するための手段】
【０００７】
第１の態様では、チャネル伝送の方法を提供し、該方法は、ネットワーク機器によって送信されたリソース構成メッセージを受信するステップであって、前記リソース構成メッセージが少なくとも１つの時間ドメインシンボル位置情報を含み、前記少なくとも１つの時間ドメインシンボル位置情報における異なる時間ドメインシンボル位置情報はスケジューリング対象チャネルの占用する開始時間ドメインシンボルの異なる位置を指示するためのものであり、前記少なくとも１つの時間ドメインシンボル位置情報のいずれか１つの時間ドメインシンボル位置情報のタイプが第１のタイプ又は第２のタイプであり、前記第１のタイプの時間ドメインシンボル位置情報が前記スケジューリング対象チャネルの占用する開始時間ドメインシンボルと前記スケジューリング対象チャネルが配置されている時間スロットとの相対的位置を指示するためのものであり、前記第２のタイプの時間ドメインシンボル位置情報が前記スケジューリング対象チャネルの占用する開始時間ドメインシンボルとターゲット制御情報が配置されている時間ドメインリソースとの相対的位置を指示するためのものであるステップと、前記少なくとも１つの時間ドメインシンボル位置情報においてターゲット時間ドメインシンボル位置情報のタイプを決定するステップと、前記ターゲット時間ドメインシンボル位置情報のタイプに基づき、前記ターゲット時間ドメインシンボル位置情報によって指示された前記スケジューリング対象チャネルの占用する開始時間ドメインシンボルの位置がターゲット位置であると決定するステップと、前記ターゲット位置に基づき、前記ネットワーク機器と前記スケジューリング対象チャネルを伝送するステップと、を含む。
【０００８】
したがって、本願の実施例のチャネル伝送の方法であって、端末機器はネットワーク機器によって送信された少なくとも１つの時間ドメインシンボル位置情報を受信し、異なる時間ドメインシンボル位置情報はスケジューリング対象チャネルの占用する時間ドメインシンボルの異なる位置を指示するためのものであり、端末機器は該少なくとも１つの時間ドメインシンボル位置情報においてターゲット時間ドメインシンボル位置情報及び該ターゲット時間ドメインシンボル位置情報のタイプを決定し、これにより、さらに該ターゲット時間ドメインシンボル位置情報によって指示された位置を決定し、該位置によってスケジューリング対象チャネルを伝送し、ターゲット時間ドメインシンボル位置情報のタイプが異なるため、時間ドメインシンボル位置を指示する方式も異なり、これにより時間ドメインシンボル位置情報に対する２つのタイプの柔軟な指示を実現し、例えば、スケジューリング対象チャネルがダウンリンク制御チャネルに近い場合、相対的ダウンリンク制御チャネルを用いてスケジューリング対象チャネルの開始シンボル位置を指示し、スケジューリング対象チャネルがダウンリンク制御チャネルから遠い場合、相対的スケジューリング対象チャネルが配置されている時間スロット開始位置を用いてスケジューリング対象チャネルの開始シンボル位置を指示することができる。
【０００９】
このように、ダウンリンク制御チャネルが時間スロットのどの位置にあっても、限られた制御シグナリングオーバーヘッドを最大限に利用し、スケジューリング対象チャネルの開始シンボル位置を有効的に指示することができるようになり、これにより、より柔軟で、より効率の高く、より時間遅延の低いデータチャネルリソース配分を実現する。
【００１０】
第１の態様に合わせて、第１の態様の１つの実現形態において、前記ターゲット時間ドメインシンボル位置情報が相対的位置パラメータを含み、前記ターゲット時間ドメインシンボル位置情報が前記第１のタイプである場合、前記相対的位置パラメータが前記スケジューリング対象チャネルの占用する開始時間ドメインシンボルと前記スケジューリング対象チャネルが配置されている時間スロットの開始時間ドメインシンボルとの相対的位置を示すためのものであり、前記ターゲット時間ドメインシンボル位置情報が前記第２のタイプである場合、前記相対的位置パラメータが前記スケジューリング対象チャネルの占用する開始時間ドメインシンボルと前記ターゲット制御情報が配置されている時間ドメインリソースとの相対的位置を示すためのものである。
【００１１】
第１の態様及びその上記実現形態に合わせて、第１の態様の別の実現形態において、前記ターゲット時間ドメインシンボル位置情報が前記第２のタイプである場合、前記相対的位置パラメータが前記スケジューリング対象チャネルの占用する開始時間ドメインシンボルと前記ターゲット制御情報が配置されている制御リソースセット又はサーチスペースの開始時間ドメインシンボル又は終了時間ドメインシンボルとの相対的位置を示すためのものである。
【００１２】
第１の態様及びその上記実現形態に合わせて、第１の態様の別の実現形態において、前記ターゲット時間ドメインシンボル位置情報が長さパラメータを含み、前記長さパラメータが前記スケジューリング対象チャネルの占用する時間ドメインリソースの長さを示す。
【００１３】
第１の態様及びその上記実現形態に合わせて、第１の態様の別の実現形態において、前記少なくとも１つの時間ドメインシンボル位置情報においてターゲット時間ドメインシンボル位置情報のタイプを決定する前に、前記方法は、前記ネットワーク機器によって送信された前記ターゲット制御情報を受信するステップであって、前記ターゲット制御情報が前記ターゲット時間ドメインシンボル位置情報を指示するためのものであるステップと、前記ターゲット制御情報に基づき、前記ターゲット時間ドメインシンボル位置情報を決定するステップと、をさらに含む。
【００１４】
第１の態様及びその上記実現形態に合わせて、第１の態様の別の実現形態において、前記ターゲット制御情報がタイプパラメータを含み、前記タイプパラメータが前記ターゲット時間ドメインシンボル位置情報のタイプを指示するためのものである。
【００１５】
第１の態様及びその上記実現形態に合わせて、第１の態様の別の実現形態において、前記ターゲット時間ドメインシンボル位置情報がタイプパラメータを含み、前記タイプパラメータが前記ターゲット時間ドメインシンボル位置情報のタイプを指示するためのものである。
【００１６】
第１の態様及びその上記実現形態に合わせて、第１の態様の別の実現形態において、前記リソース構成メッセージが前記少なくとも１つの時間ドメインシンボル位置情報に対応する少なくとも１つの時間スロットレベルオフセットパラメータを含み、前記ターゲット時間ドメインシンボル位置情報がターゲット時間スロットレベルオフセットパラメータに対応し、前記少なくとも１つの時間ドメインシンボル位置情報においてターゲット時間ドメインシンボル位置情報のタイプを決定する前記ステップは、前記ターゲット時間スロットレベルオフセットパラメータに基づき、前記ターゲット時間ドメインシンボル位置情報のタイプを決定するステップを含む。
【００１７】
第１の態様及びその上記実現形態に合わせて、第１の態様の別の実現形態において、前記ターゲット時間スロットレベルオフセットパラメータに基づき、前記ターゲット時間ドメインシンボル位置情報のタイプを決定する前記ステップは、前記ターゲット時間スロットレベルオフセットパラメータが０に等しくない場合、前記ターゲット時間ドメインシンボル位置情報のタイプを前記第１のタイプとして決定するステップ、又は、前記ターゲット時間スロットレベルオフセットパラメータが０に等しい場合、前記ターゲット時間ドメインシンボル位置情報のタイプを前記第２のタイプとして決定するステップ、を含む。
【００１８】
第１の態様及びその上記実現形態に合わせて、第１の態様の別の実現形態において、前記スケジューリング対象チャネルは、物理アップリンク制御チャネル（ｐｈｙｓｉｃａｌ  ｕｐｌｉｎｋ  ｃｏｎｔｒｏｌ  ｃｈａｎｎｅｌ、ＰＵＣＣＨ）、物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）、物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）やＰＤＳＣＨのいずれか１つである。
【００１９】
第１の態様及びその上記実現形態に合わせて、第１の態様の別の実現形態において、前記リソース構成メッセージは、無線リソース制御（ｒａｄｉｏ  ｒｅｓｏｕｒｃｅ  ｃｏｎｔｒｏｌ、ＲＲＣ）シグナリング又はシステム情報である。
【００２０】
第１の態様及びその上記実現形態に合わせて、第１の態様の別の実現形態において、前記ターゲット制御情報は、前記スケジューリング対象チャネルのダウンリンク制御情報（ｄｏｗｎｌｉｎｋ  ｃｏｎｔｒｏｌ  ｉｎｆｏｒｍａｔｉｏｎ、ＤＣＩ）をスケジューリングするためのものである。
【００２１】
したがって、本願の実施例のチャネル伝送の方法であって、端末機器はネットワーク機器によって送信された少なくとも１つの時間ドメインシンボル位置情報を受信し、異なる時間ドメインシンボル位置情報はスケジューリング対象チャネルの占用する時間ドメインシンボルの異なる位置を指示するためのものであり、端末機器は該少なくとも１つの時間ドメインシンボル位置情報においてターゲット時間ドメインシンボル位置情報及び該ターゲット時間ドメインシンボル位置情報のタイプを決定し、これにより、さらに該ターゲット時間ドメインシンボル位置情報によって指示された位置を決定し、該位置によってスケジューリング対象チャネルを伝送し、ターゲット時間ドメインシンボル位置情報のタイプが異なるため、時間ドメインシンボル位置を指示する方式も異なり、これにより時間ドメインシンボル位置情報に対する２つのタイプの柔軟な指示を実現し、例えば、スケジューリング対象チャネルがダウンリンク制御チャネルに近い場合、相対的ダウンリンク制御チャネルを用いてスケジューリング対象チャネルの開始シンボル位置を指示し、スケジューリング対象チャネルがダウンリンク制御チャネルから遠い場合、相対的スケジューリング対象チャネルが配置されている時間スロット開始位置を用いてスケジューリング対象チャネルの開始シンボル位置を指示することができる。
【００２２】
このように、ダウンリンク制御チャネルが時間スロットのどの位置にあっても、限られた制御シグナリングオーバーヘッドを最大限に利用し、スケジューリング対象チャネルの開始シンボル位置を有効的に指示することができるようになり、これにより、より柔軟で、より効率の高く、より時間遅延の低いデータチャネルリソース配分を実現する。
【００２３】
第２の態様では、チャネル伝送の方法を提供し、該方法は、端末機器にリソース構成メッセージを送信するステップであって、前記リソース構成メッセージが少なくとも１つの時間ドメインシンボル位置情報を含み、前記少なくとも１つの時間ドメインシンボル位置情報における異なる時間ドメインシンボル位置情報が前記端末機器のスケジューリング対象チャネルの占用する開始時間ドメインシンボルの異なる位置を指示するためのものであり、前記少なくとも１つの時間ドメインシンボル位置情報のいずれか１つの時間ドメインシンボル位置情報のタイプが第１のタイプ又は第２のタイプであり、前記第１のタイプの時間ドメインシンボル位置情報が前記スケジューリング対象チャネルの占用する開始時間ドメインシンボルと前記スケジューリング対象チャネルが配置されている時間スロットとの相対的位置を指示するためのものであり、前記第２のタイプの時間ドメインシンボル位置情報が前記スケジューリング対象チャネルの占用する開始時間ドメインシンボルとターゲット制御情報が配置されている時間ドメインリソースとの相対的位置を指示するためのものであるステップと、前記端末機器に前記ターゲット制御情報を送信するステップであって、前記ターゲット制御情報は、前記端末機器が前記少なくとも１つの時間ドメインシンボル位置情報においてターゲット時間ドメインシンボル位置情報を決定するためのものであるステップと、前記ターゲット制御情報によって指示された前記スケジューリング対象チャネルの占用する開始時間ドメインシンボルの位置に基づき、前記端末機器と前記スケジューリング対象チャネルを伝送するステップと、を含む。
【００２４】
したがって、本願の実施例のチャネル伝送の方法であって、ネットワーク機器は端末機器に少なくとも１つの時間ドメインシンボル位置情報を構成し、異なる時間ドメインシンボル位置情報はスケジューリング対象チャネルの占用する時間ドメインシンボルの異なる位置を指示するためのものであり、端末機器に該少なくとも１つの時間ドメインシンボル位置情報においてターゲット時間ドメインシンボル位置情報を指示するための情報を送信することによって、端末機器が該ターゲット時間ドメインシンボル位置情報を決定し、これにより、さらに該ターゲット時間ドメインシンボル位置情報のタイプを決定し、該ターゲット時間ドメインシンボル位置情報によって指示された位置を決定し、これにより該位置によってネットワーク機器とスケジューリング対象チャネルを伝送し、ターゲット時間ドメインシンボル位置情報のタイプが異なるため、時間ドメインシンボル位置を指示する方式も異なり、これにより時間ドメインシンボル位置情報に対する２つのタイプの柔軟な指示を実現し、例えば、スケジューリング対象チャネルがダウンリンク制御チャネルに近い場合、相対的ダウンリンク制御チャネルを用いてスケジューリング対象チャネルの開始シンボル位置を指示し、スケジューリング対象チャネルがダウンリンク制御チャネルから遠い場合、相対的スケジューリング対象チャネルが配置されている時間スロット開始位置を用いてスケジューリング対象チャネルの開始シンボル位置を指示することができる。
【００２５】
このように、ダウンリンク制御チャネルが時間スロットのどの位置にあっても、限られた制御シグナリングオーバーヘッドを最大限に利用し、スケジューリング対象チャネルの開始シンボル位置を有効的に指示することができるようになり、これにより、より柔軟で、より効率の高く、より時間遅延の低いデータチャネルリソース配分を実現する。
【００２６】
第２の態様に合わせて、第２の態様の１つの実現形態において、前記ターゲット時間ドメインシンボル位置情報が相対的位置パラメータを含み、前記ターゲット時間ドメインシンボル位置情報が前記第１のタイプである場合、前記相対的位置パラメータが前記スケジューリング対象チャネルの占用する開始時間ドメインシンボルと前記スケジューリング対象チャネルが配置されている時間スロットの開始時間ドメインシンボルとの相対的位置を示すためのものであり、前記ターゲット時間ドメインシンボル位置情報が前記第２のタイプである場合、前記相対的位置パラメータが前記スケジューリング対象チャネルの占用する開始時間ドメインシンボルと前記ターゲット制御情報が配置されている時間ドメインリソースとの相対的位置を示すためのものである。
【００２７】
第２の態様及びその上記実現形態に合わせて、第２の態様の別の実現形態において、前記ターゲット時間ドメインシンボル位置情報が前記第２のタイプである場合、前記相対的位置パラメータが前記スケジューリング対象チャネルの占用する開始時間ドメインシンボルと前記ターゲット制御情報が配置されている制御リソースセット又はサーチスペースの開始時間ドメインシンボル又は終了時間ドメインシンボルとの相対的位置を示すためのものである。
【００２８】
第２の態様及びその上記実現形態に合わせて、第２の態様の別の実現形態において、前記ターゲット時間ドメインシンボル位置情報が長さパラメータを含み、前記長さパラメータが前記スケジューリング対象チャネルの占用する時間ドメインリソースの長さを示す。
【００２９】
第２の態様及びその上記実現形態に合わせて、第２の態様の別の実現形態において、前記ターゲット時間ドメインシンボル位置情報がタイプパラメータを含み、前記タイプパラメータが前記ターゲット時間ドメインシンボル位置情報のタイプを指示するためのものである。
【００３０】
第２の態様及びその上記実現形態に合わせて、第２の態様の別の実現形態において、前記ターゲット制御情報がタイプパラメータを含み、前記タイプパラメータが前記ターゲット時間ドメインシンボル位置情報のタイプを指示するためのものである。
【００３１】
第２の態様及びその上記実現形態に合わせて、第２の態様の別の実現形態において、前記リソース構成メッセージが前記少なくとも１つの時間ドメインシンボル位置情報に対応する少なくとも１つの時間スロットレベルオフセットパラメータを含み、前記ターゲット時間ドメインシンボル位置情報がターゲット時間スロットレベルオフセットパラメータに対応し、前記ターゲット時間スロットレベルオフセットパラメータが前記ターゲット時間ドメインシンボル位置情報のタイプを指示するためのものである。
【００３２】
第２の態様及びその上記実現形態に合わせて、第２の態様の別の実現形態において、前記ターゲット時間スロットレベルオフセットパラメータが０に等しくない場合、前記ターゲット時間ドメインシンボル位置情報のタイプが前記第１のタイプであり、又は、前記ターゲット時間スロットレベルオフセットパラメータが前記既定値以下である場合、前記ターゲット時間ドメインシンボル位置情報のタイプが前記第２のタイプである。
【００３３】
第２の態様及びその上記実現形態に合わせて、第２の態様の別の実現形態において、前記スケジューリング対象チャネルは、ＰＵＣＣＨ、ＰＤＣＣＨ、ＰＵＳＣＨやＰＤＳＣＨのいずれか１つである。
【００３４】
第２の態様及びその上記実現形態に合わせて、第２の態様の別の実現形態において、前記リソース構成メッセージは、ＲＲＣシグナリング又はシステム情報である。
【００３５】
第２の態様及びその上記実現形態に合わせて、第２の態様の別の実現形態において、前記ターゲット制御情報は、前記スケジューリング対象チャネルのＤＣＩをスケジューリングするためのものである。
【００３６】
したがって、本願の実施例のチャネル伝送の方法であって、ネットワーク機器は端末機器に少なくとも１つの時間ドメインシンボル位置情報を構成し、異なる時間ドメインシンボル位置情報はスケジューリング対象チャネルの占用する時間ドメインシンボルの異なる位置を指示するためのものであり、端末機器に該少なくとも１つの時間ドメインシンボル位置情報においてターゲット時間ドメインシンボル位置情報を指示するための情報を送信することによって、端末機器が該ターゲット時間ドメインシンボル位置情報を決定し、これにより、さらに該ターゲット時間ドメインシンボル位置情報のタイプを決定し、該ターゲット時間ドメインシンボル位置情報によって指示された位置を決定し、これにより該位置によってネットワーク機器とスケジューリング対象チャネルを伝送し、ターゲット時間ドメインシンボル位置情報のタイプが異なるため、時間ドメインシンボル位置を指示する方式も異なり、これにより時間ドメインシンボル位置情報に対する２つのタイプの柔軟な指示を実現し、例えば、スケジューリング対象チャネルがダウンリンク制御チャネルに近い場合、相対的ダウンリンク制御チャネルを用いてスケジューリング対象チャネルの開始シンボル位置を指示し、スケジューリング対象チャネルがダウンリンク制御チャネルから遠い場合、相対的スケジューリング対象チャネルが配置されている時間スロット開始位置を用いてスケジューリング対象チャネルの開始シンボル位置を指示することができる。
【００３７】
このように、ダウンリンク制御チャネルが時間スロットのどの位置にあっても、限られた制御シグナリングオーバーヘッドを最大限に利用し、スケジューリング対象チャネルの開始シンボル位置を有効的に指示することができるようになり、これにより、より柔軟で、より効率の高く、より時間遅延の低いデータチャネルリソース配分を実現する。
【００３８】
第３の態様では、端末機器を提供し、上記第１の態様又は第１の態様のいずれか可能な実現形態における方法を実行するためのものである。具体的に、該端末機器は上記第１の態様又は第１の態様のいずれか可能な実現形態における方法を実行するためのユニットを含む。
【００３９】
第４の態様では、ネットワーク機器を提供し、上記第２の態様又は第２の態様のいずれか可能な実現形態における方法を実行するためのものである。具体的に、該ネットワーク機器は上記第２の態様又は第２の態様のいずれか可能な実現形態における方法を実行するためのユニットを含む。
【００４０】
第５の態様では、端末機器を提供し、メモリとプロセッサを含み、該メモリが命令を記憶するためのものであり、該プロセッサが該メモリに記憶された命令を実行するためのものであり、かつ該プロセッサが該メモリに記憶された命令を実行する時、該実行により該プロセッサに第１の態様又は第１の態様のいずれか可能な実現形態における方法を実行させる。
【００４１】
第６の態様では、ネットワーク機器を提供し、メモリとプロセッサを含み、該メモリが命令を記憶するためのものであり、該プロセッサが該メモリに記憶された命令を実行するためのものであり、かつ該プロセッサが該メモリに記憶された命令を実行する時、該実行により該プロセッサに第２の態様又は第２の態様のいずれか可能な実現形態における方法を実行させる。
【００４２】
第７の態様では、コンピュータ可読媒体を提供し、コンピュータプログラムを記憶するためのものであり、該コンピュータプログラムが第１の態様又は第１の態様のいずれか可能な実現形態における方法を実行するための命令を含む。
【００４３】
第８の態様では、コンピュータ可読媒体を提供し、コンピュータプログラムを記憶するためのものであり、該コンピュータプログラムが第２の態様又は第２の態様のいずれか可能な実現形態における方法を実行するための命令を含む。
【００４４】
第９の態様では、命令を含むコンピュータプログラム製品を提供し、コンピュータが前記コンピュータプログラム製品の前記命令を実行する時、前記コンピュータは上記第１の態様又は第１の態様のいずれか可能な実現形態におけるチャネル伝送の方法を実行する。具体的に、該コンピュータプログラム製品は上記第３の態様の端末機器で実行され得る。
【００４５】
第１０の態様では、命令を含むコンピュータプログラム製品を提供し、コンピュータが前記コンピュータプログラム製品の前記命令を実行する時、前記コンピュータが上記第２の態様又は第２の態様のいずれか可能な実現形態におけるチャネル伝送の方法を実行する。具体的に、該コンピュータプログラム製品は上記第４の態様のネットワーク機器で実行され得る。
【図面の簡単な説明】
【００４６】
【図１】本願の実施例に基づくチャネル伝送の方法のフローチャートである。
【図２】本願の実施例に基づくスケジューリング対象チャネルの占用する開始時間ドメインシンボルの位置の概略図である。
【図３】本願の実施例に基づくスケジューリング対象チャネルの占用する開始時間ドメインシンボルの位置の別の概略図である。
【図４】本願の実施例に基づくスケジューリング対象チャネルの占用する開始時間ドメインシンボルの位置の別の概略図である。
【図５】本願の実施例に基づくスケジューリング対象チャネルの占用する開始時間ドメインシンボルの位置の別の概略図である。
【図６】本願の実施例に基づくチャネル伝送の方法の別のフローチャートである。
【図７】本願の実施例に基づく端末機器の概略ブロック図である。
【図８】本願の実施例に基づくネットワーク機器の概略ブロック図である。
【図９】本願の実施例に基づく端末機器の別の概略ブロック図である。
【図１０】本願の実施例に基づくネットワーク機器の別の概略ブロック図である。
【発明を実施するための形態】
【００４７】
以下、図面に合わせて、本願の実施例における技術的解決手段について説明する。
【００４８】
本願の実施例の技術的解決手段は、グローバルモバイルコミュニケーション（ｇｌｏｂａｌ  ｓｙｓｔｅｍ  ｏｆ  ｍｏｂｉｌｅ  ｃｏｍｍｕｎｉｃａｔｉｏｎ、ＧＳＭＣ）システム、コード分割多重アクセス（ｃｏｄｅ  ｄｉｖｉｓｉｏｎ  ｍｕｌｔｉｐｌｅ  ａｃｃｅｓｓ、ＣＤＭＡ）システム、ワイドバンドコードディビシオンマルチプルアクセス（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ（登録商標））システム、汎用パケット無線サービス（ｇｅｎｅｒａｌ  ｐａｃｋｅｔ  ｒａｄｉｏ  ｓｅｒｖｉｃｅ、ＧＰＲＳ）、ロングタームエボリューション（ｌｏｎｇ  ｔｅｒｍ  ｅｖｏｌｕｔｉｏｎ、ＬＴＥ（登録商標））システム、ＬＴＥ周波数分割デュプレックス（ｆｒｅｑｕｅｎｃｙ  ｄｉｖｉｓｉｏｎ  ｄｕｐｌｅｘ、ＦＤＤ）システム、ＬＴＥ時分割デュプレックス（Ｔｉｍｅ  Ｄｉｖｉｓｉｏｎ  Ｄｕｐｌｅｘ、ＴＤＤ）、汎用モバイル通信システム（ｕｎｉｖｅｒｓａｌ  ｍｏｂｉｌｅ  ｔｅｌｅｃｏｍｍｕｎｉｃａｔｉｏｎ  ｓｙｓｔｅｍ、ＵＭＴＳ）、グローバル相互接続マイクロ波アクセス（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ、ＷｉＭＡＸ）通信システム、未来の第５世代（５ｔｈ  ｇｅｎｅｒａｔｉｏｎ、５Ｇ）システム、又はニューラジオ（ｎｅｗ  ｒａｄｉｏ、ＮＲ）など様々な通信システムに適用できる。
【００４９】
本願の実施例における端末機器は、ユーザ機器、アクセス端末、ユーザユニット、ユーザステーション、モバイルステーション、モバイル局、遠方ステーション、リモート端末、モバイル機器、ユーザ端末、端末、無線通信機器、ユーザエージェント又はユーザ装置のことを指し得る。端末機器はさらに、セルラー電話、コードレス電話、セッション開始プロトコル（ｓｅｓｓｉｏｎ  ｉｎｉｔｉａｔｉｏｎ  ｐｒｏｔｏｃｏｌ、ＳＩＰ）電話、ワイヤレスローカルループ（ｗｉｒｅｌｅｓｓ  ｌｏｃａｌ  ｌｏｏｐ、ＷＬＬ）ステーション、パーソナルデジタルアシスタント（ｐｅｒｓｏｎａｌ  ｄｉｇｉｔａｌ  ａｓｓｉｓｔａｎｔ、ＰＤＡ）、ワイヤレス通信機能付きのハンドヘルド機器、コンピューティング機器又はワイヤレスモデムに接続されたこのほかのプロセッシング機器、車載機器、ウェアラブル機器、未来５Ｇネットワークでの端末機器または未来の進化型公共陸上モバイルネットワーク（ｐｕｂｌｉｃ  ｌａｎｄ  ｍｏｂｉｌｅ  ｎｅｔｗｏｒｋ、ＰＬＭＮ）における端末機器などであってもよく、本願の実施例はこれを限定しない。
【００５０】
本願の実施例におけるネットワーク機器は、端末機器と通信するための機器であってもよく、該ネットワーク機器は、ＧＳＭＣシステム又はＣＤＭＡでの基地局（ｂａｓｅ  ｔｒａｎｓｃｅｉｖｅｒ  ｓｔａｔｉｏｎ、ＢＴＳ）であってもよく、またＷＣＤＭＡシステムでの基地局（ＮｏｄｅＢ、ＮＢ）であってもよく、さらにＬＴＥシステムでの進化型基地局（ｅｖｏｌｕｔｉｏｎａｌ  ＮｏｄｅＢ、ｅＮＢ又はｅＮｏｄｅＢ）であってもよく、さらにクラウド無線アクセスネットワーク（ｃｌｏｕｄ  ｒａｄｉｏ  ａｃｃｅｓｓ  ｎｅｔｗｏｒｋ、ＣＲＡＮ）場合での無線コントローラーであってもよく、または該ネットワーク機器は、中継局、アクセスポイント、車載機器、ウェアラブル機器及び未来５Ｇネットワークでのネットワーク機器または未来の進化型ＰＬＭＮネットワークでのネットワーク機器などであってもよく、本願の実施例ではこれを限定しない。
【００５１】
図１は、本願の実施例に基づくチャネル伝送の方法１００のフローチャートを示しており、該方法１００は端末機器によって実行され得る。図１に示すように、該方法１００は、ネットワーク機器によって送信されたリソース構成メッセージを受信するステップＳ１１０であって、該リソース構成メッセージが少なくとも１つの時間ドメインシンボル位置情報を含み、該少なくとも１つの時間ドメインシンボル位置情報における異なる時間ドメインシンボル位置情報がスケジューリング対象チャネルの開始時間ドメインシンボルの異なる位置を指示するためのものであり、該少なくとも１つの時間ドメインシンボル位置情報のいずれか１つの時間ドメインシンボル位置情報のタイプが第１のタイプ又は第２のタイプであり、該第１のタイプの時間ドメインシンボル位置情報が該スケジューリング対象チャネルの占用する開始時間ドメインシンボルと該スケジューリング対象チャネルが配置されている時間スロットとの相対的位置を指示するためのものであり、該第２のタイプの時間ドメインシンボル位置情報が該スケジューリング対象チャネルの占用する開始時間ドメインシンボルとターゲット制御情報が配置されている時間ドメインリソースとの相対的位置を指示するためのものであるステップＳ１１０と、該少なくとも１つの時間ドメインシンボル位置情報においてターゲット時間ドメインシンボル位置情報のタイプを決定するステップＳ１２０と、該ターゲット時間ドメインシンボル位置情報のタイプに基づき、該ターゲット時間ドメインシンボル位置情報によって指示された該スケジューリング対象チャネルの占用する開始時間ドメインシンボルの位置がターゲット位置であると決定するステップＳ１３０と、該ターゲット位置に基づき、該ネットワーク機器と該スケジューリング対象チャネルを伝送するステップＳ１４０と、を含む。
【００５２】
選択的に、本願の実施例におけるスケジューリング対象チャネルは、ＰＵＣＣＨ、ＰＤＣＣＨ、ＰＵＳＣＨやＰＤＳＣＨのいずれか１つであってもよい。
【００５３】
具体的に、Ｓ１１０において、端末機器はネットワーク機器によって送信されたリソース構成メッセージを受信し、該リソース構成メッセージが少なくとも１つの時間ドメインシンボル位置情報を含み、例えば、該リソース構成メッセージがＲＲＣシグナリング又はシステム情報であってもよく、即ち、端末機器はネットワーク機器によって送信されたＲＲＣシグナリング又はシステム情報を受信し、該ＲＲＣシグナリング又はシステム情報が該少なくとも１つの時間ドメインシンボル位置情報を含む。そのうち、該少なくとも１つの時間ドメインシンボル位置情報において異なる時間ドメインシンボル位置情報が異なる時間ドメイン位置を指示するためのものであり、該異なる時間ドメイン位置がスケジューリング対象チャネルの占用する開始時間ドメインシンボルの可能な位置を示し、かつ該少なくとも１つの時間ドメインシンボル位置情報におけるいずれか１つの時間ドメインシンボル位置情報について、該いずれか１つの時間ドメインシンボル位置情報のタイプが第１のタイプ又は第２のタイプであり、異なるタイプの時間ドメインシンボル位置情報は異なる方式を通じてスケジューリング対象チャネルの占用する開始時間ドメインシンボル位置を指示する。
【００５４】
具体的に、第１のタイプの時間ドメインシンボル位置情報がスケジューリング対象チャネルの占用する開始時間ドメインシンボルと該スケジューリング対象チャネルが配置されている時間スロットとの相対的位置を指示するためのものであり、第２のタイプの時間ドメインシンボル位置情報が該スケジューリング対象チャネルの占用する開始時間ドメインシンボルとターゲット制御情報が配置されている時間ドメインリソースとの相対的位置を指示するためのものである。
【００５５】
本願の実施例におけるターゲット制御情報は、該スケジューリング対象チャネルをスケジューリングするためのダウンリンク制御情報（ｄｏｗｎｌｉｎｋ  ｃｏｎｔｒｏｌ  ｉｎｆｏｒｍａｔｉｏｎ、ＤＣＩ）であってもよいと理解すべきであり、本願の実施例はこれに限定されない。
【００５６】
本願の実施例において、該方法１００は、端末機器が該少なくとも１つの時間ドメインシンボル位置情報においてターゲット時間ドメインシンボル位置情報を決定し、かつＳ１２０において、端末機器が該ターゲット時間ドメインシンボル位置情報のタイプを決定し、即ち、該ターゲット時間ドメインシンボル位置情報が第１のタイプ又は第２のタイプであると決定するステップをさらに含む。
【００５７】
該端末機器は該少なくとも１つの時間ドメインシンボル位置情報においてターゲット時間ドメインシンボル位置情報を決定するステップは、端末機器はネットワーク機器によって送信されたターゲット制御情報を受信するステップであって、該ターゲット制御情報が該ターゲット時間ドメインシンボル位置情報を指示するためのものであり、これにより端末機器は該ターゲット制御情報に基づき、ターゲット時間ドメインシンボル位置情報を決定するステップを含み得ると理解すべきである。具体的に、該ターゲット制御情報に該ターゲット時間ドメインシンボル位置情報の識別子が含まれてもよく、例えば該ターゲット時間ドメインシンボル位置情報の番号が含まれる。該端末機器によって受信された少なくとも１つの時間ドメインシンボル位置情報においてそれぞれの時間ドメインシンボル位置情報はいずれもその独自の番号があり、該端末機器はターゲット制御情報に含まれた番号に基づき、対応するターゲット時間ドメインシンボル位置情報を決定する。
【００５８】
本願の実施例において、端末機器はターゲット時間ドメインシンボル位置情報のタイプを決定するステップは、端末機器はネットワーク機器によって送信されたターゲット制御情報を受信し、該ターゲット制御情報がターゲット時間ドメインシンボル位置情報及び該ターゲット時間ドメインシンボル位置情報のタイプを指示するためのものであるステップを含み得る。
【００５９】
選択的に、端末機器はターゲット時間ドメインシンボル位置情報のタイプを決定するステップはまた、該ターゲット時間ドメインシンボル位置情報がタイプパラメータを含み、端末機器は該タイプパラメータに基づき、該ターゲット時間ドメインシンボル位置情報のタイプを決定するステップを含み得る。例えば、端末機器によって受信された少なくとも１つの時間ドメインシンボル位置情報においてそれぞれの時間ドメインシンボル位置情報がいずれもタイプパラメータを含み、該タイプパラメータが対応する時間ドメインシンボル位置情報のタイプを指示するためのものであり、即ち、ターゲット時間ドメインシンボル位置情報に含まれたタイプパラメータが該ターゲット時間ドメインシンボル位置情報のタイプを指示するためのものである。
【００６０】
選択的に、端末機器はターゲット時間ドメインシンボル位置情報のタイプを決定するのはさらに、既定の規則に基づいて該ターゲット時間ドメインシンボル位置情報のタイプを決定するステップを含み得る。具体的に、端末機器はネットワーク機器によって送信されたリソース構成メッセージを受信し、該リソース構成メッセージが少なくとも１つの時間ドメインシンボル位置情報を含み、該少なくとも１つの時間ドメインシンボル位置情報に対応する少なくとも１つの時間スロットレベルオフセットパラメータをさらに含み、それぞれの時間スロットレベルオフセットパラメータが対応する時間ドメインシンボル位置情報のタイプを指示するためのものであり、例えば、該ターゲット時間ドメインシンボル位置情報に対応するターゲット時間スロットレベルオフセットパラメータが該ターゲット時間ドメインシンボル位置情報のタイプを指示するためのものである。
【００６１】
具体的に、端末機器は既定の規則に基づいてターゲット時間ドメインシンボル位置情報のタイプを決定し、既定の規則は、端末機器が該ターゲット時間スロットレベルオフセットパラメータに基づき、ターゲット時間ドメインシンボル位置情報のタイプを決定することであってもよい。具体的に、該ターゲット時間スロットレベルオフセットパラメータが０に等しくない場合、該ターゲット時間ドメインシンボル位置情報のタイプが第１のタイプであり、該ターゲット時間スロットレベルオフセットパラメータが０に等しい場合、該ターゲット時間ドメインシンボル位置情報のタイプが第２のタイプであるが、本願の実施例はこれに限定されない。
【００６２】
本願の実施例において、該ターゲット時間ドメインシンボル位置情報のタイプに基づき、該ターゲット時間ドメインシンボル位置情報によって指示された位置を決定する。具体的に、該ターゲット時間ドメインシンボル位置情報が該少なくとも１つの時間ドメインシンボル位置情報における任意の１つの時間ドメインシンボル位置情報である可能性があり、該ターゲット時間ドメインシンボル位置情報に相対的位置パラメータが含まれ、該ターゲット時間ドメインシンボル位置情報のタイプが第１のタイプ又は第２のタイプであってもよく、対応的に、該ターゲット時間ドメインシンボル位置情報における相対的位置パラメータも異なる意味を示す。
【００６３】
選択的に、１つの実施例として、該ターゲット時間ドメインシンボル位置情報が第１のタイプの時間ドメインシンボル位置情報である場合、即ち、該ターゲット時間ドメインシンボル位置情報がスケジューリング対象チャネルの占用する開始時間ドメインシンボルと該スケジューリング対象チャネルが配置されている時間スロットとの相対的位置を指示するためのものである場合、該ターゲット時間ドメインシンボル位置情報における相対的位置パラメータは該スケジューリング対象チャネルの占用する開始時間ドメインシンボルと該スケジューリング対象チャネルが配置されている時間スロットの開始時間ドメインシンボルとの相対的位置を示すことができる。
【００６４】
具体的に、図２を例として、１つの時間スロットについて、該時間スロットは１４つの時間ドメインシンボルを含み、該時間ドメインシンボルが直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルであってもよく、ダウンリンク制御チャネルが時間スロットのどの位置にあるかは事前に知らないため、一般的に該時間スロット内に可能な開始シンボル位置をできるだけ均一的に分布する。例えば、図２のクロスラインブロックの４つの位置がそれぞれ０、４、８及び１２番目の時間ドメインシンボルの位置であり、この４つの位置と該時間スロットの開始時間ドメインシンボル位置との相対的位置がそれぞれ０、４、８及び１２であると、４つの第１のタイプの時間ドメインシンボル位置情報によって該４つの位置をスケジューリング対象チャネルの占用する開始時間ドメインシンボルの位置とするとそれぞれ指示することができる。例えば、該ターゲット時間ドメインシンボル位置情報が第１のタイプであり、かつ該ターゲット時間ドメインシンボル位置情報によってスケジューリング対象チャネルの占用する開始時間ドメインシンボルの位置が図２における時間ドメインシンボル４であると示された場合、該ターゲット時間ドメインシンボル位置情報における相対的位置パラメータは該スケジューリング対象チャネルの占用する開始時間ドメインシンボルと時間スロットの開始時間ドメインシンボルとの相対的位置、即ち、４つの時間ドメインシンボルを示す。
【００６５】
第１のタイプの時間ドメインシンボル位置情報を用いることについて、ダウンリンク制御チャネル（例えばＰＤＣＣＨ）の位置は事前に知らないため、該ＰＤＣＣＨが図２に示すような時間ドメインシンボル５の位置にあると仮定すると、スケジューリング対象チャネルの占用する開始シンボル位置は一般的に該ＰＤＣＣＨに最も近い位置、即ち、時間ドメインシンボル８を選択する。しかし、このような選択であっても、両者の間に依然として２つの時間ドメインシンボルの間隔があり、これはスケジューリング対象チャネルが該ＰＤＣＣＨに密接して伝送されることができなくなるようにさせ、これにより低遅延のスケジューリングを実現できない。
【００６６】
選択的に、１つの実施例として、該ターゲット時間ドメインシンボル位置情報が第２のタイプの時間ドメインシンボル位置情報であり、即ち、該ターゲット時間ドメインシンボル位置情報が該スケジューリング対象チャネルの占用する開始時間ドメインシンボルとターゲット制御情報が配置されている時間ドメインリソースとの相対的位置を指示するためのものである場合、該ターゲット時間ドメインシンボル位置情報における相対的位置パラメータは該スケジューリング対象チャネルの占用する開始時間ドメインシンボルと該ターゲット制御情報が配置されている時間ドメインリソースとの相対的位置を示すことができる。選択的に、該ターゲット時間ドメインシンボル位置情報における相対的位置パラメータはまた、スケジューリング対象チャネルの占用する開始時間ドメインシンボルと該ターゲット制御情報が配置されている制御リソースセット又はサーチスペースの開始時間ドメインシンボル又は終了時間ドメインシンボルとの相対的位置を示すことができる。
【００６７】
具体的に、図３を例として、同じように１４つの時間ドメインシンボルを含む１つの時間スロットであって、該時間ドメインシンボルはＯＦＤＭシンボルであってもよく、ターゲット制御情報が載せられたダウンリンク制御チャネル、例えばＰＤＣＣＨは、任意の位置にあってもよく、該ＰＤＣＣＨ位置を決定した後、該ＰＤＣＣＨの位置の後にある任意の位置にスケジューリング対象チャネルの開始シンボルを設置してもよく、例えば、図３ではＰＤＣＣＨが時間ドメインシンボル４にあり、その後にある時間ドメインシンボル５、６、７及び１２はスケジューリング対象チャネルの開始時間ドメインシンボルの可能な位置として設定されてもよく、この４つの位置とＰＤＣＣＨが占用する時間ドメインシンボルとの相対的位置がそれぞれ１、２、３及び７であると、４つの第２のタイプの時間ドメインシンボル位置情報によって該４つの位置をそれぞれスケジューリング対象チャネルの占用する開始時間ドメインシンボルの位置とするとそれぞれ指示することができる。例えば、該ターゲット時間ドメインシンボル位置情報が第２のタイプであり、かつ該ターゲット時間ドメインシンボル位置情報によってスケジューリング対象チャネルの占用する開始時間ドメインシンボルの位置が図３における時間ドメインシンボル６であると示される場合、該ターゲット時間ドメインシンボル位置情報における相対的位置パラメータは該スケジューリング対象チャネルの占用する開始時間ドメインシンボルとターゲット制御情報（即ち、ＰＤＣＣＨ）の占用する開始時間ドメインシンボルとの相対的位置、即ち、２つの時間ドメインシンボルを示す。
【００６８】
該ターゲット時間ドメインシンボル位置情報が第２のタイプである場合、該ターゲット時間ドメインシンボル位置情報における相対的位置パラメータはまた、スケジューリング対象チャネルの占用する開始時間ドメインシンボルとターゲット制御情報が配置されている制御リソースセット又はサーチスペースとの相対的位置を示すことができ、例えば、該制御リソースセット又はサーチスペースの開始又は終了位置を基準とすることができると理解すべきである。
【００６９】
選択的に、図４を例として、スケジューリング対象チャネルの占用する開始時間ドメインシンボルが図４におけるクロスラインブロックに示すように、ターゲット制御情報が配置されている制御リソースセット又はサーチスペースが占用する時間ドメインリソースが図４に示すような点線ブロックである場合、対応的に、図４に示すように、ターゲット時間ドメインシンボル位置情報における相対的位置パラメータはスケジューリング対象チャネルの占用する開始時間ドメインシンボルとターゲット制御情報が配置されている制御リソースセット又はサーチスペースの開始時間ドメインシンボルとの相対的位置を示すことができる。
【００７０】
選択的に、図５を例として、スケジューリング対象チャネルの占用する開始時間ドメインシンボルが図５におけるクロスラインブロックに示すように、ターゲット制御情報が配置されている制御リソースセット又はサーチスペースの占用する時間ドメインリソースが図５に示すような点線ブロックである場合、対応的に、図５に示すように、ターゲット時間ドメインシンボル位置情報における相対的位置パラメータはスケジューリング対象チャネルの占用する開始時間ドメインシンボルとターゲット制御情報が配置されている制御リソースセット又はサーチスペースの終了時間ドメインシンボルとの相対的位置を示すことができる。
【００７１】
しかし、ターゲット時間ドメインシンボル位置情報に対して第２のタイプを用いると、ＰＤＣＣＨから遠く離れているチャネルを有効的にスケジューリングすることができず、例えば、スケジューリング対象チャネル開始シンボルとＰＤＣＣＨとの距離は１つの時間スロットを超える場合、このような方式によって指示すると第２のタイプの時間ドメインシンボル位置情報のオーバーヘッドが急激に増加するため、スケジューリング対象チャネルとＰＤＣＣＨとの距離が相対的近い場合にこのような方式を使用するのは一般的である。
【００７２】
本願の実施例における少なくとも１つの時間ドメインシンボル位置情報においてそれぞれの時間ドメインシンボル位置情報はまた、長さパラメータを含み得て、例えば、ターゲット時間ドメインシンボル位置情報に長さパラメータが含まれており、該長さパラメータはスケジューリング対象チャネルの占用する時間ドメインリソースの長さ、例えば該スケジューリング対象チャネルの占用する時間ドメインシンボルの個数を示すことができ、しかし本願の実施例はこれに限定されないと理解すべきである。
【００７３】
本願の実施例においてスケジューリング対象チャネルの占用する時間ドメインリソースは連続的なものであってもよく、即ち、１つの又は複数の連続する時間ドメインシンボルであってもよく、または、該スケジューリング対象チャネルの占用する時間ドメインリソースはまた、非連続的なものであってもよく、例えば、関連するアルゴリズムによってスケジューリング対象チャネルの占用する時間ドメインリソースにおいてそれぞれの時間ドメインシンボルの位置を決定することができ、本願の実施例はこれに限定されないと理解すべきである。
【００７４】
Ｓ１３０において、端末機器は該ターゲット時間ドメインシンボル位置情報のタイプに基づき、該ターゲット時間ドメインシンボル位置情報によって指示された位置がターゲット位置であると決定し、該ターゲット位置が該スケジューリング対象チャネルの占用する開始時間ドメインシンボルの位置であり、Ｓ１４０において、端末機器は該ターゲット位置に基づき、該ネットワーク機器と該スケジューリング対象チャネルを伝送する。
【００７５】
したがって、本願の実施例におけるチャネル伝送の方法であって、端末機器はネットワーク機器によって送信された少なくとも１つの時間ドメインシンボル位置情報を受信し、異なる時間ドメインシンボル位置情報はスケジューリング対象チャネルの占用する時間ドメインシンボルの異なる位置を指示するためのものであり、端末機器は該少なくとも１つの時間ドメインシンボル位置情報においてターゲット時間ドメインシンボル位置情報及び該ターゲット時間ドメインシンボル位置情報のタイプを決定し、これにより、さらに該ターゲット時間ドメインシンボル位置情報によって指示された位置を決定し、該位置によってスケジューリング対象チャネルを伝送し、ターゲット時間ドメインシンボル位置情報のタイプが異なるため、時間ドメインシンボル位置を指示する方式も異なり、これにより時間ドメインシンボル位置情報に対する２つのタイプの柔軟な指示を実現し、例えば、スケジューリング対象チャネルがダウンリンク制御チャネルに近い場合、相対的ダウンリンク制御チャネルを用いてスケジューリング対象チャネルの開始シンボル位置を指示し、スケジューリング対象チャネルがダウンリンク制御チャネルから遠い場合、相対的スケジューリング対象チャネルが配置されている時間スロット開始位置を用いてスケジューリング対象チャネルの開始シンボル位置を指示することができる。
【００７６】
このように、ダウンリンク制御チャネルが時間スロットのどの位置にあっても、限られた制御シグナリングオーバーヘッドを最大限に利用し、スケジューリング対象チャネルの開始シンボル位置を有効的に指示することができるようになり、これにより、より柔軟で、より効率の高く、より時間遅延の低いデータチャネルリソース配分を実現する。
【００７７】
以上は図１〜図５に合わせて、端末機器の観点から本願の実施例に基づくチャネル伝送の方法を詳細に説明したが、以下は図６にあわせて、ネットワーク機器の観点から本願の実施例に基づくチャネル伝送の方法を説明する。
【００７８】
図６は、本願の実施例に基づくチャネル伝送の方法２００のフローチャートを示しており、該方法２００はネットワーク機器によって実行されることができる。図６に示すように、該方法２００は、端末機器にリソース構成メッセージを送信するステップＳ２１０であって、該リソース構成メッセージが少なくとも１つの時間ドメインシンボル位置情報を含み、該少なくとも１つの時間ドメインシンボル位置情報における異なる時間ドメインシンボル位置情報が該端末機器のスケジューリング対象チャネルの占用する開始時間ドメインシンボルの異なる位置を指示するためのものであり、該少なくとも１つの時間ドメインシンボル位置情報のいずれか１つの時間ドメインシンボル位置情報のタイプが第１のタイプ又は第２のタイプであり、該第１のタイプの時間ドメインシンボル位置情報が該スケジューリング対象チャネルの占用する開始時間ドメインシンボルと該スケジューリング対象チャネルが配置されている時間スロットとの相対的位置を指示するためのものであり、該第２のタイプの時間ドメインシンボル位置情報が該スケジューリング対象チャネルの占用する開始時間ドメインシンボルとターゲット制御情報が配置されている時間ドメインリソースとの相対的位置を指示するためのものであるステップＳ２１０と、該端末機器に該ターゲット制御情報を送信するステップＳ２２０であって、該ターゲット制御情報は該端末機器が該少なくとも１つの時間ドメインシンボル位置情報においてターゲット時間ドメインシンボル位置情報を決定するためのものであるステップＳ２２０と、該ターゲット制御情報によって指示された該スケジューリング対象チャネルの占用する開始時間ドメインシンボルの位置に基づき、該端末機器と該スケジューリング対象チャネルを伝送するステップＳ２３０と、を含む。
【００７９】
したがって、本願の実施例のチャネル伝送の方法であって、ネットワーク機器は端末機器に少なくとも１つの時間ドメインシンボル位置情報を構成し、異なる時間ドメインシンボル位置情報はスケジューリング対象チャネルの占用する時間ドメインシンボルの異なる位置を指示するためのものであり、端末機器に該少なくとも１つの時間ドメインシンボル位置情報においてターゲット時間ドメインシンボル位置情報を指示するための情報を送信することによって、端末機器が該ターゲット時間ドメインシンボル位置情報を決定し、これにより、さらに該ターゲット時間ドメインシンボル位置情報のタイプを決定し、該ターゲット時間ドメインシンボル位置情報によって指示された位置を決定し、これにより該位置によってネットワーク機器とスケジューリング対象チャネルを伝送し、ターゲット時間ドメインシンボル位置情報のタイプが異なるため、時間ドメインシンボル位置を指示する方式も異なり、これにより時間ドメインシンボル位置情報に対する２つのタイプの柔軟な指示を実現し、例えば、スケジューリング対象チャネルがダウンリンク制御チャネルに近い場合、相対的ダウンリンク制御チャネルを用いてスケジューリング対象チャネルの開始シンボル位置を指示し、スケジューリング対象チャネルがダウンリンク制御チャネルから遠い場合、相対的スケジューリング対象チャネルが配置されている時間スロット開始位置を用いてスケジューリング対象チャネルの開始シンボル位置を指示することができる。
【００８０】
このように、ダウンリンク制御チャネルが時間スロットのどの位置にあっても、限られた制御シグナリングオーバーヘッドを最大限に利用し、スケジューリング対象チャネルの開始シンボル位置を有効的に指示することができるようになり、これにより、より柔軟で、より効率の高く、より時間遅延の低いデータチャネルリソース配分を実現する。
【００８１】
選択的に、該ターゲット時間ドメインシンボル位置情報が相対的位置パラメータを含み、該ターゲット時間ドメインシンボル位置情報が該第１のタイプである場合、該相対的位置パラメータが該スケジューリング対象チャネルの占用する開始時間ドメインシンボルと該スケジューリング対象チャネルが配置されている時間スロットの開始時間ドメインシンボルとの相対的位置を示すためのものであり、該ターゲット時間ドメインシンボル位置情報が該第２のタイプである場合、該相対的位置パラメータが該スケジューリング対象チャネルの占用する開始時間ドメインシンボルと該ターゲット制御情報が配置されている時間ドメインリソースとの相対的位置を示すためのものである。
【００８２】
選択的に、該ターゲット時間ドメインシンボル位置情報が該第２のタイプである場合、該相対的位置パラメータが該スケジューリング対象チャネルの占用する開始時間ドメインシンボルと該ターゲット制御情報が配置されている制御リソースセット又はサーチスペースの開始時間ドメインシンボル又は終了時間ドメインシンボルとの相対的位置を示すためのものである。
【００８３】
選択的に、該ターゲット時間ドメインシンボル位置情報が長さパラメータを含み、該長さパラメータが該スケジューリング対象チャネルの占用する時間ドメインリソースの長さを示す。
【００８４】
選択的に、該ターゲット時間ドメインシンボル位置情報がタイプパラメータを含み、該タイプパラメータが該ターゲット時間ドメインシンボル位置情報のタイプを指示するためのものである。
【００８５】
選択的に、該ターゲット制御情報がタイプパラメータを含み、該タイプパラメータが該ターゲット時間ドメインシンボル位置情報のタイプを指示するためのものである。
【００８６】
選択的に、該リソース構成メッセージが該少なくとも１つの時間ドメインシンボル位置情報に対応する少なくとも１つの時間スロットレベルオフセットパラメータを含み、該ターゲット時間ドメインシンボル位置情報がターゲット時間スロットレベルオフセットパラメータに対応し、該ターゲット時間スロットレベルオフセットパラメータが該ターゲット時間ドメインシンボル位置情報のタイプを指示するためのものである。
【００８７】
選択的に、該ターゲット時間スロットレベルオフセットパラメータが０に等しくない場合、該ターゲット時間ドメインシンボル位置情報のタイプが該第１のタイプであり、又は、該ターゲット時間スロットレベルオフセットパラメータが該既定値以下である場合、該ターゲット時間ドメインシンボル位置情報のタイプが該第２のタイプである。
【００８８】
選択的に、該スケジューリング対象チャネルは、ＰＵＣＣＨ、ＰＤＣＣＨ、ＰＵＳＣＨやＰＤＳＣＨのいずれか１つである。
【００８９】
選択的に、該リソース構成メッセージは、ＲＲＣシグナリング又はシステム情報である。
【００９０】
選択的に、該ターゲット制御情報は、該スケジューリング対象チャネルをスケジューリングするためのＤＣＩである。
【００９１】
該方法２００におけるネットワーク機器は本願の実施例における方法１００におけるネットワーク機器に対応してもよく、該方法２００における端末機器は本願の実施例における方法１００における端末機器に対応してもよく、ここでは繰り返して説明しないと理解すべきである。
【００９２】
したがって、本願の実施例のチャネル伝送の方法であって、ネットワーク機器は端末機器に少なくとも１つの時間ドメインシンボル位置情報を構成し、異なる時間ドメインシンボル位置情報はスケジューリング対象チャネルの占用する時間ドメインシンボルの異なる位置を指示するためのものであり、端末機器に該少なくとも１つの時間ドメインシンボル位置情報においてターゲット時間ドメインシンボル位置情報を指示するための情報を送信することによって、端末機器が該ターゲット時間ドメインシンボル位置情報を決定し、これにより、さらに該ターゲット時間ドメインシンボル位置情報のタイプを決定し、該ターゲット時間ドメインシンボル位置情報によって指示された位置を決定し、これにより該位置によってネットワーク機器とスケジューリング対象チャネルを伝送し、ターゲット時間ドメインシンボル位置情報のタイプが異なるため、時間ドメインシンボル位置を指示する方式も異なり、これにより時間ドメインシンボル位置情報に対する２つのタイプの柔軟な指示を実現し、例えば、スケジューリング対象チャネルがダウンリンク制御チャネルに近い場合、相対的ダウンリンク制御チャネルを用いてスケジューリング対象チャネルの開始シンボル位置を指示し、スケジューリング対象チャネルがダウンリンク制御チャネルから遠い場合、相対的スケジューリング対象チャネルが配置されている時間スロット開始位置を用いてスケジューリング対象チャネルの開始シンボル位置を指示することができる。
【００９３】
このように、ダウンリンク制御チャネルが時間スロットのどの位置にあっても、限られた制御シグナリングオーバーヘッドを最大限に利用し、スケジューリング対象チャネルの開始シンボル位置を有効的に指示することができるようになり、これにより、より柔軟で、より効率の高く、より時間遅延の低いデータチャネルリソース配分を実現する。
【００９４】
本願の様々な実施例において、上記各プロセスのシリアルナンバーの大きさは実行される順序と意味しておらず、各プロセスの実行される順序はその機能と内部ロジックによって決定されるべきであり、本願の実施例の実施プロセスを如何なる限定を構成しているべきではないと理解すべきである。
【００９５】
なお、本明細書の「及び／又は」という用語は、関連するオブジェクトを説明する関連関係にすぎず、３つの関係が存在してもよいと示し、例えば、Ａ及び／又はＢは、Ａが単独で存在する状況、ＡとＢが同時に存在する状況、Ｂが単独で存在する状況という３つの状況を示すことができる。なお、本明細書では「／」というキャラクターは一般的に、前後の関連するオブジェクトが「又は」という関係であると示す。
【００９６】
以上は図１〜図６に合わせて、本願の実施例に基づくチャネル伝送の方法を詳細に説明したが、以下は図７〜図１０に合わせて、本願の実施例に基づく端末機器及びネットワーク機器を説明する。
【００９７】
図７に示すように、本願の実施例に基づく端末機器３００は、トランシーバユニット３１０と決定ユニット３２０を含む。具体的に、該トランシーバユニット３１０は、ネットワーク機器によって送信されたリソース構成メッセージを受信するためのものであり、該リソース構成メッセージが少なくとも１つの時間ドメインシンボル位置情報を含み、該少なくとも１つの時間ドメインシンボル位置情報における異なる時間ドメインシンボル位置情報はスケジューリング対象チャネルの占用する開始時間ドメインシンボルの異なる位置を指示するためのものであり、該少なくとも１つの時間ドメインシンボル位置情報のいずれか１つの時間ドメインシンボル位置情報のタイプが第１のタイプ又は第２のタイプであり、該第１のタイプの時間ドメインシンボル位置情報が該スケジューリング対象チャネルの占用する開始時間ドメインシンボルと該スケジューリング対象チャネルが配置されている時間スロットとの相対的位置を指示するためのものであり、該第２のタイプの時間ドメインシンボル位置情報が該スケジューリング対象チャネルの占用する開始時間ドメインシンボルとターゲット制御情報が配置されている時間ドメインリソースとの相対的位置を指示するためのものであり、該決定ユニット３２０は、該少なくとも１つの時間ドメインシンボル位置情報においてターゲット時間ドメインシンボル位置情報のタイプを決定するためのものであり、該決定ユニット３２０は、該ターゲット時間ドメインシンボル位置情報のタイプに基づき、該ターゲット時間ドメインシンボル位置情報によって指示された該スケジューリング対象チャネルの占用する開始時間ドメインシンボルの位置がターゲット位置であると決定するためのものであり、該トランシーバユニット３１０は、該ターゲット位置に基づき、該ネットワーク機器と該スケジューリング対象チャネルを伝送するためのものである。
【００９８】
選択的に、該ターゲット時間ドメインシンボル位置情報が相対的位置パラメータを含み、該ターゲット時間ドメインシンボル位置情報が該第１のタイプである場合、該相対的位置パラメータが該スケジューリング対象チャネルの占用する開始時間ドメインシンボルと該スケジューリング対象チャネルが配置されている時間スロットの開始時間ドメインシンボルとの相対的位置を示すためのものであり、該ターゲット時間ドメインシンボル位置情報が該第２のタイプである場合、該相対的位置パラメータが該スケジューリング対象チャネルの占用する開始時間ドメインシンボルと該ターゲット制御情報が配置されている時間ドメインリソースとの相対的位置を示すためのものである。
【００９９】
選択的に、該ターゲット時間ドメインシンボル位置情報が該第２のタイプである場合、該相対的位置パラメータが該スケジューリング対象チャネルの占用する開始時間ドメインシンボルと該ターゲット制御情報が配置されている制御リソースセット又はサーチスペースの開始時間ドメインシンボル又は終了時間ドメインシンボルとの相対的位置を示すためのものである。
【０１００】
選択的に、該ターゲット時間ドメインシンボル位置情報が長さパラメータを含み、該長さパラメータが該スケジューリング対象チャネルの占用する時間ドメインリソースの長さを示す。
【０１０１】
選択的に、該トランシーバユニット３１０は具体的に、該決定ユニット３２０が該少なくとも１つの時間ドメインシンボル位置情報においてターゲット時間ドメインシンボル位置情報のタイプを決定する前に、該ネットワーク機器によって送信された該ターゲット制御情報を受信するために使用され、該ターゲット制御情報が該ターゲット時間ドメインシンボル位置情報を指示するためのものであり、該決定ユニット３２０は具体的に、該ターゲット制御情報に基づき、該ターゲット時間ドメインシンボル位置情報を決定するために使用される。
【０１０２】
選択的に、該ターゲット制御情報がタイプパラメータを含み、該タイプパラメータが該ターゲット時間ドメインシンボル位置情報のタイプを指示するためのものである。
【０１０３】
選択的に、該ターゲット時間ドメインシンボル位置情報がタイプパラメータを含み、該タイプパラメータが該ターゲット時間ドメインシンボル位置情報のタイプを指示するためのものである。
【０１０４】
選択的に、該リソース構成メッセージが該少なくとも１つの時間ドメインシンボル位置情報に対応する少なくとも１つの時間スロットレベルオフセットパラメータを含み、該ターゲット時間ドメインシンボル位置情報がターゲット時間スロットレベルオフセットパラメータに対応し、該決定ユニット３２０は具体的に、該ターゲット時間スロットレベルオフセットパラメータに基づき、該ターゲット時間ドメインシンボル位置情報のタイプを決定するために使用される。
【０１０５】
選択的に、該決定ユニット３２０は具体的に、該ターゲット時間スロットレベルオフセットパラメータが０に等しくない場合、該ターゲット時間ドメインシンボル位置情報のタイプを該第１のタイプとして決定する、又は、該ターゲット時間スロットレベルオフセットパラメータが０に等しい場合、該ターゲット時間ドメインシンボル位置情報のタイプを該第２のタイプとして決定するために使用される。
【０１０６】
選択的に、該スケジューリング対象チャネルは、ＰＵＣＣＨ、ＰＤＣＣＨ、ＰＵＳＣＨやＰＤＳＣＨのいずれか１つである。
【０１０７】
選択的に、該リソース構成メッセージは、ＲＲＣシグナリング又はシステム情報である。
【０１０８】
選択的に、該ターゲット制御情報は、該スケジューリング対象チャネルをスケジューリングするためのダウンリンク制御情報ＤＣＩである。
【０１０９】
本願の実施例に基づく端末機器３００は本願の実施例における方法１００を対応的に実行してもよく、かつ端末機器３００における各ユニットの上記と他の操作及び／又は機能はそれぞれ図１〜図６における各方法の端末機器の対応するフローを実現するためのものであると理解すべきであり、簡潔のため、ここでは繰り返して説明しない。
【０１１０】
したがって、本願の実施例の端末機器はネットワーク機器によって送信された少なくとも１つの時間ドメインシンボル位置情報を受信し、異なる時間ドメインシンボル位置情報はスケジューリング対象チャネルの占用する時間ドメインシンボルの異なる位置を指示するためのものであり、端末機器は該少なくとも１つの時間ドメインシンボル位置情報においてターゲット時間ドメインシンボル位置情報及び該ターゲット時間ドメインシンボル位置情報のタイプを決定し、これにより、さらに該ターゲット時間ドメインシンボル位置情報によって指示された位置を決定し、該位置によってスケジューリング対象チャネルを伝送し、ターゲット時間ドメインシンボル位置情報のタイプが異なるため、時間ドメインシンボル位置を指示する方式も異なり、これにより時間ドメインシンボル位置情報に対する２つのタイプの柔軟な指示を実現し、例えば、スケジューリング対象チャネルがダウンリンク制御チャネルに近い場合、相対的ダウンリンク制御チャネルを用いてスケジューリング対象チャネルの開始シンボル位置を指示し、スケジューリング対象チャネルがダウンリンク制御チャネルから遠い場合、相対的スケジューリング対象チャネルが配置されている時間スロット開始位置を用いてスケジューリング対象チャネルの開始シンボル位置を指示することができる。
【０１１１】
このように、ダウンリンク制御チャネルが時間スロットのどの位置にあっても、限られた制御シグナリングオーバーヘッドを最大限に利用し、スケジューリング対象チャネルの開始シンボル位置を有効的に指示することができるようになり、これにより、より柔軟で、より効率の高く、より時間遅延の低いデータチャネルリソース配分を実現する。
【０１１２】
図８に示すように、本願の実施例に基づくネットワーク機器４００は、トランシーバユニット４１０を含む。具体的に、該トランシーバユニット４１０は、端末機器にリソース構成メッセージを送信することであって、該リソース構成メッセージが少なくとも１つの時間ドメインシンボル位置情報を含み、該少なくとも１つの時間ドメインシンボル位置情報における異なる時間ドメインシンボル位置情報が該端末機器のスケジューリング対象チャネルの占用する開始時間ドメインシンボルの異なる位置を指示するためのものであり、該少なくとも１つの時間ドメインシンボル位置情報のいずれか１つの時間ドメインシンボル位置情報のタイプが第１のタイプ又は第２のタイプであり、該第１のタイプの時間ドメインシンボル位置情報が該スケジューリング対象チャネルの占用する開始時間ドメインシンボルと該スケジューリング対象チャネルが配置されている時間スロットとの相対的位置を指示するためのものであり、該第２のタイプの時間ドメインシンボル位置情報が該スケジューリング対象チャネルの占用する開始時間ドメインシンボルとターゲット制御情報が配置されている時間ドメインリソースとの相対的位置を指示するためのものであること、該端末機器に該ターゲット制御情報を送信することであって、該ターゲット制御情報は該端末機器が該少なくとも１つの時間ドメインシンボル位置情報においてターゲット時間ドメインシンボル位置情報を決定するためのものであること、及び該ターゲット制御情報によって指示された該スケジューリング対象チャネルの占用する開始時間ドメインシンボルの位置に基づき、該端末機器と該スケジューリング対象チャネルを伝送すること、に用いられる。
【０１１３】
選択的に、該ターゲット時間ドメインシンボル位置情報が相対的位置パラメータを含み、該ターゲット時間ドメインシンボル位置情報が該第１のタイプである場合、該相対的位置パラメータが該スケジューリング対象チャネルの占用する開始時間ドメインシンボルと該スケジューリング対象チャネルが配置されている時間スロットの開始時間ドメインシンボルとの相対的位置を示すためのものであり、該ターゲット時間ドメインシンボル位置情報が該第２のタイプである場合、該相対的位置パラメータが該スケジューリング対象チャネルの占用する開始時間ドメインシンボルと該ターゲット制御情報が配置されている時間ドメインリソースとの相対的位置を示すためのものである。
【０１１４】
選択的に、該ターゲット時間ドメインシンボル位置情報が該第２のタイプである場合、該相対的位置パラメータが該スケジューリング対象チャネルの占用する開始時間ドメインシンボルと該ターゲット制御情報が配置されている制御リソースセット又はサーチスペースの開始時間ドメインシンボル又は終了時間ドメインシンボルとの相対的位置を示すためのものである。
【０１１５】
選択的に、該ターゲット時間ドメインシンボル位置情報が長さパラメータを含み、該長さパラメータが該スケジューリング対象チャネルの占用する時間ドメインリソースの長さを示す。
【０１１６】
選択的に、該ターゲット時間ドメインシンボル位置情報がタイプパラメータを含み、該タイプパラメータが該ターゲット時間ドメインシンボル位置情報のタイプを指示するためのものである。
【０１１７】
選択的に、該ターゲット制御情報がタイプパラメータを含み、該タイプパラメータが該ターゲット時間ドメインシンボル位置情報のタイプを指示するためのものである。
【０１１８】
選択的に、該リソース構成メッセージが該少なくとも１つの時間ドメインシンボル位置情報に対応する少なくとも１つの時間スロットレベルオフセットパラメータを含み、該ターゲット時間ドメインシンボル位置情報がターゲット時間スロットレベルオフセットパラメータに対応し、該ターゲット時間スロットレベルオフセットパラメータが該ターゲット時間ドメインシンボル位置情報のタイプを指示するためのものである。
【０１１９】
選択的に、該ターゲット時間スロットレベルオフセットパラメータが０に等しくない場合、該ターゲット時間ドメインシンボル位置情報のタイプが該第１のタイプであり、又は、該ターゲット時間スロットレベルオフセットパラメータが該既定値以下である場合、該ターゲット時間ドメインシンボル位置情報のタイプが該第２のタイプである。
【０１２０】
選択的に、該スケジューリング対象チャネルは、ＰＵＣＣＨ、ＰＤＣＣＨ、ＰＵＳＣＨやＰＤＳＣＨのいずれか１つである。
【０１２１】
選択的に、該リソース構成メッセージは、ＲＲＣシグナリング又はシステム情報である。
【０１２２】
選択的に、該ターゲット制御情報は、該スケジューリング対象チャネルをスケジューリングするためのＤＣＩである。
【０１２３】
本願の実施例に基づくネットワーク機器４００は、本願の実施例における方法２００を対応的に実行してもよく、かつネットワーク機器４００における各ユニットの上記と他の操作及び／又は機能はそれぞれ図１〜図６における各方法のネットワーク機器の対応するフローを実現するためのものであると理解すべきであり、簡潔のため、ここでは繰り返して説明しない。
【０１２４】
したがって、本願の実施例のネットワーク機器は端末機器に少なくとも１つの時間ドメインシンボル位置情報を構成し、異なる時間ドメインシンボル位置情報はスケジューリング対象チャネルの占用する時間ドメインシンボルの異なる位置を指示するためのものであり、端末機器に該少なくとも１つの時間ドメインシンボル位置情報においてターゲット時間ドメインシンボル位置情報を指示するための情報を送信することによって、端末機器が該ターゲット時間ドメインシンボル位置情報を決定し、これにより、さらに該ターゲット時間ドメインシンボル位置情報のタイプを決定し、該ターゲット時間ドメインシンボル位置情報によって指示された位置を決定し、これにより該位置によってネットワーク機器とスケジューリング対象チャネルを伝送し、ターゲット時間ドメインシンボル位置情報のタイプが異なるため、時間ドメインシンボル位置を指示する方式も異なり、これにより時間ドメインシンボル位置情報に対する２つのタイプの柔軟な指示を実現し、例えば、スケジューリング対象チャネルがダウンリンク制御チャネルに近い場合、相対的ダウンリンク制御チャネルを用いてスケジューリング対象チャネルの開始シンボル位置を指示し、スケジューリング対象チャネルがダウンリンク制御チャネルから遠い場合、相対的スケジューリング対象チャネルが配置されている時間スロット開始位置を用いてスケジューリング対象チャネルの開始シンボル位置を指示することができる。
【０１２５】
このように、ダウンリンク制御チャネルが時間スロットのどの位置にあっても、限られた制御シグナリングオーバーヘッドを最大限に利用し、スケジューリング対象チャネルの開始シンボル位置を有効的に指示することができるようになり、これにより、より柔軟で、より効率の高く、より時間遅延の低いデータチャネルリソース配分を実現する。
【０１２６】
図９は、本願の実施例に基づく端末機器５００の概略ブロック図を示しており、図９に示すように、該端末機器５００は、プロセッサ５１０とトランシーバ５２０を含み、プロセッサ５１０がトランシーバ５２０に接続され、選択的に、該端末機器５００はメモリ５３０をさらに含み、メモリ５３０がプロセッサ５１０に接続される。そのうち、プロセッサ５１０、メモリ５３０及びトランシーバ５２０は内部接続通路を介して互いに通信され、データ信号を伝達及び／又は制御し、該メモリ５３０が命令を記憶するためのものであり、該プロセッサ５１０が該メモリ５３０に記憶された命令を実行するためのものであり、これによりトランシーバ５２０が情報又は信号を送信するように制御し、該トランシーバ５２０は、ネットワーク機器によって送信されたリソース構成メッセージを受信するために使用され、該リソース構成メッセージが少なくとも１つの時間ドメインシンボル位置情報を含み、該少なくとも１つの時間ドメインシンボル位置情報における異なる時間ドメインシンボル位置情報はスケジューリング対象チャネルの占用する開始時間ドメインシンボルの異なる位置を指示するためのものであり、該少なくとも１つの時間ドメインシンボル位置情報のいずれか１つの時間ドメインシンボル位置情報のタイプが第１のタイプ又は第２のタイプであり、該第１のタイプの時間ドメインシンボル位置情報が該スケジューリング対象チャネルの占用する開始時間ドメインシンボルと該スケジューリング対象チャネルが配置されている時間スロットとの相対的位置を指示するためのものであり、該第２のタイプの時間ドメインシンボル位置情報が該スケジューリング対象チャネルの占用する開始時間ドメインシンボルとターゲット制御情報が配置されている時間ドメインリソースとの相対的位置を指示するためのものである。該プロセッサ５１０は、該少なくとも１つの時間ドメインシンボル位置情報においてターゲット時間ドメインシンボル位置情報のタイプを決定すること、及び該ターゲット時間ドメインシンボル位置情報のタイプに基づき、該ターゲット時間ドメインシンボル位置情報によって指示された該スケジューリング対象チャネルの占用する開始時間ドメインシンボルの位置がターゲット位置であると決定することに用いられる。該トランシーバ５２０は、該ターゲット位置に基づき、該ネットワーク機器と該スケジューリング対象チャネルを伝送することに用いられる。
【０１２７】
選択的に、１つの実施例として、該ターゲット時間ドメインシンボル位置情報が相対的位置パラメータを含み、該ターゲット時間ドメインシンボル位置情報が該第１のタイプである場合、該相対的位置パラメータが該スケジューリング対象チャネルの占用する開始時間ドメインシンボルと該スケジューリング対象チャネルが配置されている時間スロットの開始時間ドメインシンボルとの相対的位置を示すためのものであり、該ターゲット時間ドメインシンボル位置情報が該第２のタイプである場合、該相対的位置パラメータが該スケジューリング対象チャネルの占用する開始時間ドメインシンボルと該ターゲット制御情報が配置されている時間ドメインリソースとの相対的位置を示すためのものである。
【０１２８】
選択的に、１つの実施例として、該ターゲット時間ドメインシンボル位置情報が該第２のタイプである場合、該相対的位置パラメータが該スケジューリング対象チャネルの占用する開始時間ドメインシンボルと該ターゲット制御情報が配置されている制御リソースセット又はサーチスペースの開始時間ドメインシンボル又は終了時間ドメインシンボルとの相対的位置を示すためのものである。
【０１２９】
選択的に、１つの実施例として、該ターゲット時間ドメインシンボル位置情報が長さパラメータを含み、該長さパラメータが該スケジューリング対象チャネルの占用する時間ドメインリソースの長さを示す。
【０１３０】
選択的に、１つの実施例として、該トランシーバ５２０は、該プロセッサ５１０が該少なくとも１つの時間ドメインシンボル位置情報においてターゲット時間ドメインシンボル位置情報のタイプを決定する前に、該ネットワーク機器によって送信された該ターゲット制御情報を受信するために使用され、該ターゲット制御情報が該ターゲット時間ドメインシンボル位置情報を指示するためのものである。該プロセッサ５１０は、該ターゲット制御情報に基づき、該ターゲット時間ドメインシンボル位置情報を決定するために使用される。
【０１３１】
選択的に、１つの実施例として、該ターゲット制御情報がタイプパラメータを含み、該タイプパラメータが該ターゲット時間ドメインシンボル位置情報のタイプを指示するためのものである。
【０１３２】
選択的に、１つの実施例として、該ターゲット時間ドメインシンボル位置情報がタイプパラメータを含み、該タイプパラメータが該ターゲット時間ドメインシンボル位置情報のタイプを指示するためのものである。
【０１３３】
選択的に、１つの実施例として、該リソース構成メッセージが該少なくとも１つの時間ドメインシンボル位置情報に対応する少なくとも１つの時間スロットレベルオフセットパラメータを含み、該ターゲット時間ドメインシンボル位置情報がターゲット時間スロットレベルオフセットパラメータに対応し、該プロセッサ５１０は、該ターゲット時間スロットレベルオフセットパラメータに基づき、該ターゲット時間ドメインシンボル位置情報のタイプを決定するためのものである。
【０１３４】
選択的に、１つの実施例として、該プロセッサ５１０は、該ターゲット時間スロットレベルオフセットパラメータが０に等しくない場合、該ターゲット時間ドメインシンボル位置情報のタイプを該第１のタイプとして決定する、又は、該ターゲット時間スロットレベルオフセットパラメータが０に等しい場合、該ターゲット時間ドメインシンボル位置情報のタイプを該第２のタイプとして決定するためのものである。
【０１３５】
選択的に、１つの実施例として、該スケジューリング対象チャネルは、ＰＵＣＣＨ、ＰＤＣＣＨ、ＰＵＳＣＨやＰＤＳＣＨのいずれか１つである。
【０１３６】
選択的に、１つの実施例として、該リソース構成メッセージは、ＲＲＣシグナリング又はシステム情報である。
【０１３７】
選択的に、１つの実施例として、該ターゲット制御情報は、該スケジューリング対象チャネルをスケジューリングするためのＤＣＩである。
【０１３８】
本願の実施例に基づく端末機器５００は本願の実施例における端末機器３００に対応してもよく、且つ本願の実施例に基づく方法１００を実行する時の対応する主体に対応してもよく、かつ端末機器５００における各ユニットの上記と他の操作及び／又は機能はそれぞれ図１〜図６における各方法における端末機器の対応するフローを実現するためのものであると理解すべきであり、簡潔のため、ここでは繰り返して説明しない。
【０１３９】
したがって、本願の実施例の端末機器はネットワーク機器によって送信された少なくとも１つの時間ドメインシンボル位置情報を受信し、異なる時間ドメインシンボル位置情報はスケジューリング対象チャネルの占用する時間ドメインシンボルの異なる位置を指示するためのものであり、端末機器は該少なくとも１つの時間ドメインシンボル位置情報においてターゲット時間ドメインシンボル位置情報及び該ターゲット時間ドメインシンボル位置情報のタイプを決定し、これにより、さらに該ターゲット時間ドメインシンボル位置情報によって指示された位置を決定し、該位置によってスケジューリング対象チャネルを伝送し、ターゲット時間ドメインシンボル位置情報のタイプが異なるため、時間ドメインシンボル位置を指示する方式も異なり、これにより時間ドメインシンボル位置情報に対する２つのタイプの柔軟な指示を実現し、例えば、スケジューリング対象チャネルがダウンリンク制御チャネルに近い場合、相対的ダウンリンク制御チャネルを用いてスケジューリング対象チャネルの開始シンボル位置を指示し、スケジューリング対象チャネルがダウンリンク制御チャネルから遠い場合、相対的スケジューリング対象チャネルが配置されている時間スロット開始位置を用いてスケジューリング対象チャネルの開始シンボル位置を指示することができる。
【０１４０】
このように、ダウンリンク制御チャネルが時間スロットのどの位置にあっても、限られた制御シグナリングオーバーヘッドを最大限に利用し、スケジューリング対象チャネルの開始シンボル位置を有効的に指示することができるようになり、これにより、より柔軟で、より効率の高く、より時間遅延の低いデータチャネルリソース配分を実現する。
【０１４１】
図１０は、本願の実施例に基づくネットワーク機器６００の概略ブロック図を示しており、図１０に示すように、該ネットワーク機器６００は、プロセッサ６１０とトランシーバ６２０を含み、プロセッサ６１０がトランシーバ６２０に接続され、選択的に、該ネットワーク機器６００はメモリ６３０をさらに含み、メモリ６３０がプロセッサ６１０に接続される。そのうち、プロセッサ６１０、メモリ６３０及びトランシーバ６２０は内部接続通路を介して互いに通信され、データ信号を伝達及び／又は制御し、該メモリ６３０が命令を記憶するためのものであり、該プロセッサ６１０が該メモリ６３０に記憶された命令を実行するためのものであり、これによりトランシーバ６２０が情報又は信号を送信するように制御し、該トランシーバ６２０は、端末機器にリソース構成メッセージを送信することであって、該リソース構成メッセージが少なくとも１つの時間ドメインシンボル位置情報を含み、該少なくとも１つの時間ドメインシンボル位置情報における異なる時間ドメインシンボル位置情報が該端末機器のスケジューリング対象チャネルの占用する開始時間ドメインシンボルの異なる位置を指示するためのものであり、該少なくとも１つの時間ドメインシンボル位置情報のいずれか１つの時間ドメインシンボル位置情報のタイプが第１のタイプ又は第２のタイプであり、該第１のタイプの時間ドメインシンボル位置情報が該スケジューリング対象チャネルの占用する開始時間ドメインシンボルと該スケジューリング対象チャネルが配置されている時間スロットとの相対的位置を指示するためのものであり、該第２のタイプの時間ドメインシンボル位置情報が該スケジューリング対象チャネルの占用する開始時間ドメインシンボルとターゲット制御情報が配置されている時間ドメインリソースとの相対的位置を指示するためのものであること、該端末機器に該ターゲット制御情報を送信することであって、該ターゲット制御情報は該端末機器が該少なくとも１つの時間ドメインシンボル位置情報においてターゲット時間ドメインシンボル位置情報を決定するためのものであること、及び該ターゲット制御情報によって指示された該スケジューリング対象チャネルの占用する開始時間ドメインシンボルの位置に基づき、該端末機器と該スケジューリング対象チャネルを伝送することに用いられる。
【０１４２】
選択的に、１つの実施例として、該ターゲット時間ドメインシンボル位置情報が相対的位置パラメータを含み、該ターゲット時間ドメインシンボル位置情報が該第１のタイプである場合、該相対的位置パラメータが該スケジューリング対象チャネルの占用する開始時間ドメインシンボルと該スケジューリング対象チャネルが配置されている時間スロットの開始時間ドメインシンボルとの相対的位置を示すためのものであり、該ターゲット時間ドメインシンボル位置情報が該第２のタイプである場合、該相対的位置パラメータが該スケジューリング対象チャネルの占用する開始時間ドメインシンボルと該ターゲット制御情報が配置されている時間ドメインリソースとの相対的位置を示すためのものである。
【０１４３】
選択的に、１つの実施例として、該ターゲット時間ドメインシンボル位置情報が該第２のタイプである場合、該相対的位置パラメータが該スケジューリング対象チャネルの占用する開始時間ドメインシンボルと該ターゲット制御情報が配置されている制御リソースセット又はサーチスペースの開始時間ドメインシンボル又は終了時間ドメインシンボルとの相対的位置を示すためのものである。
【０１４４】
選択的に、１つの実施例として、該ターゲット時間ドメインシンボル位置情報が長さパラメータを含み、該長さパラメータが該スケジューリング対象チャネルの占用する時間ドメインリソースの長さを示す。
【０１４５】
選択的に、１つの実施例として、該ターゲット時間ドメインシンボル位置情報がタイプパラメータを含み、該タイプパラメータが該ターゲット時間ドメインシンボル位置情報のタイプを指示するためのものである。
【０１４６】
選択的に、１つの実施例として、該ターゲット制御情報がタイプパラメータを含み、該タイプパラメータが該ターゲット時間ドメインシンボル位置情報のタイプを指示するためのものである。
【０１４７】
選択的に、１つの実施例として、該リソース構成メッセージが該少なくとも１つの時間ドメインシンボル位置情報に対応する少なくとも１つの時間スロットレベルオフセットパラメータを含み、該ターゲット時間ドメインシンボル位置情報がターゲット時間スロットレベルオフセットパラメータに対応し、該ターゲット時間スロットレベルオフセットパラメータが該ターゲット時間ドメインシンボル位置情報のタイプを指示するためのものである。
【０１４８】
選択的に、１つの実施例として、該ターゲット時間スロットレベルオフセットパラメータが０に等しくない場合、該ターゲット時間ドメインシンボル位置情報のタイプが該第１のタイプであり、又は、該ターゲット時間スロットレベルオフセットパラメータが該既定値以下である場合、該ターゲット時間ドメインシンボル位置情報のタイプが該第２のタイプである。
【０１４９】
選択的に、１つの実施例として、該スケジューリング対象チャネルは、ＰＵＣＣＨ、ＰＤＣＣＨ、ＰＵＳＣＨやＰＤＳＣＨのいずれか１つである。
【０１５０】
選択的に、１つの実施例として、該リソース構成メッセージは、ＲＲＣシグナリング又はシステム情報である。
【０１５１】
選択的に、１つの実施例として、該ターゲット制御情報は、該スケジューリング対象チャネルをスケジューリングするためのＤＣＩである。
【０１５２】
本願の実施例に基づくネットワーク機器６００は本願の実施例におけるネットワーク機器４００に対応してもよく、且つ本願の実施例に基づく方法２００を実行する時の対応する主体に対応してもよく、かつネットワーク機器６００における各ユニットの上記と他の操作及び／又は機能はそれぞれ図１〜図６における各方法におけるネットワーク機器の対応するフローを実現するためのものであると理解すべきであり、簡潔のため、ここでは繰り返して説明しない。
【０１５３】
したがって、本願の実施例におけるネットワーク機器は端末機器に少なくとも１つの時間ドメインシンボル位置情報を構成し、異なる時間ドメインシンボル位置情報はスケジューリング対象チャネルの占用する時間ドメインシンボルの異なる位置を指示するためのものであり、端末機器に該少なくとも１つの時間ドメインシンボル位置情報においてターゲット時間ドメインシンボル位置情報を指示するための情報を送信することによって、端末機器が該ターゲット時間ドメインシンボル位置情報を決定し、これにより、さらに該ターゲット時間ドメインシンボル位置情報のタイプを決定し、該ターゲット時間ドメインシンボル位置情報によって指示された位置を決定し、これにより該位置によってネットワーク機器とスケジューリング対象チャネルを伝送し、ターゲット時間ドメインシンボル位置情報のタイプが異なるため、時間ドメインシンボル位置を指示する方式も異なり、これにより時間ドメインシンボル位置情報に対する２つのタイプの柔軟な指示を実現し、例えば、スケジューリング対象チャネルがダウンリンク制御チャネルに近い場合、相対的ダウンリンク制御チャネルを用いてスケジューリング対象チャネルの開始シンボル位置を指示し、スケジューリング対象チャネルがダウンリンク制御チャネルから遠い場合、相対的スケジューリング対象チャネルが配置されている時間スロット開始位置を用いてスケジューリング対象チャネルの開始シンボル位置を指示することができる。
【０１５４】
このように、ダウンリンク制御チャネルが時間スロットのどの位置にあっても、限られた制御シグナリングオーバーヘッドを最大限に利用し、スケジューリング対象チャネルの開始シンボル位置を有効的に指示することができるようになり、これにより、より柔軟で、より効率の高く、より時間遅延の低いデータチャネルリソース配分を実現する。
【０１５５】
本願の上記方法の実施例はプロセッサに適用され、又はプロセッサによって実現されることができると注意すべきである。プロセッサが、信号の処理能力を持つ集積回路チップである可能性がある。実現過程では、上記方法の実施例の各ステップは、プロセッサにおけるハードウェアの集積ロジック回路、又は、ソフトウェア形の命令によって完了され得る。上記のプロセッサは、汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）又は他のプログラマブルロジック装置、離散ゲート又はトランジスタロジック装置、離散ハードウェアコンポーネントなどであってもよい。本願の実施例で開示された各方法、ステップ及びロジックブロック図を実現又は実行することができる。汎用プロセッサが、マイクロプロセッサであってもよく、又は、該プロセッサが、任意の従来のプロセッサなどであってもよい。本願の実施例に合わせて開示された方法のステップは、ハードウェアデコードプロセッサによる実行完了、又は、デコードプロセッサにおけるハードウェアとソフトウェアモジュールの組み合わせによる実行完了と直接具体化されることができる。ソフトウェアモジュールが、ランダムアクセスメモリ、フラッシュメモリ、読み取り専用メモリ、プログラマブル読み取り専用メモリ又は電気的消去可能プログラマブルメモリ、レジスタなど本領域の成熟した記憶媒体にあってもよい。該記憶媒体がメモリにあり、プロセッサがメモリ内の情報を読み取り、そのハードウェアに合わせて上記方法のステップを完了させる。
【０１５６】
本願の実施例におけるメモリは揮発性メモリ又は不揮発性メモリ、又は揮発性メモリと不揮発性メモリの両者を含んでもよいと理解できる。そのうち、不揮発性メモリが読み取り専用メモリ（ｒｅａｄ−ｏｎｌｙ  ｍｅｍｏｒｙ、ＲＯＭ）、プログラマブル読み取り専用メモリ（ｐｒｏｇｒａｍｍａｂｌｅ  ｒｏｍ、ＰＲＯＭ）、消去可能プログラマブル読み取り専用メモリ（ｅｒａｓａｂｌｅ  ＰＲＯＭ、ＥＰＲＯＭ）、電気的消去可能プログラマブル読み取り専用メモリ（ｅｌｅｃｔｒｉｃａｌｌｙ  ＥＰＲＯＭ、ＥＥＰＲＯＭ）、又はフラッシュメモリであってもよい。揮発性メモリが外部キャッシュとして使用されるランダムアクセスメモリ（ｒａｎｄｏｍ  ａｃｃｅｓｓ  ｍｅｍｏｒｙ、ＲＡＭ）であってもよい。限定的ではなく例示的な説明により、数多くの形のＲＡＭ、例えば、スタティックランダムアクセスメモリ（ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、同期ダイナミックランダムアクセスメモリ（ｓｙｎｃｈｒｏｎｏｕｓ  ＤＲＡＭ、ＳＤＲＡＭ）、ダブルデータレートの同期ダイナミックランダムアクセスメモリ（ｄｏｕｂｌｅ  ｄａｔａ  ｒａｔｅ  ＳＤＲＡＭ、ＤＤＲ  ＳＤＲＡＭ）、強化された同期ダイナミックランダムアクセスメモリ（ｅｎｈａｎｃｅｄ  ＳＤＲＡＭ、ＥＳＤＲＡＭ）、同期リンクダイナミックランダムアクセスメモリ（ｓｙｎｃｈｌｉｎｋ  ＤＲＡＭ、ＳＬＤＲＡＭ）及びダイレクトメモリバスランダムアクセスメモリ（ｄｉｒｅｃｔ  ｒａｍｂｕｓ  ＲＡＭ、ＤＲ  ＲＡＭ）などが利用できる。本明細書で説明したシステムと方法のメモリは、これらのメモリ及び他の任意の適切なタイプのメモリを含むが、これらに限定されないことを意図している。
【０１５７】
当業者は、本明細書で開示される実施例に合わせて説明される各例示的なユニット及びアルゴリズムステップが、電子ハードウェア、又はコンピューターソフトウェアと電子ハードウェアの組み合わせによって実施できると意識することができる。これらの機能がハードウェアで実行されるか、ソフトウェアで実行されるかは、技術的解決手段の特定のアプリケーションと設計上の制約条件に依存する。プロの技術者は、特定のアプリケーションごとに異なる方法を使用して説明した機能を実現することができるが、このような実現は、本願の範囲を超えると見なされるべきではない。
【０１５８】
当業者は、説明の便宜と簡潔のために、上記説明したシステム、装置、及びユニットの具体的作業プロセスは、前述した方法の実施例の対応するプロセスを参照することができると明確に理解することができ、ここでは繰り返して説明しない。
【０１５９】
本願に係るいくつかの実施例において、開示したシステム、装置、及び方法は、他の形態で実現できると理解すべきである。例えば、以上説明した装置の実施例は概略的なものにすぎず、例えば、前記ユニットの分割は、ロジック機能上の分割にすぎず、実際に実施する際に別の形態で分割してもよく、例えば、複数のユニット又はコンポーネントを別のシステムに組み合わせもしくは集積させたり、又は一部の特徴を反映させず、実行しなかったりしてもよい。また、表示又は検討した互いの結合又は直接的な結合又は通信接続は、いくつかのインタフェース、装置又はユニットを介した間接的結合又は通信接続としてもよく、電気的形態、機械的形態又はその他の形態としてもよい。
【０１６０】
前記分離される部品として説明されるユニットは、物理的に分離されるものでもよければ、分離されないものであってもよい。ユニットとして示される部品は、物理的なユニットであってもよいが、物理的なユニットでなくてもよい。即ち、同一の場所に設けられるものであってもよいが、複数のネットワークユニットに配置されるものであってもよい。実際のニーズに応じて、その一部のユニット、又はすべてのユニットを選択して本実施例の解決手段の目的を達成することができる。
【０１６１】
なお、本願の各実施例における各機能ユニットが１つの処理ユニットに集積されてもよいが、各ユニットが単独で物理的な部品として存在するか、又は２つ以上のユニットが１つのユニットに集積されてもよい。
【０１６２】
前記機能がソフトウェア機能ユニットの形で実施され、独立した製品として販売または使用される場合、１つのコンピュータ読み取り可能な記憶媒体に記憶されることができる。このような理解に基づき、本願の実施例の技術的解決手段は、本質的に、または従来の技術に寄与する部分であるか、当該技術的解決手段の一部が、ソフトウェア製品の形で具現化されることができ、該コンピューターソフトウェア製品は、１つの記憶媒体に記憶され、コンピューターデバイス（パーソナルコンピューター、サーバー、又はネットワークデバイスなどであってもよい）に、本願の各実施例で説明した方法のステップのすべて又は一部を実行させるためのいくつかの命令を含む。前述した記憶媒体は、Ｕディスク、モバイルハードディスク、読み取り専用メモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、磁気ディスク、又はコンパクトディスクなどプログラムコードを記憶できる様々な媒体を含む。
【０１６３】
以上の内容は、本願の具体的な実施形態にすぎず、本願の保護範囲はこれらに限定されず、当業者であれば、本願で開示される技術的範囲内に、容易に想像しうるすべての変更又は置換は、いずれも本願の保護範囲内に含まれるべきである。したがって、本願の保護範囲を、特許請求の範囲の保護範囲に従うものとする。
【国際調査報告】
2021516475.tif 000013
2021516475.tif 000014
2021516475.tif 000015
2021516475.tif 000016